(57)【要約】  本願は、信号伝送方法を開示する。方法は、端末により、第１構成パラメータを取得する段階と、端末により、第１構成パラメータに基づいて、複数のダウンリンク信号と個別に関連付けられているランダムアクセスリソースから、ランダムアクセスプリアンブル再伝送に用いられるランダムアクセスリソースを決定する段階と、端末により、ランダムアクセスプリアンブル再伝送に用いられるランダムアクセスリソースを用いることによってランダムアクセスプリアンブルを再伝送する段階とを含んでよい。解決手段は、プリアンブル再伝送の成功率を向上させて、遅延を減らすことができる。
2020529813.tif 000002
【特許請求の範囲】
【請求項１】
信号伝送方法であって、
端末により、第１構成パラメータを取得する段階と、
前記端末により、前記第１構成パラメータに基づいて、複数のダウンリンク信号と個別に関連付けられているランダムアクセスリソースから、ランダムアクセスプリアンブル再伝送に用いられるランダムアクセスリソースを決定する段階と、
前記端末により、ランダムアクセスプリアンブル再伝送に用いられる前記ランダムアクセスリソースを用いることによってランダムアクセスプリアンブルを再伝送する段階と
を備える方法。
【請求項２】
前記第１構成パラメータは、具体的には、
現在のダウンリンク信号と関連付けられているランダムアクセスリソースとは異なるランダムアクセスリソースを用いることにより、前記端末がランダムアクセスプリアンブル再伝送を実行するか否かを示すために用いられること、又は、
前記端末により、前記現在のダウンリンク信号及び／又は候補ダウンリンク信号の測定された信号品質に基づいて、前記現在のダウンリンク信号と関連付けられている前記ランダムアクセスリソース及び前記候補ダウンリンク信号と関連付けられているランダムアクセスリソースから、ランダムアクセスプリアンブル再伝送に用いられる前記ランダムアクセスリソースを決定するために用いられること
のうちの少なくとも１つのために用いられる、請求項１に記載の方法。
【請求項３】
前記第１構成パラメータは、前記現在のダウンリンク信号及び／又は前記候補ダウンリンク信号の信号品質変化を決定するために用いられ、前記品質変化は、ランダムアクセスプリアンブル再伝送に用いられる前記ランダムアクセスリソースを決定するために用いられる、請求項２に記載の方法。
【請求項４】
前記品質変化は、
前記現在のダウンリンク信号の前記信号品質が向上し、かつ、前記第１構成パラメータが、第１の閾値、振幅のヒステリシス、前記複数のダウンリンク信号の数Ｎ、又は、タイムツートリガのうちの少なくとも１つを含むこと、又は、
前記現在のダウンリンク信号の前記信号品質が低下し、前記第１構成パラメータが、第１の閾値、振幅のヒステリシス、前記複数のダウンリンク信号の数Ｎ、又は、タイムツートリガのうちの少なくとも１つを含むこと、又は、
前記候補ダウンリンク信号の前記信号品質が前記現在のダウンリンク信号の前記信号品質よりも高くなり、第１のオフセットよりも少なくとも高く、かつ、前記第１構成パラメータが、前記第１のオフセット、振幅のヒステリシス、前記現在のダウンリンク信号と関連付けられているオフセット値、前記現在のダウンリンク信号と関連付けられている周波数オフセット値、前記候補ダウンリンク信号と関連付けられているオフセット値、前記候補ダウンリンク信号と関連付けられている周波数オフセット値、前記複数のダウンリンク信号の数Ｎ、又は、タイムツートリガのうちの少なくとも１つを含むこと、又は、
前記候補ダウンリンク信号の前記信号品質が向上し、かつ、前記第１構成パラメータが、第２の閾値、振幅のヒステリシス、前記候補ダウンリンク信号と関連付けられているオフセット値、前記候補ダウンリンク信号と関連付けられている周波数オフセット値、前記複数のダウンリンク信号の数Ｎ、又は、タイムツートリガのうちの少なくとも１つを含むこと、又は、
前記現在のダウンリンク信号の前記信号品質が、第３の閾値よりも低くなり、前記候補ダウンリンク信号の前記信号品質が第４の閾値よりも高くなり、かつ、前記第１構成パラメータが、前記第３の閾値、前記第４の閾値、振幅のヒステリシス、前記候補ダウンリンク信号と関連付けられているオフセット値、前記候補ダウンリンク信号と関連付けられている周波数オフセット値、前記複数のダウンリンク信号の数Ｎ、又は、タイムツートリガのうちの少なくとも１つを含むこと
のうちの少なくとも１つを有する、請求項３に記載の方法。
【請求項５】
前記方法は、前記端末により、前記ネットワークデバイスによって送信される第２構成パラメータを受信する段階と、前記第２構成パラメータに基づいて、プリアンブル再伝送電力を決定する段階とをさらに備える、請求項１から４のいずれか一項に記載の方法。
【請求項６】
前記第２構成パラメータは、
プリアンブル伝送回数の最大数、アップリンク端末ビームの切替回数の最大数、ランダムアクセスリソースの切替回数の最大数、基地局ビーム−端末ビームの切替回数の最大数、ランダムアクセスリソース切替を可能にするためのプリアンブル伝送回数の最小数、ダウンリンク参照信号の伝送電力、パワーランピングステップ、プリアンブル初期受信目標電力、プリアンブルフォーマット、最大パワーランピングレベル及び最大伝送電力
のうちの少なくとも１つを有し、前記プリアンブル初期受信目標電力は、基地局受信信号のゲインに関連し、前記ダウンリンク参照信号の伝送電力は、基地局伝送信号のゲインに関連する、請求項５に記載の方法。
【請求項７】
前記第１構成パラメータは第５の閾値を有し、
前記端末により、ランダムアクセスプリアンブル再伝送に用いられる前記ランダムアクセスリソースを用いることによってランダムアクセスプリアンブルを前記再伝送する段階は、
前記候補ダウンリンク信号の前記信号品質が前記第５の閾値を超える場合、前記端末により、前記候補ダウンリンク信号と関連付けられている前記ランダムアクセスリソースを用いることによって、ランダムアクセスプリアンブル再伝送を実行する段階を有する、請求項１から６のいずれか一項に記載の方法。
【請求項８】
ランダムアクセス手順においてメッセージ３の送信に失敗した場合、及び／又は、ランダムアクセス手順において競合解消に失敗した場合、前記端末により、前記現在のダウンリンク信号と関連付けられている前記ランダムアクセスリソースとは異なる前記ランダムアクセスリソースを用いることによって、ランダムアクセスプリアンブル再伝送を実行する段階
をさらに備える、請求項１から７のいずれか一項に記載の方法。
【請求項９】
端末により、第１構成パラメータを前記取得する段階は、
前記端末により、前記ネットワークデバイスによって送信される前記第１構成パラメータを受信する段階、又は、
前記端末により、前記第１構成パラメータを局所的に取得する段階であって、前記端末は、前記第１構成パラメータで局所的に予め構成されている、段階
を有する、請求項１から８のいずれか一項に記載の方法。
【請求項１０】
信号伝送方法であって、
ネットワークデバイスにより、第１構成パラメータを端末に送信する段階であって、前記第１構成パラメータは、複数のダウンリンク信号と個別に関連付けられているランダムアクセスリソースから、ランダムアクセスプリアンブル再伝送に用いられるランダムアクセスリソースを決定するために、前記端末によって用いられる、段階と、
前記ネットワークデバイスにより、前記端末によって再伝送されるプリアンブルを受信する段階と
を備える方法。
【請求項１１】
前記第１構成パラメータは、具体的には、
現在のダウンリンク信号と関連付けられているランダムアクセスリソースとは異なるランダムアクセスリソースを用いることにより、前記端末デバイスがランダムアクセスプリアンブル再伝送を実行するか否かを示すために用いられること、又は、
前記端末によって、前記現在のダウンリンク信号及び／又は候補ダウンリンク信号の測定された信号品質に基づいて、前記現在のダウンリンク信号と関連付けられている前記ランダムアクセスリソース及び前記候補ダウンリンク信号と関連付けられているランダムアクセスリソースから、ランダムアクセスプリアンブル再伝送に用いられる前記ランダムアクセスリソースを決定するために用いられること
のうちの少なくとも１つのために用いられる、請求項１０に記載の方法。
【請求項１２】
前記第１構成パラメータは、前記現在のダウンリンク信号及び／又は前記候補ダウンリンク信号の信号品質変化を決定するために用いられ、前記品質変化は、ランダムアクセスプリアンブル再伝送に用いられる前記ランダムアクセスリソースを決定するために用いられる、請求項１１に記載の方法。
【請求項１３】
前記品質変化は、
前記現在のダウンリンク信号の前記信号品質が向上し、かつ、前記第１構成パラメータが、第１の閾値、振幅のヒステリシス、前記複数のダウンリンク信号の数Ｎ、又は、タイムツートリガのうちの少なくとも１つを含むこと、又は、
前記現在のダウンリンク信号の前記信号品質が低下し、前記第１構成パラメータが、第１の閾値、振幅のヒステリシス、前記複数のダウンリンク信号の数Ｎ、又は、タイムツートリガのうちの少なくとも１つを含むこと、又は、
前記候補ダウンリンク信号の前記信号品質が前記現在のダウンリンク信号の前記信号品質よりも高くなり、第１のオフセットよりも少なくとも高く、かつ、前記第１構成パラメータが、前記第１のオフセット、振幅のヒステリシス、前記現在のダウンリンク信号と関連付けられているオフセット値、前記現在のダウンリンク信号と関連付けられている周波数オフセット値、前記候補ダウンリンク信号と関連付けられているオフセット値、前記候補ダウンリンク信号と関連付けられている周波数オフセット値、前記複数のダウンリンク信号の数Ｎ、又は、タイムツートリガのうちの少なくとも１つを含むこと、又は、
前記候補ダウンリンク信号の前記信号品質が向上し、かつ、前記第１構成パラメータが、第２の閾値、振幅のヒステリシス、前記候補ダウンリンク信号と関連付けられているオフセット値、前記候補ダウンリンク信号と関連付けられている周波数オフセット値、前記複数のダウンリンク信号の数Ｎ、又は、タイムツートリガのうちの少なくとも１つを含むこと、又は、
前記現在のダウンリンク信号の前記信号品質が、第３の閾値よりも低くなり、前記候補ダウンリンク信号の前記信号品質が第４の閾値よりも高くなり、かつ、前記第１構成パラメータが、前記第３の閾値、前記第４の閾値、振幅のヒステリシス、前記候補ダウンリンク信号と関連付けられているオフセット値、前記候補ダウンリンク信号と関連付けられている周波数オフセット値、前記複数のダウンリンク信号の数Ｎ、又は、タイムツートリガのうちの少なくとも１つを含むこと
のうちの少なくとも１つを有する、請求項１２に記載の方法。
【請求項１４】
前記方法は、前記ネットワークデバイスにより、第２構成パラメータを前記端末に送信する段階であって、前記第２構成パラメータは、プリアンブル再伝送電力を決定するために用いられる、段階をさらに備える、請求項１０から１３のいずれか一項に記載の方法。
【請求項１５】
前記第２構成パラメータは、
プリアンブル伝送回数の最大数、端末ビームの切替回数の最大数、ランダムアクセスリソースの切替回数の最大数、基地局ビーム−端末ビームペアの切替回数の最大数、ランダムアクセスリソース切替を可能にするためのプリアンブル伝送回数の最小数、ダウンリンク参照信号の伝送電力、パワーランピングステップ、プリアンブル初期受信目標電力、プリアンブルフォーマット及び最大パワーランピングレベル
のうちの少なくとも１つを有し、前記プリアンブル初期受信目標電力は、基地局受信信号のゲインを含み、前記ダウンリンク参照信号の伝送電力は、基地局伝送信号のゲインを含む、請求項１４に記載の方法。
【請求項１６】
前記第１構成パラメータは、システム情報、残りの最小システム情報、ＲＲＣシグナリング、ＰＤＣＣＨシグナリング、ＤＣＩ及びＭＡＣレイヤ制御エンティティのうちの少なくとも１つのメッセージにおいて搬送される、請求項１０から１５のいずれか一項に記載の方法。
【請求項１７】
前記ダウンリンク信号は、同期信号ブロック又はチャネル状態情報−参照信号のうちの少なくとも１つを有する、請求項１０から１６のいずれか一項に記載の方法。
【請求項１８】
第１構成パラメータを取得するように構成される取得ユニットと、
前記第１構成パラメータに基づいて、複数のダウンリンク信号と個別に関連付けられているランダムアクセスリソースから、ランダムアクセスプリアンブル再伝送に用いられるランダムアクセスリソースを決定するように構成される決定ユニットと、
ランダムアクセスプリアンブル再伝送に用いられる前記ランダムアクセスリソースを用いることによってランダムアクセスプリアンブルを再伝送するように構成される送信ユニットと
を備える端末。
【請求項１９】
前記第１構成パラメータは、具体的には、
現在のダウンリンク信号と関連付けられているランダムアクセスリソースとは異なるランダムアクセスリソースを用いることにより、前記端末デバイスがランダムアクセスプリアンブル再伝送を実行するか否かを示すために用いられること、又は、
前記端末により、前記現在のダウンリンク信号及び／又は候補ダウンリンク信号の測定された信号品質に基づいて、前記現在のダウンリンク信号と関連付けられている前記ランダムアクセスリソース及び前記候補ダウンリンク信号と関連付けられているランダムアクセスリソースから、ランダムアクセスプリアンブル再伝送に用いられる前記ランダムアクセスリソースを決定するために用いられること
のうちの少なくとも１つのために用いられる、請求項１８に記載の端末。
【請求項２０】
前記第１構成パラメータは、前記現在のダウンリンク信号及び／又は前記候補ダウンリンク信号の信号品質変化を決定するために用いられ、前記品質変化は、ランダムアクセスプリアンブル再伝送に用いられる前記ランダムアクセスリソースを決定するために用いられる、請求項１９に記載の端末。
【請求項２１】
前記品質変化は、
前記現在のダウンリンク信号の前記信号品質が向上し、かつ、前記第１構成パラメータが、第１の閾値、振幅のヒステリシス、前記複数のダウンリンク信号の数Ｎ、又は、タイムツートリガのうちの少なくとも１つを含むこと、又は、
前記現在のダウンリンク信号の前記信号品質が低下し、前記第１構成パラメータが、第１の閾値、振幅のヒステリシス、前記複数のダウンリンク信号の数Ｎ、又は、タイムツートリガのうちの少なくとも１つを含むこと、又は、
前記候補ダウンリンク信号の前記信号品質が前記現在のダウンリンク信号の前記信号品質よりも高くなり、第１のオフセットよりも少なくとも高く、かつ、前記第１構成パラメータが、前記第１のオフセット、振幅のヒステリシス、前記現在のダウンリンク信号と関連付けられているオフセット値、前記現在のダウンリンク信号と関連付けられている周波数オフセット値、前記候補ダウンリンク信号と関連付けられているオフセット値、前記候補ダウンリンク信号と関連付けられている周波数オフセット値、前記複数のダウンリンク信号の数Ｎ、又は、タイムツートリガのうちの少なくとも１つを含むこと、又は、
前記候補ダウンリンク信号の前記信号品質が向上し、かつ、前記第１構成パラメータが、第２の閾値、振幅のヒステリシス、前記候補ダウンリンク信号と関連付けられているオフセット値、前記候補ダウンリンク信号と関連付けられている周波数オフセット値、前記複数のダウンリンク信号の数Ｎ、又は、タイムツートリガのうちの少なくとも１つを含むこと、又は、
前記現在のダウンリンク信号の前記信号品質が、第３の閾値よりも低くなり、前記候補ダウンリンク信号の前記信号品質が第４の閾値よりも高くなり、かつ、前記第１構成パラメータが、前記第３の閾値、前記第４の閾値、振幅のヒステリシス、前記候補ダウンリンク信号と関連付けられているオフセット値、前記候補ダウンリンク信号と関連付けられている周波数オフセット値、前記複数のダウンリンク信号の数Ｎ、又は、タイムツートリガのうちの少なくとも１つを含むこと
のうちの少なくとも１つを有する、請求項２０に記載の端末。
【請求項２２】
前記取得ユニットは、前記ネットワークデバイスによって送信される第２構成パラメータを受信し、前記第２構成パラメータに基づいて、プリアンブル再伝送電力を決定するようにさらに構成される、請求項１８から２１のいずれか一項に記載の端末。
【請求項２３】
前記第２構成パラメータは、
プリアンブル伝送回数の最大数、アップリンク端末ビームの切替回数の最大数、ランダムアクセスリソースの切替回数の最大数、基地局ビーム−端末ビームの切替回数の最大数、ランダムアクセスリソース切替を可能にするためのプリアンブル伝送回数の最小数、ダウンリンク参照信号の伝送電力、パワーランピングステップ、プリアンブル初期受信目標電力、プリアンブルフォーマット、最大パワーランピングレベル及び最大伝送電力
のうちの少なくとも１つを有し、前記プリアンブル初期受信目標電力は、基地局受信信号のゲインに関連し、前記ダウンリンク参照信号の伝送電力は、基地局伝送信号のゲインに関連する、請求項２２に記載の端末。
【請求項２４】
前記第１構成パラメータは第５の閾値を有し、
前記送信ユニットは、具体的には、前記候補ダウンリンク信号の前記信号品質が前記第５の閾値を超える場合、前記端末により、前記候補ダウンリンク信号と関連付けられている前記ランダムアクセスリソースを用いることによって、ランダムアクセスプリアンブル再伝送を実行するように構成される、請求項１８から２３のいずれか一項に記載の端末。
【請求項２５】
前記送信ユニットは、ランダムアクセス手順においてメッセージ３の送信に失敗した場合、及び／又は、ランダムアクセス手順において競合解消に失敗した場合、前記端末により、前記現在のダウンリンク信号と関連付けられている前記ランダムアクセスリソースとは異なる前記ランダムアクセスリソースを用いることによって、ランダムアクセスプリアンブル再伝送を実行するようにさらに構成される、請求項１８から２４のいずれか一項に記載の端末。
【請求項２６】
前記取得ユニットは、具体的には、前記ネットワークデバイスによって送信される前記第１構成パラメータを受信するように構成される、又は、前記第１構成パラメータを局所的に取得するように構成され、前記端末は、前記第１構成パラメータで局所的に予め構成されている、請求項１８から２４のいずれか一項に記載の端末。
【請求項２７】
第１構成パラメータを端末に送信するように構成される送信ユニットであって、前記第１構成パラメータは、複数のダウンリンク信号と個別に関連付けられているランダムアクセスリソースから、ランダムアクセスプリアンブル再伝送に用いられるランダムアクセスリソースを決定するために前記端末によって用いられる、送信ユニットと、
前記端末によって再伝送されるプリアンブルを受信するように構成される受信ユニットと
を備えるネットワークデバイス。
【請求項２８】
前記第１構成パラメータは、具体的には、
現在のダウンリンク信号と関連付けられているランダムアクセスリソースとは異なるランダムアクセスリソースを用いることにより、前記端末デバイスがランダムアクセスプリアンブル再伝送を実行するか否かを示すために用いられること、又は、
前記端末によって、前記現在のダウンリンク信号及び／又は候補ダウンリンク信号の測定された信号品質に基づいて、前記現在のダウンリンク信号と関連付けられている前記ランダムアクセスリソース及び前記候補ダウンリンク信号と関連付けられているランダムアクセスリソースから、ランダムアクセスプリアンブル再伝送に用いられる前記ランダムアクセスリソースを決定するために用いられること
のうちの少なくとも１つのために用いられる、請求項２７に記載のネットワークデバイス。
【請求項２９】
前記第１構成パラメータは、前記現在のダウンリンク信号及び／又は前記候補ダウンリンク信号の信号品質変化を決定するために用いられ、前記品質変化は、ランダムアクセスプリアンブル再伝送に用いられる前記ランダムアクセスリソースを決定するために用いられる、請求項２８に記載のネットワークデバイス。
【請求項３０】
前記品質変化は、
前記現在のダウンリンク信号の前記信号品質が向上し、かつ、前記第１構成パラメータが、第１の閾値、振幅のヒステリシス、前記複数のダウンリンク信号の数Ｎ、又は、タイムツートリガのうちの少なくとも１つを含むこと、又は、
前記現在のダウンリンク信号の前記信号品質が低下し、前記第１構成パラメータが、第１の閾値、振幅のヒステリシス、前記複数のダウンリンク信号の数Ｎ、又は、タイムツートリガのうちの少なくとも１つを含むこと、又は、
前記候補ダウンリンク信号の前記信号品質が前記現在のダウンリンク信号の前記信号品質よりも高くなり、第１のオフセットよりも少なくとも高く、かつ、前記第１構成パラメータが、前記第１のオフセット、振幅のヒステリシス、前記現在のダウンリンク信号と関連付けられているオフセット値、前記現在のダウンリンク信号と関連付けられている周波数オフセット値、前記候補ダウンリンク信号と関連付けられているオフセット値、前記候補ダウンリンク信号と関連付けられている周波数オフセット値、前記複数のダウンリンク信号の数Ｎ、又は、タイムツートリガのうちの少なくとも１つを含むこと、又は、
前記候補ダウンリンク信号の前記信号品質が向上し、かつ、前記第１構成パラメータが、第２の閾値、振幅のヒステリシス、前記候補ダウンリンク信号と関連付けられているオフセット値、前記候補ダウンリンク信号と関連付けられている周波数オフセット値、前記複数のダウンリンク信号の数Ｎ、又は、タイムツートリガのうちの少なくとも１つを含むこと、又は、
前記現在のダウンリンク信号の前記信号品質が、第３の閾値よりも低くなり、前記候補ダウンリンク信号の前記信号品質が第４の閾値よりも高くなり、かつ、前記第１構成パラメータが、前記第３の閾値、前記第４の閾値、振幅のヒステリシス、前記候補ダウンリンク信号と関連付けられているオフセット値、前記候補ダウンリンク信号と関連付けられている周波数オフセット値、前記複数のダウンリンク信号の数Ｎ、又は、タイムツートリガのうちの少なくとも１つを含むこと
のうちの少なくとも１つを有する、請求項２９に記載のネットワークデバイス。
【請求項３１】
前記送信ユニットは、第２構成パラメータを前記端末に送信するようにさらに構成され、前記第２構成パラメータは、プリアンブル再伝送電力を決定するために用いられる、請求項２７から３０のいずれか一項に記載のネットワークデバイス。
【請求項３２】
前記第２構成パラメータは、
プリアンブル伝送回数の最大数、端末ビームの切替回数の最大数、ランダムアクセスリソースの切替回数の最大数、基地局ビーム−端末ビームペアの切替回数の最大数、ランダムアクセスリソース切替を可能にするためのプリアンブル伝送回数の最小数、ダウンリンク参照信号の伝送電力、パワーランピングステップ、プリアンブル初期受信目標電力、プリアンブルフォーマット及び最大パワーランピングレベル
のうちの少なくとも１つを有し、前記プリアンブル初期受信目標電力は、基地局受信信号のゲインを含み、前記ダウンリンク参照信号の伝送電力は、基地局伝送信号のゲインを含む、請求項３１に記載のネットワークデバイス。
【請求項３３】
前記第１構成パラメータは、システム情報、残りの最小システム情報、ＲＲＣシグナリング、ＰＤＣＣＨシグナリング、ＤＣＩ及びＭＡＣレイヤ制御エンティティのうちの少なくとも１つのメッセージにおいて搬送される、請求項２７から３２のいずれか一項に記載のネットワークデバイス。
【請求項３４】
前記ダウンリンク信号は、同期信号ブロック又はチャネル状態情報−参照信号のうちの少なくとも１つを有する、請求項２７から３３のいずれか一項に記載のネットワークデバイス。
【請求項３５】
端末とネットワークデバイスとを備え、
前記端末は、請求項１８から２６のいずれか一項に記載の端末であり、
前記ネットワークデバイスは、請求項２７から３４のいずれか一項に記載のネットワークデバイスである、通信システム。
【請求項３６】
コンピュータ可読記憶媒体であって、前記コンピュータ可読記憶媒体は命令を格納し、前記命令がコンピュータ上で起動した場合、前記コンピュータは、請求項１から１７のいずれか一項に記載の方法を実行する、コンピュータ可読記憶媒体。
【請求項３７】
命令を備えるコンピュータプログラム製品であって、前記コンピュータプログラム製品がコンピュータ上で起動した場合、前記コンピュータは、請求項１から１７のいずれか一項に記載の方法を実行する、コンピュータプログラム製品。
【請求項３８】
信号伝送装置であって、プロセッサを備え、前記プロセッサは、メモリに連結され、前記メモリ内のプログラム又は命令を実行するように構成されることで、前記信号伝送装置が請求項１から１７のいずれか一項に記載の方法を実行する、装置。
【請求項３９】
前記メモリは、前記プロセッサ内に配置される、又は、前記メモリ及びプロセッサは、別個に配置される、請求項３８に記載の装置。
【発明の詳細な説明】
【技術分野】
【０００１】
本願は、無線通信技術の分野、特に、信号伝送方法、関連装置及びシステムに関する。
【背景技術】
【０００２】
モバイルサービスの発展に伴って、無線通信のデータレート及び効率に対してますます高い要求が課されている。将来の無線通信システムでは、特定のビーム方向への伝送対象の信号のエネルギーを制限することにより、信号の送受信効率を向上させるために、ビームフォーミング技術が用いられる。ビームフォーミング技術は、無線信号の伝送範囲を効果的に拡大し、信号の干渉を低減することで、より高い通信効率を実現し、より高いネットワーク容量を得る。マルチビームネットワークにおいて、ビームスイーピングが時分割方式で実行され、ネットワークデバイスは、複数回異なるビームを送信又は受信する。
【０００３】
マルチビーム技術は、ランダムアクセス手順に適用されてもよい。しかしながら、ＬＴＥでは、単一のビームのみが考慮されており、プリアンブル再伝送の間に電力又はリソースリセットが実行される場合しか、チャネルフェージング又は干渉により引き起こされるランダムアクセス手順の失敗を解決できない。これは、マルチビームネットワークに適合しない。
【発明の概要】
【０００４】
本願は、プリアンブル再伝送の成功率を向上させて遅延を減らすために、信号伝送方法、関連装置及びシステムを提供する。
【０００５】
第１態様によれば、信号伝送方法が提供され、端末側に適用される。方法は、端末により、第１構成パラメータを取得する段階と、第１構成パラメータに基づいて、複数のダウンリンク信号と個別に関連付けられているランダムアクセスリソースから、ランダムアクセスプリアンブル再伝送に用いられるランダムアクセスリソースを決定する段階と、最後に、ランダムアクセスプリアンブル再伝送に用いられるランダムアクセスリソースを用いることによってランダムアクセスプリアンブルを再伝送する段階とを含んでよい。
【０００６】
オプションで、第１構成パラメータは、ネットワークデバイスによって端末に送信されてよい。オプションで、端末は、第１構成パラメータでローカルに予め構成されてよく、第１構成パラメータを局所的に取得してよい。
【０００７】
第２態様によれば、信号伝送方法が提供され、ネットワークデバイス側に適用される。方法は、ネットワークデバイスにより、第１構成パラメータを端末に送信する段階を含んでよい。第１構成パラメータは、複数のダウンリンク信号と個別に関連付けられているランダムアクセスリソースから、ランダムアクセスプリアンブル再伝送に用いられるランダムアクセスリソースを決定するために、端末によって用いられてよい。ネットワークデバイスは、端末によって再伝送されるプリアンブルを受信してよい。
【０００８】
第１態様及び第２態様で説明される方法が実施されることで、プリアンブル再伝送の成功率を向上させることができ、遅延を減らす。
【０００９】
本願では、ダウンリンク信号は、同期信号ブロック（ＳＳブロック）及びチャネル状態情報−参照信号（ＣＳＩ−ＲＳ）のうちの少なくとも一方を含んでよい。ＳＳブロックは、Ｎ個のＯＦＤＭシンボルに対応する。１つのＳＳブロックは、プライマリ同期信号（ＰＳＳ）、セカンダリ同期信号（ＳＳＳ）、物理ブロードキャスト信号（ＰＢＣＨ）又は復調参照信号（ＤＭＲＳ）のうちの少なくとも１つを含む。
【００１０】
以下では、本願における第１構成パラメータの具体的な実施例を説明する。
【００１１】
オプションで、第１構成パラメータは、具体的には、現在のダウンリンク信号と関連付けられているランダムアクセスリソースとは異なるランダムアクセスリソースを用いることによって、端末がランダムアクセスプリアンブル再伝送を実行するか否かを示すために用いられてよい。例えば、第１構成パラメータはフラグビットを含む。フラグビットが０に等しい場合、現在のダウンリンク信号と関連付けられているランダムアクセスリソースを用いることによって、端末がランダムアクセスプリアンブル再伝送を実行し続けることを示す。フラグビットが１に等しい場合、現在のダウンリンク信号と関連付けられているランダムアクセスリソースとは異なるランダムアクセスリソースを用いることによって、端末がランダムアクセスプリアンブル再伝送を実行することを示す。例は、本願の実施形態に過ぎず、限定を構成すべきでない。実際の適用では、異なる実施形態があってよい。
【００１２】
オプションで、代わりに、第１構成パラメータは、具体的には、現在のダウンリンク信号及び／又は候補ダウンリンク信号の測定された信号品質に基づいて、現在のダウンリンク信号と関連付けられているランダムアクセスリソース及び候補ダウンリンク信号と関連付けられているランダムアクセスリソースから、ランダムアクセスプリアンブル再伝送に用いられるランダムアクセスリソースを決定するために、端末によって用いられてよい。具体的には、第１構成パラメータは、ダウンリンク信号の信号品質変化を決定するために用いられてよい。具体的には、第１構成パラメータは、現在のダウンリンク信号及び／又は候補ダウンリンク信号の信号品質変化を決定するために用いられてよく、品質変化は、ランダムアクセスプリアンブル再伝送に用いられるランダムアクセスリソースを決定するために用いられる。
【００１３】
オプションで、第１構成パラメータのうちの１又は複数は、システム情報（ＳＩ）、残りのシステム情報（ＲＭＳＩ）、ダウンリンク物理制御チャネル（ＰＤＣＣＨ）、ダウンリンク制御情報（ＤＣＩ）、ＭＡＣ−ＣＥ及びＲＲＣシグナリングなどのうちの任意の１又は複数を用いることにより、ネットワークデバイスによって構成されてよい。オプションで、第１構成パラメータのうちの１又は複数は、プロトコルを用いることにより規定されてよい、又は、端末により予め格納され又は予め構成されてよい。
【００１４】
第１態様又は第２態様に関して、いくつかの実施形態において、ランダムアクセスリソース切替を実行する前に、端末は、各ダウンリンク信号の品質を測定し、現在のダウンリンク信号及び／又は候補ダウンリンク信号の信号品質変化を分析し、最後に、信号品質変化及びランダムアクセスリソース切替条件に基づいて、ランダムアクセスリソースを切り替えるか否かを決定してよい。以下では、ダウンリンク信号の信号品質変化及び切替条件を個別に説明する。
【００１５】
ダウンリンク信号の信号品質変化は、以下のものを含んでよいが、限定されるものではない。
【００１６】
（１）現在のダウンリンク信号の信号品質が向上する。
【００１７】
具体的には、信号品質変化を決定するために用いられる構成パラメータは、第１の閾値、振幅のヒステリシス（ｈｙｓｔｅｒｅｓｉｓ）、ダウンリンク信号の数Ｎ又はタイムツートリガ（ＴｉｍｅＴｏＴｒｉｇｇｅｒ）のうちの少なくとも１つを含んでよい。
【００１８】
（２）現在のダウンリンク信号の信号品質が低下する。
【００１９】
具体的には、信号品質変化を決定するために用いられる構成パラメータは、第１の閾値、振幅のヒステリシス（ｈｙｓｔｅｒｅｓｉｓ）、ダウンリンク信号の数Ｎ又はタイムツートリガ（ＴｉｍｅＴｏＴｒｉｇｇｅｒ）のうちの少なくとも１つを含んでよい。
【００２０】
（３）候補ダウンリンク信号の信号品質は、現在のダウンリンク信号の信号品質よりも高くなり、第１のオフセットよりも少なくとも高い。
【００２１】
具体的には、信号品質変化を決定するために用いられる構成パラメータは、第１のオフセット、振幅のヒステリシス（ｈｙｓｔｅｒｅｓｉｓ）、現在のダウンリンク信号と関連付けられているオフセット値Ｏｂｓ、現在のダウンリンク信号と関連付けられている周波数オフセット値Ｏｆｓ、候補ダウンリンク信号と関連付けられているオフセット値Ｏｂｎ、候補ダウンリンク信号と関連付けられている周波数オフセット値Ｏｆｎ、複数のダウンリンク信号の数Ｎ又はタイムツートリガ（ＴｉｍｅＴｏＴｒｉｇｇｅｒ）のうちの少なくとも１つを含んでよい。
【００２２】
（４）候補ダウンリンク信号の信号品質が向上する。
【００２３】
具体的には、信号品質変化を決定するために用いられる構成パラメータは、第２の閾値、振幅のヒステリシス（ｈｙｓｔｅｒｅｓｉｓ）、候補ダウンリンク信号と関連付けられているオフセット値Ｏｂｎ、候補ダウンリンク信号と関連付けられている周波数オフセット値Ｏｆｎ、複数のダウンリンク信号の数Ｎ又はタイムツートリガ（ＴｉｍｅＴｏＴｒｉｇｇｅｒ）のうちの少なくとも１つを含んでよい。
【００２４】
（５）現在のダウンリンク信号の信号品質が低下し、候補ダウンリンク信号の信号品質が向上する。
【００２５】
具体的には、信号品質変化を決定するために用いられる構成パラメータは、第３の閾値、第４の閾値、振幅のヒステリシス（ｈｙｓｔｅｒｅｓｉｓ）、候補ダウンリンク信号と関連付けられているオフセット値Ｏｂｎ、候補ダウンリンク信号と関連付けられている周波数オフセット値Ｏｆｎ、ダウンリンク信号の数Ｎ又はタイムツートリガ（ＴｉｍｅＴｏＴｒｉｇｇｅｒ）のうちの少なくとも１つを含んでよい。
【００２６】
具体的には、本願で提供される切替条件は、以下のものを含んでよいが、それに限定されるものではない。
【００２７】
（１）第１の切替条件は、Ｍｓ−Ｈｙｓｔｅｒｅｓｉｓ＞Ｔｈｒｅｓｈｏｌｄ１である。
【００２８】
Ｍｓは、現在のダウンリンク信号の信号品質を表し、Ｈｙｓｔｅｒｅｓｉｓは、振幅のヒステリシスを表し、Ｔｈｒｅｓｈｏｌｄ１は、第１の閾値を表す。
【００２９】
具体的には、第１の切替条件は、現在のダウンリンク信号の信号品質が向上することに適用可能である。
【００３０】
（２）第２の切替条件は、Ｍｓ＋Ｈｙｓｔｅｒｅｓｉｓ＜Ｔｈｒｅｓｈｏｌｄ１である。
【００３１】
Ｍｓは、現在のダウンリンク信号の信号品質を表し、Ｈｙｓｔｅｒｅｓｉｓは、振幅のヒステリシスを表し、Ｔｈｒｅｓｈｏｌｄ１は、第１の閾値を表す。
【００３２】
具体的には、第２の切替条件は、現在のダウンリンク信号の信号品質が低下することに適用可能である。
【００３３】
（３）第３の切替条件は、Ｍｎ＋Ｏｂｎ＋Ｏｆｎ−Ｈｙｓｔｅｒｅｓｉｓ＞Ｍｓ＋Ｏｂｓ＋Ｏｆｓ＋Ｏｆｆｓｅｔ１である。
【００３４】
Ｍｓは、現在のダウンリンク信号の信号品質を表し、Ｍｎは、候補ダウンリンク信号の信号品質を表し、Ｈｙｓｔｅｒｅｓｉｓは、振幅のヒステリシスを表し、Ｏｂｎは、候補ダウンリンク信号と関連付けられているオフセット値を表し、Ｏｆｎは、候補ダウンリンク信号と関連付けられている周波数オフセット値を表し、Ｏｂｓは、現在のダウンリンク信号と関連付けられているオフセット値を表し、Ｏｆｓは、現在のダウンリンク信号と関連付けられている周波数オフセット値を表し、Ｏｆｆｓｅｔ１は、第１のオフセットを表す。
【００３５】
具体的には、第３の切替条件は、候補ダウンリンク信号の信号品質が、現在のダウンリンク信号の信号品質よりも高くなり、第１のオフセットＯｆｆｓｅｔ１よりも少なくとも高いことに適用可能である。
【００３６】
（４）第４の切替条件は、Ｍｎ＋Ｏｂｎ＋Ｏｆｎ−Ｈｙｓｔｅｒｅｓｉｓ＞Ｔｈｒｅｓｈｏｌｄ２である。
【００３７】
Ｍｎは、候補ダウンリンク信号の信号品質を表し、Ｈｙｓｔｅｒｅｓｉｓは、振幅のヒステリシスを表し、Ｏｂｎは、候補ダウンリンク信号と関連付けられているオフセット値を表し、Ｏｆｎは、候補ダウンリンク信号と関連付けられている周波数オフセット値を表し、Ｔｈｒｅｓｈｏｌｄ２は、第２の閾値を表す。
【００３８】
具体的には、第４の切替条件は、候補ダウンリンク信号の信号品質が向上することに適用可能である。
【００３９】
（５）第５の切替条件は、Ｍｓ＋Ｈｙｓｔｅｒｅｓｉｓ＜Ｔｈｒｅｓｈｏｌｄ３、及び、Ｍｎ＋Ｏｂｎ＋Ｏｆｎ−Ｈｙｓｔｅｒｅｓｉｓ＞Ｔｈｒｅｓｈｏｌｄ４である。
【００４０】
Ｍｓは、現在のダウンリンク信号の信号品質を表し、Ｍｎは、候補ダウンリンク信号の信号品質を表し、Ｈｙｓｔｅｒｅｓｉｓは、振幅のヒステリシスを表し、Ｏｂｎは、候補ダウンリンク信号と関連付けられているオフセット値を表し、Ｏｆｎは、候補ダウンリンク信号と関連付けられている周波数オフセット値を表し、Ｔｈｒｅｓｈｏｌｄ３は、第３の閾値を表し、Ｔｈｒｅｓｈｏｌｄ４は、第４の閾値を表す。
【００４１】
具体的には、第５の切替条件は、現在のダウンリンク信号の信号品質を低下させ、候補ダウンリンク信号の信号品質が向上するということに適用可能される。
【００４２】
本願では、各切替条件は、実際の要件に基づいて決定されてよい。これは、本願において限定されるものではない。各切替条件に基づいてランダムアクセスリソース切替を実行するために、端末の具体的な決定は、実際の要件に基づいて決定されてもよい。これは、本願において限定されるものではない。以下では、本願において提供される切替条件に基づいたランダムアクセスリソース切替についてのいくつかの実施形態を説明する。
【００４３】
実施形態１において、第１の切替条件が満たされた後に、端末は、以下のオペレーションを実行してよいが、以下のオペレーションを実行することに限定されるものではない。
【００４４】
オプションで、端末は、ランダムアクセスを実行するために、現在のダウンリンク信号と関連付けられているランダムアクセスリソースを選択して、ランダムアクセスプリアンブルを再び又は複数回送信し続けてよい。
【００４５】
オプションで、この段階の前に、端末が複数のダウンリンク信号を測定する場合、端末は、別のダウンリンク信号を測定することを直ちに、又は、タイムツートリガ（ＴｉｍｅＴｏＴｒｉｇｇｅｒ）の後に停止する。
【００４６】
オプションで、端末が、直ちに、又は、タイムツートリガ（ＴｉｍｅＴｏＴｒｉｇｇｅｒ）の後に、より長い時間期間を用いることによって現在のダウンリンク信号の信号品質を測定する。
【００４７】
本実施形態において、第１の切替条件が満たされた後に、端末は、実際の要件に基づいて別のオペレーションをさらに実行してよい。これは本明細書において限定されるものではない。
【００４８】
実施形態２において、第２の切替条件が満たされた後に、端末は、以下のオペレーションを実行してよいが、以下のオペレーションを実行することに限定されるものではない。
【００４９】
オプションで、端末は、ランダムアクセスを実行するために、現在のダウンリンク信号と関連付けられているランダムアクセスリソースを選択して、ランダムアクセスプリアンブルを再び又は複数回送信し続けてよい。
【００５０】
オプションで、この段階の前に、端末が現在のダウンリンク信号のみを測定する場合、端末は、別のダウンリンク信号又は複数の他のダウンリンク信号の測定を直ちに、又は、タイムツートリガ（ＴｉｍｅＴｏＴｒｉｇｇｅｒ）の後に開始する。オプションで、この段階の前に、端末が複数のダウンリンク信号を測定する場合、端末は、別のダウンリンク信号又は複数の他のダウンリンク信号の信号品質を測定し続ける。本明細書において、端末により測定されるダウンリンク信号の数は、ダウンリンク信号の総数Ｎを越えない。
【００５１】
オプションで、端末が、直ちに、又は、タイムツートリガ（ＴｉｍｅＴｏＴｒｉｇｇｅｒ）の後に、より短い時間期間を用いることによって現在のダウンリンク信号の信号品質又は別のダウンリンク信号の信号品質を測定する。
【００５２】
本実施形態において、第２の切替条件が満たされた後に、端末は、実際の要件に基づいて別のオペレーションをさらに実行してよい。これは本明細書において限定されるものではない。
【００５３】
実施形態３において、第３の切替条件が満たされた後に、端末は、以下のオペレーションを実行してよいが、以下のオペレーションを実行することに限定されるものではない。
【００５４】
オプションで、端末は、ランダムアクセスを実行するために、候補ダウンリンク信号と関連付けられているランダムアクセスリソースに切り替えて、ランダムアクセスプリアンブルを再び送信してよい。オプションで、ランダムアクセスリソース切替の間、端末は、現在の周波数帯域又は別の周波数帯域上の候補ダウンリンク信号と関連付けられているランダムアクセスリソースに切り替えることを選択してよい。
【００５５】
オプションで、端末によりすでに実行されているランダムアクセスプリアンブル伝送の回数がＫより大きい場合のみ、端末は、候補ダウンリンク信号と関連付けられているランダムアクセスリソースに切り替える。言い換えれば、すでに実行されているランダムアクセスプリアンブル伝送の回数がＫを超えない場合、端末は、現在のダウンリンク信号と関連付けられているランダムアクセスリソースを用いることによってランダムアクセスを実行し続ける。ここで、Ｋは正の整数である。
【００５６】
オプションで、端末により受信されるランダムアクセス再伝送バックオフ値がＴより大きい場合のみ、端末は、候補ダウンリンク信号と関連付けられているランダムアクセスリソースに切り替える。言い換えれば、受信したランダムアクセス再伝送バックオフ値がＴを超えない場合、端末は、現在のダウンリンク信号と関連付けられているランダムアクセスリソースを用いてランダムアクセスを実行し続ける。ここで、Ｔは正数である。
【００５７】
前述の二つの任意のオペレーションは、主に、ダウンリンク信号と関連付けられているランダムアクセスリソース上での再伝送の回数が特定の回数を超えた後に、端末が別のダウンリンク信号と関連付けられているランダムアクセスリソースを用いることによってランダムアクセスを実行し得るシナリオに適用可能である。例えば、いくつかのダウンリンク信号と関連付けられているランダムアクセスリソースに比較的多くの数の端末があり、これが、結果として、比較的高い競合確率又は比較的大きな伝送バックオフ値をもたらす。この場合、これらのビームにおいて端末が、特定の回数、プリアンブルを再伝送した後に、ランダムアクセスリソース切替が考慮され得る。
【００５８】
オプションで、端末は、直ちに、又は、タイムツートリガ（ＴｉｍｅＴｏＴｒｉｇｇｅｒ）の後に、現在のダウンリンク信号を測定することを停止し、候補ダウンリンク信号と関連付けられているランダムアクセスリソースを選択して、ランダムアクセスを実行してよい。
【００５９】
オプションで、候補ダウンリンク信号と関連付けられているランダムアクセスリソースに切り替えた後に、端末は、より長い時間期間を用いることによって、ランダムアクセスリソース切替前の現在のダウンリンク信号の信号品質を測定してよい。オプションで、ランダムアクセスリソースを切り替えた後に、端末デバイスは、ランダムアクセスリソース切替前の現在のダウンリンク信号の信号品質を測定することを停止してよい。
【００６０】
本実施形態において、第３の切替条件が満たされた後に、端末は、実際の要件に基づいて別のオペレーションをさらに実行してよい。これは本明細書において限定されるものではない。
【００６１】
実施形態４において、第４の切替条件が満たされた後に、端末は、以下のオペレーションを実行してよいが、以下のオペレーションを実行することに限定されるものではない。
【００６２】
オプションで、端末は、ランダムアクセスを実行するために、候補ダウンリンク信号と関連付けられているランダムアクセスリソースに切り替えて、ランダムアクセスプリアンブルを再び送信してよい。オプションで、ランダムアクセスリソース切替の間、端末は、現在の周波数帯域又は別の周波数帯域上の候補ダウンリンク信号と関連付けられているランダムアクセスリソースに切り替えることを選択してよい。
【００６３】
オプションで、端末は、直ちに、又は、タイムツートリガ（ＴｉｍｅＴｏＴｒｉｇｇｅｒ）の後に、現在のダウンリンク信号を測定することを停止し、候補ダウンリンク信号と関連付けられているランダムアクセスリソースを選択して、ランダムアクセスを実行してよい。
【００６４】
オプションで、候補ダウンリンク信号と関連付けられているランダムアクセスリソースに切り替えた後に、端末は、より長い時間期間を用いることによって、ランダムアクセスリソース切替前の現在のダウンリンク信号の信号品質を測定してよい。オプションで、ランダムアクセスリソースを切り替えた後に、端末は、ランダムアクセスリソース切替前の現在のダウンリンク信号の信号品質を測定することを停止してよい。
【００６５】
各ダウンリンク信号と関連付けられているランダムアクセスリソースの負荷（ｌｏａｄ）又は端末の数がさらに考慮される。第４の切替条件が満たされた後に、端末は、以下のオペレーションを実行してよいが、以下のオペレーションを実行することに限定されるものではない。
【００６６】
オプションで、端末によりすでに実行されているランダムアクセスプリアンブル伝送の回数がＫより大きい場合のみ、端末は、候補ダウンリンク信号と関連付けられているランダムアクセスリソースに切り替える。言い換えれば、すでに実行されているランダムアクセスプリアンブル伝送の回数がＫを超えない場合、端末は、現在のダウンリンク信号と関連付けられているランダムアクセスリソースを用いることによってランダムアクセスを実行し続ける。ここで、Ｋは正の整数である。
【００６７】
オプションで、端末により受信されたランダムアクセス再伝送バックオフ値がＴより大きい場合のみ、端末は、候補ダウンリンク信号と関連付けられているランダムアクセスリソースに切り替える。言い換えれば、受信したランダムアクセス再伝送バックオフ値がＴを超えない場合、端末は、現在のダウンリンク信号と関連付けられているランダムアクセスリソースを用いてランダムアクセスを実行し続ける。ここで、Ｔは正数である。
【００６８】
前述の二つの任意のオペレーションは、主に、ダウンリンク信号と関連付けられているランダムアクセスリソース上での再伝送の回数が特定の回数を超えた後に、端末が別のダウンリンク信号と関連付けられているランダムアクセスリソースを用いることによってランダムアクセスを実行し得るシナリオに適用可能である。例えば、いくつかのダウンリンク信号と関連付けられているランダムアクセスリソースに比較的多くの数の端末があり、これが、結果として、比較的高い競合確率又は比較的大きな伝送バックオフ値をもたらす。この場合、これらのビームにおいて端末が、特定の回数、プリアンブルを再伝送した後に、ランダムアクセスリソース切替が考慮され得る。
【００６９】
本実施形態において、第４の切替条件が満たされた後に、端末は、実際の要件に基づいて別のオペレーションをさらに実行してよい。これは本明細書において限定されるものではない。
【００７０】
実施形態５において、第５の切替条件が満たされた後に、端末は、以下のオペレーションを実行してよいが、以下のオペレーションを実行することに限定されるものではない。
【００７１】
オプションで、端末は、ランダムアクセスを実行するために、候補ダウンリンク信号と関連付けられているランダムアクセスリソースに切り替えて、ランダムアクセスプリアンブルを再び送信してよい。オプションで、ランダムアクセスリソース切替の間、端末は、現在の周波数帯域又は別の周波数帯域上の候補ダウンリンク信号と関連付けられているランダムアクセスリソースに切り替えることを選択してよい。
【００７２】
オプションで、端末は、直ちに、又は、タイムツートリガ（ＴｉｍｅＴｏＴｒｉｇｇｅｒ）の後に、現在のダウンリンク信号を測定することを停止し、候補ダウンリンク信号と関連付けられているランダムアクセスリソースを選択して、ランダムアクセスを実行してよい。
【００７３】
オプションで、候補ダウンリンク信号と関連付けられているランダムアクセスリソースに切り替えた後に、端末は、より長い時間期間を用いることによって、ランダムアクセスリソース切替前の現在のダウンリンク信号の信号品質を測定してよい。オプションで、ランダムアクセスリソースを切り替えた後に、端末は、ランダムアクセスリソース切替前の現在のダウンリンク信号の信号品質を測定することを停止してよい。
【００７４】
いくつかの任意の実施形態において、不等式（Ａ５−１）又は（Ａ５−２）のいずれか一方を満たす場合、端末は、候補ダウンリンク信号と関連付けられているランダムアクセスリソースに切り替えてランダムアクセスを実行してよい。
【００７５】
各ダウンリンク信号と関連付けられているランダムアクセスリソースの負荷（ｌｏａｄ）又は端末の数がさらに考慮される。第５の切替条件が満たされた後に、端末は、以下のオペレーションを実行してよいが、以下のオペレーションを実行することに限定されるものではない。
【００７６】
オプションで、端末によりすでに実行されているランダムアクセスプリアンブル伝送の回数がＫより大きい場合のみ、端末は、候補ダウンリンク信号と関連付けられているランダムアクセスリソースに切り替える。言い換えれば、すでに実行されているランダムアクセスプリアンブル伝送の回数がＫを超えない場合、端末は、現在のダウンリンク信号と関連付けられているランダムアクセスリソースを用いることによってランダムアクセスを実行し続ける。ここで、Ｋは正の整数である。
【００７７】
オプションで、端末により受信されたランダムアクセス再伝送バックオフ値がＴより大きい場合のみ、端末は、候補ダウンリンク信号と関連付けられているランダムアクセスリソースに切り替える。言い換えれば、受信したランダムアクセス再伝送バックオフ値がＴを超えない場合、端末は、現在のダウンリンク信号と関連付けられているランダムアクセスリソースを用いてランダムアクセスを実行し続ける。ここで、Ｔは正数である。
【００７８】
前述の二つの任意のオペレーションは、主に、ダウンリンク信号と関連付けられているランダムアクセスリソース上での再伝送の回数が特定の回数を超えた後に、端末が別のダウンリンク信号と関連付けられているランダムアクセスリソースを用いることによってランダムアクセスを実行し得るシナリオに適用可能である。例えば、いくつかのダウンリンク信号において比較的多くの数の端末があり、これが、結果として、比較的高い競合確率又は比較的大きな伝送バックオフ値をもたらす。この場合、これらのビームにおいて端末が、特定の回数、プリアンブルを再伝送した後に、ランダムアクセスリソース切替が考慮され得る。
【００７９】
本実施形態において、第５の切替条件が満たされた後に、端末は、実際の要件に基づいて別のオペレーションをさらに実行してよい。これは本明細書において限定されるものではない。
【００８０】
第１態様又は第２態様に関して、いくつかの実施形態では、以下の条件のうちの任意の１又は複数が満たされる場合、端末は、ランダムアクセスリソース切替を実行しない。
【００８１】
１．基地局の構成情報が、再伝送プロセスにおいて、端末がランダムアクセスリソースを切り替えることを許可されていないことを示す。
【００８２】
２．基地局の構成情報が、再伝送プロセスにおいて、端末がランダムアクセスリソースを切り替えることを許可されているが、すべての測定されるダウンリンク信号の信号品質が、予め格納され又は予め構成された閾値又は基地局により規定された閾値よりも低いことを示す。
【００８３】
３．基地局の構成情報が、再伝送プロセスにおいて、端末がランダムアクセスリソースを切り替えることを許可されているが、すべての候補ダウンリンク信号の測定された信号品質とすべての現在のダウンリンク信号の測定された信号品質との間の差が、予め格納され又は予め構成された閾値、又は、基地局により規定された閾値よりも小さいことを示す。
【００８４】
第１態様又は第２態様に関して、いくつかの実施形態では、基地局の構成情報は、再伝送プロセスにおいて、端末がランダムアクセスリソースを切り替えることを許容されていること、又は、再伝送プロセスにおいて、端末がランダムアクセスリソースを切り替えるか否かを決定することを前提として、以下の条件のうちの任意の数が満たされる場合、端末が、ランダムアクセスリソースを切り替えることを決定する／決定してよい／決定すべきである、ということを示す。
【００８５】
１．候補ダウンリンク信号の信号品質が、第５の閾値を超える場合、又は、候補ダウンリンク信号の信号品質が現在のダウンリンク信号の信号品質よりも高く、第１のオフセットよりも少なくとも高い場合、端末が、候補ダウンリンク信号と関連付けられているランダムアクセスリソースを用いることによって、ランダムアクセスプリアンブル再伝送を実行する。オプションで、第５の閾値は、前述のいくつかの実施形態で言及した第１の閾値、第２の閾値、第３の閾値又は第４の閾値であってよい。オプションで、第１のオフセットは、前述のいくつかの実施形態で言及した第１のオフセットであってよい。
【００８６】
２．ランダムアクセスプリアンブルを送信した後に、端末が、対応するランダムアクセスリソース応答を受信しない。
【００８７】
３．ランダムアクセス手順においてメッセージ３の送信に失敗した場合、又は、ランダムアクセス手順において競合解消に失敗した場合、端末が、現在のダウンリンク信号と関連付けられているランダムアクセスリソースとは異なるランダムアクセスリソースを用いることによって、ランダムアクセスプリアンブル再伝送を実行する。
【００８８】
オプションで、条件１及び３の両方が満たされる場合、端末は、現在のダウンリンク信号と関連付けられているランダムアクセスリソースから、候補ダウンリンク信号と関連付けられているランダムアクセスリソースに切り替えてよい。
【００８９】
第１態様又は第２態様に関して、いくつかの実施形態では、プリアンブル再伝送の成功率をさらに向上させるために、端末は、プリアンブル伝送電力をさらに向上させてよい。しかしながら、端末は、電力増加により引き起こされる干渉をできるだけ減らす必要がある。
【００９０】
具体的には、プリアンブル伝送電力の過度に急激なランピングを回避するために、複数回のビーム切替が、各パワーランピングレベルで実行されてよい。具体的には、Ｍ回のビーム切替ごとに一度だけ、パワーランピングが実行される。これは、ビームスイーピングの後に一度だけ、パワーランピングが実行されることに等しい。ここで、Ｍは、正の整数であり、ビームの切替回数の最大数、例えば、ランダムアクセスリソースの切替回数の最大数（すなわち、基地局ビームの切替回数の数に等しい）、端末ビームの切替回数の最大数、又は、ビームペアの切替回数の最大数より大きくはない。
【００９１】
オプションで、ランダムアクセスの間、ネットワークデバイスは、各ダウンリンク信号に関連するパラメータ（第２構成パラメータと称され得る）を構成してよい。具体的には、パラメータは、ランダムアクセスプリアンブルの伝送回数の最大数、端末ビームの切替回数の最大数、基地局ビームの切替回数の最大数、ビームペアの切替回数の最大数、伝送回数の閾値パラメータ、ダウンリンク参照信号の伝送電力、パワーランピングステップ、プリアンブル初期受信目標電力、プリアンブルフォーマット、最大パワーランピングレベル及び最大伝送電力Ｐ＿ＣＭＡＸのうちの少なくとも１つのパラメータを含んでよい。第２構成パラメータは、プリアンブル伝送電力を決定するために用いられてよい。
【００９２】
本願では、ダウンリンク参照信号の伝送電力に対して、基地局伝送信号のゲインが考慮され、プリアンブル初期受信目標電力に対して、基地局受信信号のゲインが考慮される。オプションで、ダウンリンク参照信号の伝送電力に対して、基地局伝送ビームのゲインと基地局受信信号のゲインとの間の差が考慮される。オプションで、プリアンブル初期受信目標電力に対して、基地局伝送ビームのゲインと基地局受信信号のゲインとの間の差が考慮される。オプションで、すべてのダウンリンク信号の参照信号の伝送電力が異なる。オプションで、すべてのダウンリンク信号に対応するプリアンブル初期受信目標電力が異なる。オプションで、信号品質に対して、端末同期信号受信ビームのゲインとランダムアクセスプリアンブル伝送信号のゲインとの間の差が考慮される。
【００９３】
第３態様によれば、本願は、端末を提供する。端末は、第１態様又は第１態様の可能な実施例のいずれか一つにおいて提供される方法を対応して実行するように構成される、複数の機能モジュールを含んでよい。
【００９４】
第４態様によれば、本願は、ネットワークデバイスを提供する。ネットワークデバイスは、第２態様又は第２態様の可能な実施例のいずれか一つにおいて提供される方法を対応して実行するように構成される複数の機能モジュールを含んでよい。
【００９５】
第５態様によれば、本願は、第１態様で説明される信号伝送方法を実行するように構成される端末を提供する。端末は、メモリと、メモリに連結されるプロセッサと、トランシーバとを含んでよい。トランシーバは、別の通信デバイス（例えば、ネットワークデバイス）と通信するように構成される。メモリは、第１態様で説明される信号伝送方法を実施するためのコードを格納するように構成される。プロセッサは、メモリに格納されているプログラムコードを実行する、すなわち、第１態様又は第１態様の可能な実施例のいずれか一つにおいて提供される方法を実行するように構成される。
【００９６】
第６態様によれば、本願は、第２態様で説明される信号伝送方法を実行するように構成されるネットワークデバイスを提供する。端末は、メモリと、メモリに連結されるプロセッサと、トランシーバとを含んでよい。トランシーバは、別の通信デバイス（例えば、端末）と通信するように構成される。メモリは、第２態様で説明される信号伝送方法を実施するためのコードを格納するように構成される。プロセッサは、メモリに格納されているプログラムコードを実行する、すなわち、第２態様、又は、第１態様の可能な実施例のいずれか一つにおいて提供される方法を実行するように構成される。
【００９７】
第７態様によれば、通信システムが提供される。通信システムは、端末及びネットワークデバイスを含む。
【００９８】
端末は、第３態様で説明される端末であってよく、ネットワークデバイスは、第４態様で説明されるネットワークデバイスであってよい。代わりに、端末は、第５態様で説明される端末であってよく、代わりに、ネットワークデバイスは、第６態様で説明されるネットワークデバイスであってよい。
【００９９】
第８態様によれば、コンピュータ可読記憶媒体が提供される。可読記憶媒体は、命令を格納する。コンピュータ上で命令が起動した場合、コンピュータは、第１態様で説明される信号伝送方法を実行する。
【０１００】
第９態様によれば、別のコンピュータ可読記憶媒体が提供される。可読記憶媒体は、命令を格納する。コンピュータ上で命令が起動した場合、コンピュータは、第２態様で説明される信号伝送方法を実行する。
【０１０１】
第１０態様によれば、命令を含むコンピュータプログラム製品が提供される。コンピュータ上でコンピュータプログラム製品が起動した場合、コンピュータは、第１態様で説明される信号伝送方法を実行する。
【０１０２】
第１１態様によれば、命令を含む別のコンピュータプログラム製品が提供される。コンピュータ上でコンピュータプログラム製品が起動した場合、コンピュータは、第２態様で説明される信号伝送方法を実行する。
【図面の簡単な説明】
【０１０３】
本願の実施形態又は背景技術における技術的解決手段をより明確に説明するために、以下では、本願の実施形態又は背景技術を説明するために必要とされる添付の図面を簡潔に説明する。
【０１０４】
【図１】本願における無線通信システムの概略的なアーキテクチャ図である。
【０１０５】
【図２Ａ】本願のマルチビームネットワークにおけるいくつかのプリアンブル再伝送シナリオの概略図である。
【図２Ｂ】本願のマルチビームネットワークにおけるいくつかのプリアンブル再伝送シナリオの概略図である。
【図２Ｃ】本願のマルチビームネットワークにおけるいくつかのプリアンブル再伝送シナリオの概略図である。
【０１０６】
【図３】本願の実施形態に係る端末のハードウェアアーキテクチャの概略図である。
【０１０７】
【図４】本願の実施形態に係るネットワークデバイスのハードウェアアーキテクチャの概略図である。
【０１０８】
【図５Ａ】本願に係る信号伝送方法の原理についての概略図である。
【図５Ｂ】本願に係る信号伝送方法の原理についての概略図である。
【図５Ｃ】本願に係る信号伝送方法の原理についての概略図である。
【０１０９】
【図６】本願の実施形態に係る切替条件の例の概略図である。
【０１１０】
【図７】本願の別の実施形態に係る切替条件の例の概略図である。
【０１１１】
【図８】本願のさらに別の実施形態に係る切替条件の例の概略図である。
【０１１２】
【図９】本願のさらに別の実施形態に係る切替条件の例の概略図である。
【０１１３】
【図１０】本願のさらに別の実施形態に係る切替条件の例の概略図である。
【０１１４】
【図１１】本願に係る無線通信システム、端末及びネットワークデバイスの機能ブロック図である。
【発明を実施するための形態】
【０１１５】
本願の実施例で用いられる用語は、単に、本願の特定の実施形態を説明するために用いられるだけであるが、本願を限定することを目的としたものではない。
【０１１６】
図１は、本願で用いられる無線通信システムを示す。無線通信システムは、高周波数帯域で動作し得、ロングタームエボリューション（Ｌｏｎｇ  Ｔｅｒｍ  Ｅｖｏｌｕｔｉｏｎ、ＬＴＥ）システムに限定されるものではなく、将来の進化型第５世代（ｔｈｅ  ５ｔｈ  Ｇｅｎｅｒａｔｉｏｎ、５Ｇ）モバイル通信システム、新無線（ＮＲ）システム又はマシンツーマシン（Ｍａｃｈｉｎｅ  ｔｏ  Ｍａｃｈｉｎｅ、Ｍ２Ｍ）通信システムなどであってよい。図１に示されるように、無線通信システム１００は、１又は複数のネットワークデバイス１０１、１又は複数の端末１０３及びコアネットワーク（図示されていない）を含んでよい。
【０１１７】
ネットワークデバイス１０１は、基地局であってよい。基地局は、１又は複数の端末と通信するように構成されてよい、又は、いくつかの端末機能を有する１又は複数の基地局と通信（例えば、マクロ基地局とアクセスポイントなどのマイクロ基地局との間の通信）するように構成され得る。基地局は、時分割同期符号分割多元接続（Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡ）システムにおけるベーストランシーバ基地局（Ｂａｓｅ  Ｔｒａｎｓｃｅｉｖｅｒ  Ｓｔａｔｉｏｎ、ＢＴＳ）であってよい、又は、ＬＴＥシステムにおける進化型ノードＢ（Ｅｖｏｌｕｔｉｏｎａｌ  Ｎｏｄｅ  Ｂ、ｅＮＢ）、又は、５Ｇシステム若しくは新無線（ＮＲ）システムにおけるｇＮＢであってよい。さらに、代わりに、基地局は、アクセスポイント（Ａｃｃｅｓｓ  Ｐｏｉｎｔ、ＡＰ）、送信ポイント（Ｔｒａｎｓ  ＴＲＰ）、中央ユニット（Ｃｅｎｔｒａｌ  Ｕｎｉｔ、ＣＵ）、別のネットワークエンティティであってよく、前述のネットワークエンティティの機能の一部又はすべてを含んでよい。
【０１１８】
端末１０３は、無線通信システム１００全体に分散してよく、静止型であってよい、又は、移動型であってよい。本願のいくつかの実施形態において、端末１０３は、モバイルデバイス、移動局（ｍｏｂｉｌｅ  ｓｔａｔｉｏｎ）、移動ユニット（ｍｏｂｉｌｅ  ｕｎｉｔ）、Ｍ２Ｍ端末、無線ユニット、リモートユニット、端末エージェント又はモバイルクライアントなどであってよい。
【０１１９】
本願において、無線通信システム１００は、マルチビーム通信システムである。
【０１２０】
ネットワークデバイス１０１は、大規模アンテナアレイを提供し、ビームフォーミング技術を用いることによってアンテナアレイを制御して、異なる方向を指し示すビームを生成し得る。セル１０７全体をカバーするために、ネットワークデバイス１０１は、異なる方向を指し示す複数のビームを用いる必要がある。
【０１２１】
例えば、ダウンリンクプロセスにおいて、ネットワークデバイス１０１は、異なる方向を指し示すビームを連続的に用いて、無線信号（例えば、ダウンリンク参照信号及び／又はダウンリンク同期信号ブロック（ｓｙｎｃｈｒｏｎｉｚａｔｉｏｎ  ｓｉｇｎａｌ  ｂｌｏｃｋ、ＳＳ  ｂｌｏｃｋ））を伝送してよい。このプロセスは、ビームスイーピング（Ｂｅａｍ  ｓｃａｎｎｉｎｇ）と称される。さらに、端末１０３は、伝送ビームを測定し、端末１０３が受信できる伝送ビームの信号品質を決定する。このプロセスは、ビーム測定（Ｂｅａｍ  ｍｅａｓｕｒｅｍｅｎｔ）と称される。
【０１２２】
将来の通信システムにおいて、端末１０３はまた、アンテナアレイを提供してよく、異なるビームを変化させて、信号を受信及び送信してよい。言い換えれば、無線通信システム１００において、ネットワークデバイス１０１及び端末１０３はそれぞれ、複数のビームを用いて通信を実行し得る。ランダムアクセス（Ｒａｎｄｏｍ  Ａｃｃｅｓｓ、ＲＡ）プロセスにおいて、端末１０３がランダムアクセスプリアンブル（ｐｒｅａｍｂｌｅ）をネットワークデバイス１０１送信する方式が、図２Ａから図２Ｃに示され得る。
【０１２３】
図２Ａは、端末１０３が同じ伝送ビーム（例えば、ビームａ）を用いることによってネットワークデバイス１０１にプリアンブルを送信し、ネットワークデバイス１０１が複数の受信ビーム（例えば、ビーム１及び３）を用いることによってプリアンブルを受信することを示す。図２Ａに示されるシナリオにおいて、ビームａ及びビーム１がペアとなり、ビームａ及びビーム３がペアとなる。
【０１２４】
図２Ｂは、端末１０３が複数の伝送ビーム（例えば、ビームａ及びｂ）を用いることによってプリアンブルをネットワークデバイス１０１に送信し、ネットワークデバイス１０１が複数の受信ビーム（例えば、ビーム１及び３）を用いることによってプリアンブルを受信することを示す。図２Ｂに示されるシナリオにおいて、ビームａ及びビーム１がペアとなり、ビームｂ及びビーム３がペアとなる。
【０１２５】
図２Ｃは、端末１０３が複数の伝送ビーム（例えば、ビームａ及びｂ）を用いることによってプリアンブルをネットワークデバイス１０１に送信し、ネットワークデバイス１０１が同じ受信ビーム（例えば、ビーム１）を用いることによってプリアンブルを受信することを示す。図２Ｃに示されるシナリオにおいて、ビームａ及びビーム１がペアとなり、ビームｂ及びビーム１がペアとなる。
【０１２６】
セル１０７において、図２Ａから図２Ｃに示される３つのプリアンブル送信シナリオは、異なる端末１０３のランダムアクセス手順において同時に存在してよい、又は、同じ端末１０３の複数のランダムアクセス手順において連続的に存在してよい。これは本明細書において限定されるものではない。
【０１２７】
差分の説明を簡単にするために、ネットワークデバイスの伝送及び受信ビームは、基地局ビームと称され得、基地局伝送ビーム及び基地局受信ビームを含む。ここで、基地局伝送ビームは、本願で言及されるダウンリンク信号である。同様に、端末の伝送及び受信ビームは、端末ビームと称され得、端末伝送ビーム及び端末受信ビームを含む。
【０１２８】
プリアンブル再伝送の間に、より高い端末指向性を有する基地局受信ビームは、プリアンブル再伝送の成功率を向上させるのに役立つことが理解され得る。本願では、各基地局受信ビームは、１つの基地局伝送ビームに対応する。本明細書において、基地局受信ビームが基地局伝送ビームと１対１の対応関係にあるということは、基地局受信ビーム及び基地局伝送ビームが同じ指向性を有することを意味する。オプションで、基地局受信ビーム及び基地局受信ビームに対応する基地局伝送ビームは、同じビームであってよく、同じトランシーバ装置を共有できる。オプションで、基地局受信ビームに対応するアンテナポート、及び、基地局受信ビームに対応する基地局伝送ビームに対応するアンテナポートは、疑似コロケーション（Ｑｕａｓｉ  Ｃｏ−ｌｏｃａｔｉｏｎ、ＱＣＬ）関係にあり得る。オプションで、疑似コロケーション関係は、あるポートの以下のパラメータのうちの少なくとも１つが、別のポートのパラメータと同じである／又は、あるポートの以下のパラメータのうちの少なくとも１つが、別のポートのパラメータと決定された対応関係にあることを意味し、パラメータは、到来角ＡｏＡ（ａｎｇｌｅ  ｏｆ  ａｒｒｉｖａｌ）、主到来角Ｄｏｍｉｎａｎｔ  ＡｏＡ、平均到来角、到来角のパワー角スペクトル（ｐｏｗｅｒ  ａｎｇｕｌａｒ  ｓｐｅｃｔｒｕｍ（ＰＡＳ）  ｏｆ  ＡｏＡ）、発信角ＡｏＤ（ａｎｇｌｅ  ｏｆ  ｄｅｐａｒｔｕｒｅ）、主発信角、平均発信角、発信角のパワー角スペクトル、端末伝送ビームのビームフォーミング、端末受信ビームのビームフォーミング、空間チャネルの相関関係、基地局伝送ビームのビームフォーミング、基地局受信ビームのビームフォーミング、平均チャネルゲイン、平均チャネル遅延、遅延拡散ｄｅｌａｙ  ｓｐｒｅａｄ及びドップラー拡散Ｄｏｐｐｌｅｒ  ｓｐｒｅａｄなどである。
【０１２９】
すなわち、優れた端末指向性を有する基地局伝送ビームを選択することは、優れた端末指向性を有する基地局受信ビームを選択することに等しい。本願において、主に説明することは、端末側でより高い端末指向性を用いて基地局伝送ビームをどのように切り替えるかについてである。このように、ネットワークデバイスは、対応する基地局受信ビームを用いることにより、端末により再伝送されたプリアンブルを受信し、それにより、プリアンブル再伝送の成功率を向上させる。
【０１３０】
本願において、同じダウンリンク信号／基地局ビーム／端末ビームは、同じダウンリンク信号／基地局ビーム／端末ビームが同じ空間受信パラメータ及び／又は同じアンテナポートを有することを意味する。例えば、あるダウンリンク信号／基地局ビーム／端末ビームの以下のパラメータのうちの少なくとも１つが別のダウンリンク信号／基地局ビーム／端末ビームのパラメータと同じである／又は、あるダウンリンク信号／基地局ビーム／端末ビームの以下のパラメータのうちの少なくとも１つが、別のダウンリンク信号／基地局ビーム／端末ビームのパラメータと決定された対応関係にあり、パラメータは、到来角ＡｏＡ（ａｎｇｌｅ  ｏｆ  ａｒｒｉｖａｌ）、主到来角Ｄｏｍｉｎａｎｔ  ＡｏＡ、平均到来角、到来角のパワー角スペクトル（ｐｏｗｅｒ  ａｎｇｕｌａｒ  ｓｐｅｃｔｒｕｍ  （ＰＡＳ）  ｏｆ  ＡｏＡ）、発信角ＡｏＤ（ａｎｇｌｅ  ｏｆ  ｄｅｐａｒｔｕｒｅ）、主発信角、平均発信角、発信角のパワー角スペクトル、端末伝送ビームのビームフォーミング、端末受信ビームのビームフォーミング、空間チャネルの相関関係、基地局伝送ビームのビームフォーミング、基地局受信ビームのビームフォーミング、平均チャネルゲイン、平均チャネル遅延、遅延拡散ｄｅｌａｙ  ｓｐｒｅａｄ及びドップラー拡散Ｄｏｐｐｌｅｒ  ｓｐｒｅａｄなどである。
【０１３１】
図３は、本願のいくつかの実施形態に係る端末２００を示す。図３に示されるように、端末２００は、１又は複数の端末プロセッサ２０１、メモリ２０２、通信インタフェース２０３、受信機２０５、送信機２０６、カプラ２０７、アンテナ２０８、端末インタフェース２０２及び（オーディオ入力／出力モジュール２１０、キー入力モジュール２１１及びディスプレイ２１２などを含む）入力／出力モジュールを含んでよい。これらのコンポーネントは、バス２０４を用いることにより、又は、別の方式で接続され得る。図３では、例えば、コンポーネントはバスを用いることにより接続される。
【０１３２】
通信インタフェース２０３は、端末２００と別の通信デバイス、例えば、ネットワークデバイスとの間の通信のために構成され得る。具体的には、ネットワークデバイスは、図３に示されるネットワークデバイス３００であってよい。具体的には、通信インタフェース２０３は、ロングタームエボリューション（ＬＴＥ）（４Ｇ）通信インタフェースであってよい、又は、５Ｇ又は将来の新無線通信インタフェースであってよい。無線通信インタフェースに加えて、端末２００は、有線通信インタフェース２０３、例えば、ローカルアクセスネットワーク（Ｌｏｃａｌ  Ａｃｃｅｓｓ  Ｎｅｔｗｏｒｋ、ＬＡＮ）インタフェースと共に構成されてよい。
【０１３３】
送信機２０６は、端末プロセッサ２０１により信号出力を伝送する、例えば、ビームフォーミングを通じた指向性送信を実行するように構成されてよい。受信機２０５は、アンテナ２０８により受信されるモバイル通信信号を受信する、例えば、ビームフォーミングを通じた指向性受信を実行するように構成されてよい。本願のいくつかの実施形態において、送信機３０５／受信機３０６は、伝送信号／受信信号及び重みベクトルＷ１、...、又はＷｍを乗算して、信号の指向性送信／受信を制御するように構成されるビームフォーミングコントローラを含んでよい。送信機３０５／受信機３０６のビームフォーミングコントローラは、伝送信号／受信信号及び重みベクトルを乗算することにより取得される値を変化させることで、本願で言及される基地局ビーム切替が実施され得る。
【０１３４】
本願のいくつかの実施形態において、送信機２０６及び受信機２０５は、無線モデムとみなされ得る。１又は複数の送信機２０６及び受信機２０５が端末２００内にあってよい。アンテナ２０８は、伝送線における電磁エネルギーを自由空間における電磁波に変換する、又は、自由空間における電磁波を伝送線における電磁エネルギーに変換するように構成され得る。カプラ２０７は、アンテナ２０８により受信されるモバイル通信信号を複数のモバイル通信信号に分割し、複数のモバイル通信信号を複数の受信機２０５に割り当てるように構成される。
【０１３５】
図３に示される送信機２０６及び受信機２０５に加えて、端末２００は、別の通信コンポーネント、例えば、ＧＰＳ（登録商標）モジュール、Ｂｌｕｅｔｏｏｔｈ（登録商標）（Ｂｌｕｅｔｏｏｔｈ（登録商標））モジュール又はワイヤレス・フィディリティ（Ｗｉｒｅｌｅｓｓ  Ｆｉｄｅｌｉｔｙ、Ｗｉ−Ｆｉ（登録商標））モジュールを含んでよい。前述の説明した無線通信信号に加えて、端末２００は、別の無線通信信号、例えば、衛星信号又は短波信号をサポートし得る。無線通信をサポートすることに加えて、端末２００は、有線通信をサポートするために、有線ネットワークインタフェース（例えば、ＬＡＮインタフェース）が提供され得る。
【０１３６】
入力／出力モジュールは、端末２００と端末／外部環境との間のインタラクションを実行するように構成されてよく、主に、オーディオ入力／出力モジュール２１０、キー入力モジュール２１１及びディスプレイ２１２などを含んでよい。具体的には、入力／出力モジュールは、カメラ、タッチスクリーン及びセンサなどを含んでもよい。入力／出力モジュールは、端末インタフェース２０９を用いることにより端末プロセッサ２０１と通信する。
【０１３７】
メモリ２０２は、端末プロセッサ２０１に連結され、さまざまなソフトウェアプログラム及び／又は複数の命令のセットを格納するように構成される。 具体的には、メモリ２０２は、高速ランダムアクセスメモリを含んでよく、不揮発性メモリ、例えば、１又は複数のディスクストレージデバイス、フラッシュメモリデバイス又は他の不揮発性ソリッドステートストレージデバイスを含んでよい。メモリ２０２は、オペレーティングシステム（以下では、システムと簡潔に称される）、例えば、Ａｎｄｒｏｉｄ（登録商標）、ＩＯＳ、Ｗｉｎｄｏｗｓ（登録商標）又はＬＩＮＵＸ（登録商標）などの埋め込み型オペレーティングシステムを格納してよい。メモリ２０２は、ネットワーク通信プログラムをさらに格納してよい。ネットワーク通信プログラムは、１又は複数の追加のデバイス、１又は複数の端末デバイス及び１又は複数のネットワークデバイスと通信するために用いられてよい。メモリ２０２は、端末インタフェースプログラムをさらに格納してよい。端末インタフェースプログラムは、グラフィカルオペレーションインタフェースを用いることによりアプリケーションプログラムのコンテンツを鮮やかに表示し、入力制御、例えば、メニュー、ダイアログボックス又はキーを用いることにより、アプリケーション上で端末により実行される制御オペレーションを受信してよい。
【０１３８】
本願のいくつかの実施形態において、メモリ２０２は、本願の１又は複数の実施形態において提供される信号伝送方法を端末２００側で実施するためのプログラムを格納するように構成されてよい。本願の１又は複数の実施形態において提供される信号伝送方法の実施例に関しては、後続の実施形態を参照されたい。
【０１３９】
端末プロセッサ２０１は、コンピュータ可読命令を読み取り実行するように構成されてよい。具体的には、端末プロセッサ２０１は、メモリ２１２に格納されているプログラム、例えば、本願の１又は複数の実施形態において提供される信号伝送方法を端末２００側で実施するためのプログラムを呼び出して、プログラムに含まれている命令を実行するように構成されてよい。
【０１４０】
端末２００は、図１に示される無線通信システム１００にある端末１０３であってよく、モバイルデバイス、移動局（ｍｏｂｉｌｅ  ｓｔａｔｉｏｎ）、移動ユニット（ｍｏｂｉｌｅ  ｕｎｉｔ）、無線ユニット、リモートユニット、端末エージェント又はモバイルクライアントなどとして実装されてよいことが理解され得る。
【０１４１】
図３に示される端末２００は、本願の実施形態の実施例に過ぎないことに留意すべきである。実際の適用では、端末２００は、より多い又はより少ないコンポーネントを含んでもよく、これは本明細書において限定されるものではない。
【０１４２】
図４は、本願のいくつかの実施形態に係るネットワークデバイス３００を示す。図４に示されるように、ネットワークデバイス３００は、１又は複数のネットワークデバイスプロセッサ３０１、メモリ３０２、通信インタフェース３０３、送信機３０５、受信機３０６、カプラ３０７及びアンテナ３０８を含んでよい。これらのコンポーネントは、バス３０４を用いることにより、又は、別の方式で接続され得る。図４では、例えば、コンポーネントはバスを用いることにより接続される。
【０１４３】
通信インタフェース３０３は、ネットワークデバイス３００と別の通信デバイス、例えば、端末デバイス又は別のネットワークデバイスとの間の通信のために構成され得る。具体的には、端末デバイスは、図３に示される端末２００であってよい。具体的には、通信インタフェース３０３及び通信インタフェース２０３は、ロングタームエボリューション（ＬＴＥ）（４Ｇ）通信インタフェースであってよい、又は、５Ｇ又は将来の新無線通信インタフェースであってよい。無線通信インタフェースに加えて、ネットワークデバイス３００は、有線通信をサポートするために、有線通信インタフェース３０３と共に構成されてよい。例えば、ネットワークデバイス３００と別のネットワークデバイス３００との間のバックホール接続は、有線通信接続であってよい。
【０１４４】
送信機３０５は、ネットワークデバイスプロセッサ３０１により出力された信号を伝送する、例えば、ビームフォーミングを通じた指向性送信を実行するように構成されてよい。受信機３０６は、アンテナ３０８により受信されるモバイル通信信号を受信する、例えば、ビームフォーミングを通じた指向性受信を実行するように構成されてよい。本願のいくつかの実施形態において、送信機３０５／受信機３０６は、伝送信号／受信信号及び重みベクトルＷ′１、...、又はＷ′ｍを乗算して、信号の指向性送信／受信を制御するように構成されるビームフォーミングコントローラを含んでよい。送信機３０５／受信機３０６のビームフォーミングコントローラは、伝送信号／受信信号及び重みベクトルを乗算することにより取得される値を変化させることで、本願で言及される基地局ビーム切替が実施され得る。
【０１４５】
本願のいくつかの実施形態において、送信機３０５及び受信機３０６は、無線モデムとみなされ得る。１又は複数の送信機３０５及び受信機３０６がネットワークデバイス３００内にあってよい。アンテナ３０８は、伝送線における電磁エネルギーを自由空間における電磁波に変換する、又は、自由空間における電磁波を伝送線における電磁エネルギーに変換するように構成され得る。カプラ３０７は、モバイル通信信号を複数の信号に分割し、モバイル通信信号を複数の受信機３０６に割り当てるように構成され得る。
【０１４６】
メモリ３０２は、ネットワークデバイスプロセッサ３０１に連結され、さまざまなソフトウェアプログラム及び／又は複数の命令のセットを格納するように構成される。具体的には、メモリ３０２は、高速ランダムアクセスメモリを含んでよく、不揮発性メモリ、例えば、１又は複数のディスクストレージデバイス、フラッシュメモリデバイス又は他の不揮発性ソリッドステートストレージデバイスを含んでよい。メモリ３０２は、オペレーティングシステム（以下では、システムと簡潔に称される）、例えば、ｕＣＯＳ、ＶｘＷｏｒｋｓ又はＲＴＬｉｎｕｘなどの埋め込み型オペレーティングシステムを格納してよい。メモリ３０２は、ネットワーク通信プログラムをさらに格納してよい。ネットワーク通信プログラムは、１又は複数の追加のデバイス、１又は複数の端末デバイス及び１又は複数のネットワークデバイスとの通信のために用いられ得る。
【０１４７】
ネットワークデバイスプロセッサ３０１は、無線チャネルを管理し、電話及び通信リンクを確立及び切断し、ローカル制御エリア内の端末にセルハンドオーバ制御を提供するなどを行うように構成されてよい。具体的には、ネットワークデバイスプロセッサ３０１は、アドミニストレーションモジュール／通信モジュール（Ａｄｍｉｎｉｓｔｒａｔｉｏｎ  Ｍｏｄｕｌｅ／Ｃｏｍｍｕｎｉｃａｔｉｏｎ  Ｍｏｄｕｌｅ、ＡＭ／ＣＭ）（音声経路切替及び情報交換のためのセンタ）、基本モジュール（Ｂａｓｉｃ  Ｍｏｄｕｌｅ、ＢＭ）（呼び出し処理、シグナリング処理、無線リソース管理、無線リンク管理及び回線メンテナンス機能を完了するように構成される）、及び、トランスコーダ及びサブマルチプレクサ（Ｔｒａｎｓｃｏｄｅｒ  ａｎｄ  ＳｕｂＭｕｌｔｉｐｌｅｘｅｒ、ＴＣＳＭ）（多重化／逆多重化及びトランスコーディング機能を達成するように構成される）などを含んでよい。
【０１４８】
本願の本実施形態において、ネットワークデバイスプロセッサ３０１は、コンピュータ可読命令を読み取り実行するように構成されてよい。具体的には、ネットワークデバイスプロセッサ３０１は、メモリ３０２に格納されているプログラム、例えば、本願の１又は複数の実施形態において提供される信号伝送方法をネットワークデバイス３００側で実施するためのプログラムを呼び出して、プログラムに含まれている命令を実行するように構成されてよい。
【０１４９】
ネットワークデバイス３００は、図１に示される無線通信システム１００内のネットワークデバイス１０１であってよく、ベーストランシーバ基地局、無線トランシーバ、基本サービスセット（ＢＳＳ）、拡張サービスセット（ＥＳＳ）、ノードＢ、ｅノードＢ、アクセスポイント又はＴＲＰなどとして実装されてよいことが理解され得る。
【０１５０】
図４に示されるネットワークデバイス３００は、本願の実施形態の実施例に過ぎないことに留意すべきである。実際の適用では、ネットワークデバイス３００は、より多い又はより少ないコンポーネントを含んでもよく、これは本明細書において限定されるものではない。
【０１５１】
無線通信システム１００、端末２００及びネットワークデバイス３００に対応する実施形態に基づいて、本願の実施形態は、信号伝送方法を提供する。
【０１５２】
本願において、ランダムアクセスの間に、各ダウンリンクビームを用いることにより送信されるダウンリンク信号は、ランダムアクセスリソースと個別に関連付けられている。ネットワークデバイスは、各ダウンリンクビームに対応する基地局受信ビームを用いることによって、各ダウンリンク信号と関連付けられているランダムアクセスリソース上のプリアンブルを受信する。さらに、端末は、ダウンリンク信号の信号品質であって、測定を通じて取得される信号品質に基づいて、複数のダウンリンク信号から優れた信号品質を有するダウンリンク信号を選択し、ダウンリンク信号と関連付けられているランダムアクセスリソースに切り替えてプリアンブル再伝送を実行してよい。選択されたダウンリンク信号の品質が優れているので、ダウンリンク信号を送信するために用いられるダウンリンクビームは、優れた端末指向性を有することを示し、また、ダウンリンクビームに対応する基地局受信ビームも優れた端末指向性を有することを示すことが理解され得る。この場合、ネットワークデバイスは、ダウンリンクビームに対応する基地局受信ビームを用いることによってプリアンブルを受信することで、プリアンブル再伝送の成功率を向上させ、それにより、遅延を減らす。すなわち、プリアンブル再伝送の間、端末は、優れた信号品質を有するダウンリンク信号と関連付けられているランダムアクセスリソースに切り替えて、プリアンブル再伝送を実行してよい。本願では、ランダムアクセスリソースは、プリアンブルの時間−周波数リソース及び／又はプリアンブルを含んでよい。
【０１５３】
本願では、ランダムアクセスリソース切替は、ランダムアクセスプリアンブル再伝送が実行される場合、このプリアンブル再伝送において用いられるランダムアクセスリソースが、前回のプリアンブル伝送において用いられていたランダムアクセスリソースとは異なることを意味する。本明細書において、異なるランダムアクセスリソースが異なるダウンリンク信号と関連付けられており、ダウンリンク信号は、ダウンリンクビームに一意に対応する。そのため、ランダムアクセスリソースを切り替えることは、ダウンリンクビームを切り替えることに等しく、また、プリアンブルを受信するために用いられる基地局受信ビームを切り替えることにも等しい。
【０１５４】
本願では、ダウンリンク信号は、同期信号ブロック（ｓｙｎｃｈｒｏｎｉｚａｔｉｏｎ  ｓｉｇｎａｌ  ｂｌｏｃｋ、ＳＳ  ｂｌｏｃｋ）、及び、チャネル状態情報−参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）のうちの少なくとも一方を含んでよい。ＳＳブロックは、Ｎ個のＯＦＤＭシンボルに対応する。１つのＳＳブロックは、プライマリ同期信号（ｐｒｉｍａｒｙ  ｓｙｎｃｈｒｏｎｉｚａｔｉｏｎ  ｓｉｇｎａｌ、ＰＳＳ）、セカンダリ同期信号（ｓｅｃｏｎｄａｒｙ  ｓｙｎｃｈｒｏｎｉｚａｔｉｏｎ  ｓｉｇｎａｌ、ＳＳＳ）、物理ブロードキャスト信号（物理ブロードキャストチャネル、ＰＢＣＨ）、又は、復調参照信号（ｄｅｍｏｄｕｌａｔｉｏｎ  ｒｅｆｅｒｅｎｃｅ  ｓｉｇｎａｌ、ＤＭＲＳ）（例えば、ＰＢＣＨ  ＤＭＲＳ）のうちの少なくとも１つを含む。
【０１５５】
本願におけるランダムアクセスリソース切替の理解を容易にするために、図５Ａから図５Ｃは、以下での説明のための例として用いられる。
【０１５６】
端末により受信される現在のダウンリンク信号がダウンリンク信号２であると仮定して、各ダウンリンクビームを用いることにより送信されるダウンリンク信号と個別に関連付けられているプリアンブルリソースが図５Ａに示される。
【０１５７】
まず、図５Ｂに示されるように、ネットワークデバイスは、複数のダウンリンクビームを用いることによって、ダウンリンク信号（例えば、ＳＳブロック）を連続的に送信する。ダウンリンクビームは、ダウンリンク信号に一意に対応する。例えば、ダウンリンクビーム１は、ＳＳブロック１を送信するために用いられ、ダウンリンクビーム２は、ＳＳブロック２を送信するために用いられる。例が、本願を説明するために用いられているに過ぎず、限定として解釈されるものではない。対応して、端末は、ダウンリンク信号（例えば、ＳＳブロック）の信号品質を測定し、測定された信号品質に基づいて、プリアンブル再伝送を実行するために、ダウンリンク信号３と関連付けられているランダムアクセスリソースに切り替えことを決定してよい。本明細書において、ダウンリンク信号３の信号品質は、ダウンリンク信号２の信号品質よりも高い。言い換えれば、ダウンリンク信号３を送信するために用いられるダウンリンクビームは、ダウンリンク信号２を送信するために用いられるダウンリンクビームより高い端末指向性を有する。
【０１５８】
そして、図５Ｃに示されるように、端末は、ダウンリンク信号３と関連付けられているランダムアクセスリソース（すなわち、ランダムアクセスリソース３）上でプリアンブルを再伝送する。対応して、ネットワークデバイスは、ダウンリンクビームに個別に対応する基地局受信ビームを用いることにより、ダウンリンク信号と個別に関連付けられているプリアンブルリソース上でプリアンブルを連続的に受信する。ネットワークデバイスは、ダウンリンクビーム３に対応する基地局受信ビームを用いることによってランダムアクセスリソース３上でのプリアンブルの受信に成功し得ることが理解され得る。
【０１５９】
プリアンブル再伝送の間、図５Ｃに示される例に限定されるものではないが、端末は、同じビーム（例えば、ビームａ）を用いることによって、ネットワークデバイスにプリアンブルを送信してよい、又は、複数のビーム（例えば、ビームａ、ｂ、及びｃ）を用いることによって、ネットワークデバイスにプリアンブルを送信してよい。これは本明細書において限定されるものではない。
【０１６０】
ダウンリンクビーム３の端末指向性が、ダウンリンクビーム２の端末指向性よりも高いので、ネットワークデバイスは、ダウンリンクビーム３に対応する基地局受信ビームを用いることによってプリアンブルを受信し、それにより、プリアンブル再伝送の成功率を向上させることが、図５Ａから図５Ｃに示される例からわかり得る。ランダムアクセスリソース３上で端末により再伝送されるプリアンブルは、ダウンリンクビーム３に対応する基地局受信ビームのみで受信され、各ダウンリンク信号と関連付けられているランダムアクセスリソースは、前もって合意され得ることを確実にする。このように、各ダウンリンクビームに対応する基地局受信ビームは、ダウンリンクビームを用いることにより送信されるダウンリンク信号と関連付けられているプリアンブルリソース上のみでプリアンブルを受信するために用いられる。具体的には、ダウンリンク信号３を送信するために用いられるダウンリンクビーム３に対応する基地局受信ビームのみが、ランダムアクセスリソース３上でプリアンブルを受信するために用いられる。
【０１６１】
図５Ａから図５Ｃは、本願を説明するために用いられているに過ぎず、限定として解釈されるものではない。
【０１６２】
具体的には、図５Ａに示される各ダウンリンク信号と個別に関連付けられているランダムアクセスリソースは、システム情報（ｓｙｓｔｅｍ  ｉｎｆｏｒｍａｔｉｏｎ、ＳＩ）、残りのシステム情報（ｒｅｍａｉｎｉｎｇ  ｓｙｓｔｅｍ  ｉｎｆｏｒｍａｔｉｏｎ、ＲＭＳＩ）、ダウンリンク物理制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）、ダウンリンク制御情報（ｄｏｗｎｌｉｎｋ  ｃｏｎｔｒｏｌ  ｉｎｆｏｒｍａｔｉｏｎ、ＤＣＩ）、ＭＡＣ−ＣＥ（ｍｅｄｉｕｍ  ａｃｃｅｓｓ  ｃｏｎｔｒｏｌ−ｃｏｎｔｒｏｌ  ｅｌｅｍｅｎｔ）又はＲＲＣ（ｒａｄｉｏ  ｒｅｓｏｕｒｃｅ  ｃｏｎｔｒｏｌ、ＲＲＣ）シグナリングなどのうちの任意の１又は複数を用いることにより、ネットワークデバイスによって構成されてよい。
【０１６３】
本願における重要な技術のポイントが以下で説明される。
【０１６４】
１．ランダムアクセスリソース切替条件
【０１６５】
本願では、ランダムアクセスリソース切替条件は、プリアンブル再伝送に用いられるランダムアクセスリソースを切り替えるか否かを決定するために用いられてよい。ランダムアクセスリソース切替を実行する前に、端末は、各ダウンリンク信号の品質を測定し、現在のダウンリンク信号及び／又は候補ダウンリンク信号の信号品質変化を分析し、最後に、信号品質変化及びランダムアクセスリソース切替条件に基づいて、ランダムアクセスリソースを切り替えるか否かを決定してよい。
【０１６６】
具体的には、ダウンリンク信号の信号品質変化は、以下のものを含んでよいが、それに限定されるものではない。
【０１６７】
（１）現在のダウンリンク信号の信号品質が向上する。
【０１６８】
具体的には、信号品質変化を決定するために用いられる構成パラメータは、第１の閾値、振幅のヒステリシス（ｈｙｓｔｅｒｅｓｉｓ）、ダウンリンク信号の数Ｎ又はタイムツートリガ（ＴｉｍｅＴｏＴｒｉｇｇｅｒ）のうちの少なくとも１つを含んでよい。
【０１６９】
（２）現在のダウンリンク信号の信号品質が低下する。
【０１７０】
具体的には、信号品質変化を決定するために用いられる構成パラメータは、第１の閾値、振幅のヒステリシス（ｈｙｓｔｅｒｅｓｉｓ）、ダウンリンク信号の数Ｎ又はタイムツートリガ（ＴｉｍｅＴｏＴｒｉｇｇｅｒ）のうちの少なくとも１つを含んでよい。
【０１７１】
（３）候補ダウンリンク信号の信号品質が、現在のダウンリンク信号の信号品質よりも高くなり、第１のオフセットよりも少なくとも高い。
【０１７２】
具体的には、信号品質変化を決定するために用いられる構成パラメータは、第１のオフセット、振幅のヒステリシス（ｈｙｓｔｅｒｅｓｉｓ）、現在のダウンリンク信号と関連付けられているオフセット値Ｏｂｓ、現在のダウンリンク信号と関連付けられている周波数オフセット値Ｏｆｓ、候補ダウンリンク信号と関連付けられているオフセット値Ｏｂｎ、候補ダウンリンク信号と関連付けられている周波数オフセット値Ｏｆｎ、複数のダウンリンク信号の数Ｎ又はタイムツートリガ（ＴｉｍｅＴｏＴｒｉｇｇｅｒ）のうちの少なくとも１つを含んでよい。
【０１７３】
（４）候補ダウンリンク信号の信号品質が向上する。
【０１７４】
具体的には、信号品質変化を決定するために用いられる構成パラメータは、第２の閾値、振幅のヒステリシス（ｈｙｓｔｅｒｅｓｉｓ）、候補ダウンリンク信号と関連付けられているオフセット値Ｏｂｎ、候補ダウンリンク信号と関連付けられている周波数オフセット値Ｏｆｎ、複数のダウンリンク信号の数Ｎ又はタイムツートリガ（ＴｉｍｅＴｏＴｒｉｇｇｅｒ）のうちの少なくとも１つを含んでよい。
【０１７５】
（５）現在のダウンリンク信号の信号品質が低下し、候補ダウンリンク信号の信号品質が向上する。
【０１７６】
具体的には、信号品質変化を決定するために用いられる構成パラメータは、第３の閾値、第４の閾値、振幅のヒステリシス（ｈｙｓｔｅｒｅｓｉｓ）、候補ダウンリンク信号と関連付けられているオフセット値Ｏｂｎ、候補ダウンリンク信号と関連付けられている周波数オフセット値Ｏｆｎ、ダウンリンク信号の数Ｎ又はタイムツートリガ（ＴｉｍｅＴｏＴｒｉｇｇｅｒ）のうちの少なくとも１つを含んでよい。
【０１７７】
具体的には、本願で提供される切替条件は、以下のものを含んでよいが、それに限定されるものではない。
【０１７８】
（１）第１の切替条件は、Ｍｓ−Ｈｙｓｔｅｒｅｓｉｓ＞Ｔｈｒｅｓｈｏｌｄ１である。
【０１７９】
Ｍｓは、現在のダウンリンク信号の信号品質を表し、Ｈｙｓｔｅｒｅｓｉｓは、振幅のヒステリシスを表し、Ｔｈｒｅｓｈｏｌｄ１は、第１の閾値を表す。
【０１８０】
具体的には、第１の切替条件は、現在のダウンリンク信号の信号品質が向上することに適用可能である。
【０１８１】
（２）第２の切替条件は、Ｍｓ＋Ｈｙｓｔｅｒｅｓｉｓ＜Ｔｈｒｅｓｈｏｌｄ１である。
【０１８２】
Ｍｓは、現在のダウンリンク信号の信号品質を表し、Ｈｙｓｔｅｒｅｓｉｓは、振幅のヒステリシスを表し、Ｔｈｒｅｓｈｏｌｄ１は、第１の閾値を表す。
【０１８３】
具体的には、第２の切替条件は、現在のダウンリンク信号の信号品質が低下することに適用可能である。
【０１８４】
（３）第３の切替条件は、Ｍｎ＋Ｏｂｎ＋Ｏｆｎ−Ｈｙｓｔｅｒｅｓｉｓ＞Ｍｓ＋Ｏｂｓ＋Ｏｆｓ＋Ｏｆｆｓｅｔ１である。
【０１８５】
Ｍｓは、現在のダウンリンク信号の信号品質を表し、Ｍｎは、候補ダウンリンク信号の信号品質を表し、Ｈｙｓｔｅｒｅｓｉｓは、振幅のヒステリシスを表し、Ｏｂｎは、候補ダウンリンク信号と関連付けられているオフセット値を表し、Ｏｆｎは、候補ダウンリンク信号と関連付けられている周波数オフセット値を表し、Ｏｂｓは、現在のダウンリンク信号と関連付けられているオフセット値を表し、Ｏｆｓは、現在のダウンリンク信号と関連付けられている周波数オフセット値を表し、Ｏｆｆｓｅｔ１は、第１のオフセットを表す。
【０１８６】
具体的には、第３の切替条件は、候補ダウンリンク信号の信号品質が現在のダウンリンク信号の信号品質よりも高くなり、第１のオフセットＯｆｆｓｅｔ１よりも少なくとも高いことに適用可能である。
【０１８７】
（４）第４の切替条件は、Ｍｎ＋Ｏｂｎ＋Ｏｆｎ−Ｈｙｓｔｅｒｅｓｉｓ＞Ｔｈｒｅｓｈｏｌｄ２である。
【０１８８】
Ｍｎは、候補ダウンリンク信号の信号品質を表し、Ｈｙｓｔｅｒｅｓｉｓは、振幅のヒステリシスを表し、Ｏｂｎは、候補ダウンリンク信号と関連付けられているオフセット値を表し、Ｏｆｎは、候補ダウンリンク信号と関連付けられている周波数オフセット値を表し、Ｔｈｒｅｓｈｏｌｄ２は、第２の閾値を表す。
【０１８９】
具体的には、第４の切替条件は、候補ダウンリンク信号の信号品質が向上することに適用可能である。
【０１９０】
（５）第５の切替条件は、Ｍｓ＋Ｈｙｓｔｅｒｅｓｉｓ＜Ｔｈｒｅｓｈｏｌｄ３であり、かつ、Ｍｎ＋Ｏｂｎ＋Ｏｆｎ−Ｈｙｓｔｅｒｅｓｉｓ＞Ｔｈｒｅｓｈｏｌｄ４である。
【０１９１】
Ｍｓは、現在のダウンリンク信号の信号品質を表し、Ｍｎは、候補ダウンリンク信号の信号品質を表し、Ｈｙｓｔｅｒｅｓｉｓは、振幅のヒステリシスを表し、Ｏｂｎは、候補ダウンリンク信号と関連付けられているオフセット値を表し、Ｏｆｎは、候補ダウンリンク信号と関連付けられている周波数オフセット値を表し、Ｔｈｒｅｓｈｏｌｄ３は、第３の閾値を表し、Ｔｈｒｅｓｈｏｌｄ４は、第４の閾値を表す。
【０１９２】
具体的には、第５の切替条件は、現在のダウンリンク信号の信号品質が低下し、候補ダウンリンク信号の信号品質が向上するということに適用可能である。
【０１９３】
本願では、各切替条件は、実際の要件に基づいて決定されてよい。これは、本願において限定されるものではない。各切替条件に基づいてランダムアクセスリソース切替を実行するために、端末の具体的な決定は、実際の要件に基づいて決定されてもよい。これは、本願において限定されるものではない。以下では、各切替条件、及び、切替条件に基づいて、ランダムアクセスリソース切替を実行することについての具体的な実施例を説明するために、複数の実施形態が用いられる。しかしながら、これは、後続の実施形態での説明に限定されるものではなく、端末は、実際の要件に基づいて、ランダムアクセスリソース切替の具体的な決定をさらに決定してよい。
【０１９４】
本願は、複数の切替条件を提供する。具体的には、どれが用いられるかは、実際の要件に基づいて、端末により決定され得る。これは本明細書において限定されるものではない。切替条件に基づいてリソース切替をどのように実行するかが、後続の実施形態において詳細に説明される。ここでは再び詳細を説明しない。
【０１９５】
本願において、前述のさまざまな信号品質変化を決定するために用いられる構成パラメータは、まとめて第１構成パラメータと称され得る。オプションで、第１構成パラメータのうちの１又は複数は、システム情報（ＳＩ）、残りのシステム情報（ＲＭＳＩ）、ダウンリンク物理制御チャネル（ＰＤＣＣＨ）、ダウンリンク制御情報（ＤＣＩ）、ＭＡＣ−ＣＥ及びＲＲＣシグナリングなどのうちの任意の１又は複数を用いることにより、ネットワークデバイスによって構成されてよい。オプションで、第１構成パラメータのうちの１又は複数は、プロトコルを用いることにより規定されてよい、又は、端末により予め格納され又は予め構成されてよい。
【０１９６】
オプションで、振幅のヒステリシス（ｈｙｓｔｅｒｅｓｉｓ）、タイムツートリガ（ＴｉｍｅＴｏＴｒｉｇｇｅｒ）、現在のダウンリンク信号と関連付けられているオフセット値Ｏｂｓ、現在のダウンリンク信号と関連付けられている周波数オフセット値Ｏｆｓ、候補ダウンリンク信号と関連付けられているオフセット値Ｏｂｎ、及び、候補ダウンリンク信号と関連付けられている周波数オフセット値Ｏｆｎは、デフォルトで０であってよい。
【０１９７】
２．プリアンブル伝送電力制御
【０１９８】
プリアンブル再伝送の成功率を向上させるために、前述のコンテンツで説明されるランダムアクセスリソース切替に加えて、プリアンブル伝送電力が、さらに増大され得る。しかしながら、プリアンブル伝送電力の増大は、別の端末に対する干渉を引き起こすかもしれない。プリアンブル再伝送の成功率を向上させて、同時にできるだけ干渉を減らすために、ビーム切替の間にプリアンブル伝送電力を増大することの原理が特定される必要がある。本明細書では、ビーム切替は、前述のコンテンツにおいて説明されるランダムアクセスリソース切替（すなわち、基地局ビーム切替に等しい）を含むだけでなく、端末ビーム切替又はビームペア（基地局ビーム−端末ビーム）切替を含むこともできる。
【０１９９】
具体的には、プリアンブル伝送電力の過度に急激なランピングを回避するために、複数回のビーム切替が、各パワーランピングレベル（ｐｏｗｅｒＲａｍｐｉｎｇＬｅｖｅｌ）で実行されてよい。具体的には、パワーランピングはＭ回のビーム切替ごとに一度だけ実行される。これは、ビームスイーピングの後に一度だけ、パワーランピングが実行されることに等しい。ここで、Ｍは、正の整数であり、ビームの切替回数の最大数、例えば、ランダムアクセスリソースの切替回数の最大数（すなわち、基地局ビームの切替回数の数に等しい）、端末ビームの切替回数の最大数、又は、ビームペアの切替回数の最大数より大きくはない。
【０２００】
具体的には、異なるビーム切替シナリオにおけるプリアンブル伝送電力制御ポリシが、複数の実施形態を用いることにより後で説明され、ここでは詳細を説明しない。
【０２０１】
本願では、信号品質は、以下の方式で具現化され得る。
【０２０２】
方式１：レイヤ１／レイヤ２／レイヤ３参照信号受信電力（Ｌ１／Ｌ２／Ｌ３  Ｒｅｆｅｒｅｎｃｅ  ｓｉｇｎａｌ  ｒｅｃｅｉｖｅｄ  ｐｏｗｅｒ、Ｌ１／Ｌ２／Ｌ３  ＲＳＲ）、すなわち、ダウンリンク信号について、参照信号であり、かつ、受信アンテナでの測定を通じて端末により取得されるリニア平均電力。
【０２０３】
方式２：レイヤ１／レイヤ２／レイヤ３参照信号の受信品質（Ｌ１／Ｌ２／Ｌ３  Ｒｅｆｅｒｅｎｃｅ  ｓｉｇｎａｌ  ｒｅｃｅｉｖｅｄ  ｑｕａｌｉｔｙ、Ｌ１／Ｌ２／Ｌ３  ＲＳＲＱ）。
【０２０４】
方式３：レイヤ１／レイヤ２／レイヤ３参照信号の信号対干渉プラス雑音比（Ｌ１／Ｌ２／Ｌ３  Ｒｅｆｅｒｅｎｃｅ  ｓｉｇｎａｌ  ｓｉｇｎａｌ  ｔｏ  ｉｎｔｅｒｆｅｒｅｎｃｅ  ａｎｄ  ｎｏｉｓｅ  ｒａｔｉｏ、Ｌ１/Ｌ２/Ｌ３  ＲＳ−ＳＩＮＲ）。
【０２０５】
信号品質は、パスロス（Ｐａｔｈ  Ｌｏｓｓ、ＰＬ）、基地局ダウンリンク参照信号の伝送電力、基地局伝送信号のゲイン（例えば、伝送ビームのビームフォーミングゲイン）、基地局受信信号のゲイン（例えば、受信ビームのビームフォーミングゲイン）、プリアンブル初期受信電力、基地局伝送信号のゲインと基地局受信信号のゲインとの間の差、端末ダウンリンク信号の受信信号のゲイン（例えば、受信ビームのビームフォーミングゲイン）、端末のアップリンクランダムアクセスプリアンブル伝送信号のゲイン（例えば、伝送ビームのビームフォーミングゲイン）、端末のランダムアクセスプリアンブル伝送電力、及び、端末のダウンリンク信号受信ビームのゲインと端末のアップリンクランダムアクセスプリアンブル伝送信号のゲインとの間の差のうちの少なくとも１つのパラメータに基づいて決定されてもよい。オプションで、基地局ダウンリンク参照信号の伝送電力、基地局伝送信号のゲイン、基地局受信信号のゲイン、基地局伝送信号のゲインと基地局受信信号のゲインとの間の差、端末ダウンリンク信号の受信信号のゲイン、端末のアップリンクランダムアクセスプリアンブル伝送信号のゲイン、端末のダウンリンク信号受信ビームのゲインと端末のアップリンクランダムアクセスプリアンブル伝送信号のゲインとの間の差及びＲＳＲＰのうちの少なくとも１つに基づいて、空間パスロスＰＬが決定される。オプションで、信号品質はＲＳＲＰであり、空間パスロス、基地局ダウンリンク参照信号の伝送電力、及び、基地局伝送信号のゲインに基づいてＲＳＲＰが決定され、例えば、ＲＳＲＰ＝基地局ダウンリンク参照信号の伝送電力＋基地局伝送信号ゲイン−空間パスロスである。オプションで、信号品質はＲＳＲＰであり、空間パスロス、端末ダウンリンク信号の受信信号のゲイン、端末のアップリンクランダムアクセスプリアンブル伝送信号のゲイン、端末のダウンリンク信号受信ビームのゲインと端末のアップリンクランダムアクセスプリアンブル伝送信号のゲインとの間の差により、ＲＳＲＰが決定され、例えば、ＲＳＲＰ＝基地局ダウンリンク参照信号の伝送電力＋端末のダウンリンク信号受信ビームのゲインと端末のアップリンクランダムアクセスプリアンブル伝送信号のゲインとの間の差である。ＬＴＥにおけるＲＳＲＰ、ＲＳＲＱ及びＲＳ−ＳＩＮＲはすべて、信号品質を測定するためのセルレベルのパラメータである。一方、本願におけるＲＳＲＰ、ＲＳＲＱ及びＲＳ−ＳＩＮＲは、信号品質を測定するためのビームレベルのパラメータである。
【０２０６】
オプションで、信号品質は、同期信号ブロックに基づいた測定を通じて端末により取得されてよく、例えば、ＳＳＳ及び／又はＰＢＣＨ  ＤＭＲＳに基づいた測定を通じて取得されてよい。オプションで、信号品質は、チャネル状態情報−ダウンリンク参照信号（ＣＳＩ−ＲＳ）などのダウンリンク参照信号に基づいた測定を通じて端末により取得されてよい。
【０２０７】
前述の主要な発明の原理に基づいて、以下では、複数の実施形態を用いることにより、各切替条件、及び、切替条件に基づいたランダムアクセスリソース切替解決手段を詳細に説明する。
（１）実施形態１
【０２０８】
本実施形態において、端末は、第１の切替条件に基づいて、ランダムアクセスリソース切替を実行する。図６に示されるように、第１の切替条件は、以下のように表現され得る。
Ｍｓ−Ｈｙｓｔｅｒｅｓｉｓ＞Ｔｈｒｅｓｈｏｌｄ１  （Ａ１−１）
【０２０９】
Ｍｓは、現在のダウンリンク信号の信号品質を表し、Ｈｙｓｔｅｒｅｓｉｓは、振幅のヒステリシスを表し、Ｔｈｒｅｓｈｏｌｄ１は、第１の閾値を表す。図中のＴｉｍｅＴｏＴｒｉｇｇｅｒは、タイムツートリガを表す。
【０２１０】
図６に示されるように、第１の切替条件が満たされると、現在のダウンリンク信号の信号品質が向上することを示す。
【０２１１】
本実施形態において、第１の切替条件が満たされた後に、端末は、以下のオペレーションを実行してよいが、以下のオペレーションを実行することに限定されるものではない。
【０２１２】
オプションで、端末は、ランダムアクセスを実行するために、現在のダウンリンク信号と関連付けられているランダムアクセスリソースを選択して、ランダムアクセスプリアンブルを再び又は複数回送信し続けてよい。
【０２１３】
オプションで、この段階の前に、端末が複数のダウンリンク信号を測定する場合、端末は、別のダウンリンク信号を測定することを直ちに、又は、タイムツートリガ（ＴｉｍｅＴｏＴｒｉｇｇｅｒ）の後に停止する。
【０２１４】
オプションで、端末が、直ちに、又は、タイムツートリガ（ＴｉｍｅＴｏＴｒｉｇｇｅｒ）の後に、より長い時間期間を用いることによって現在のダウンリンク信号の信号品質を測定する。
【０２１５】
本実施形態において、第１の切替条件が満たされた後に、端末は、実際の要件に基づいて別のオペレーションをさらに実行してよい。これは本明細書において限定されるものではない。さらに、第１の切替条件は、不等式（Ａ１−１）に限定されるものではなく、実際の要件に基づいて適宜修正されてもよい。これは本明細書において限定されるものではない。
【０２１６】
オプションで、第１の切替条件の逆の条件は、以下のように表現され得る。
Ｍｓ＋Ｈｙｓｔｅｒｅｓｉｓ＜Ｔｈｒｅｓｈｏｌｄ１  （Ａ１−２）
【０２１７】
オプションで、第１の切替条件の逆の条件が満たされる場合、第１の切替条件が満たされた後に実行される前回の関連するオペレーション、例えば、前述のいくつかの任意のオペレーションが停止されてよい。これに限定されるものではなく、端末は、実際の要件に基づいて別のオペレーションをさらに実行してよい。これは本明細書において限定されるものではない。さらに、第１の切替条件の逆の条件は、不等式（Ａ１−２）に限定されるものではなく、実際の要件に基づいて適宜修正されてもよい。これは本明細書において限定されるものではない。
（２）実施形態２
【０２１８】
本実施形態において、端末は、第２の切替条件に基づいて、ランダムアクセスリソース切替を実行する。図７に示されるように、第２の切替条件は、以下のように表現され得る。
Ｍｓ＋Ｈｙｓｔｅｒｅｓｉｓ＜Ｔｈｒｅｓｈｏｌｄ１  （Ａ２−１）
【０２１９】
Ｍｓは、現在のダウンリンク信号の信号品質を表し、Ｈｙｓｔｅｒｅｓｉｓは、振幅のヒステリシスを表し、Ｔｈｒｅｓｈｏｌｄ１は、第１の閾値を表す。図中のＴｉｍｅＴｏＴｒｉｇｇｅｒは、タイムツートリガを表す。
【０２２０】
図７に示されるように、第２の切替条件が満たされる場合、現在のダウンリンク信号の信号品質が低下することを示す。
【０２２１】
本実施形態において、第２の切替条件が満たされた後に、端末は、以下のオペレーションを実行してよいが、以下のオペレーションを実行することに限定されるものではない。
【０２２２】
オプションで、端末は、ランダムアクセスを実行するために、現在のダウンリンク信号と関連付けられているランダムアクセスリソースを選択して、ランダムアクセスプリアンブルを再び又は複数回送信し続けてよい。
【０２２３】
オプションで、この段階の前に、端末が現在のダウンリンク信号のみを測定する場合、端末は、別のダウンリンク信号又は複数の他のダウンリンク信号の測定を直ちに、又は、タイムツートリガ（ＴｉｍｅＴｏＴｒｉｇｇｅｒ）の後に開始する。オプションで、この段階の前に、端末が複数のダウンリンク信号を測定する場合、端末は、別のダウンリンク信号又は複数の他のダウンリンク信号の信号品質を測定し続ける。本明細書において、端末により測定されるダウンリンク信号の数は、ダウンリンク信号の総数Ｎを越えない。
【０２２４】
オプションで、端末が、直ちに、又は、タイムツートリガ（ＴｉｍｅＴｏＴｒｉｇｇｅｒ）の後に、より短い時間期間を用いることによって現在のダウンリンク信号の信号品質又は別のダウンリンク信号の信号品質を測定する。
【０２２５】
本実施形態において、第２の切替条件が満たされた後に、端末は、実際の要件に基づいて別のオペレーションをさらに実行してよい。これは本明細書において限定されるものではない。さらに、第２の切替条件は、不等式（Ａ２−１）に限定されるものではなく、実際の要件に基づいて適宜修正されてもよい。これは本明細書において限定されるものではない。
【０２２６】
オプションで、第２の切替条件の逆の条件は、以下のように表現され得る。
Ｍｓ−Ｈｙｓｔｅｒｅｓｉｓ＞Ｔｈｒｅｓｈｏｌｄ１  （Ａ２−２）
【０２２７】
オプションで、第２の切替条件の逆の条件が満たされる場合、第２の切替条件が満たされた後に実行される前回の関連するオペレーション、例えば、前述のいくつかの任意のオペレーションが停止されてよい。これに限定されるものではなく、端末は、実際の要件に基づいて別のオペレーションをさらに実行してよい。これは本明細書において限定されるものではない。さらに、第２の切替条件の逆の条件は、不等式（Ａ２−２）に限定されるものではなく、実際の要件に基づいて適宜修正されてもよい。これは本明細書において限定されるものではない。
（３）実施形態３
【０２２８】
本実施形態において、端末は、第３の切替条件に基づいて、ランダムアクセスリソース切替を実行する。図６に示されるように、第３の切替条件は、以下のように表現され得る。
Ｍｎ＋Ｏｂｎ＋Ｏｆｎ−Ｈｙｓｔｅｒｅｓｉｓ＞Ｍｓ＋Ｏｂｓ＋Ｏｆｓ＋Ｏｆｆｓｅｔ１  （Ａ３−１）
【０２２９】
Ｍｓは、現在のダウンリンク信号の信号品質を表し、Ｍｎは、候補ダウンリンク信号の信号品質を表し、Ｈｙｓｔｅｒｅｓｉｓは、振幅のヒステリシスを表し、Ｏｂｎは、候補ダウンリンク信号と関連付けられているオフセット値を表し、Ｏｆｎは、候補ダウンリンク信号と関連付けられている周波数オフセット値を表し、Ｏｂｓは、現在のダウンリンク信号と関連付けられているオフセット値を表し、Ｏｆｓは、現在のダウンリンク信号と関連付けられている周波数オフセット値を表し、Ｏｆｆｓｅｔ１は、第１のオフセットを表す。図中のＴｉｍｅＴｏＴｒｉｇｇｅｒは、タイムツートリガを表す。
【０２３０】
図８に示されるように、第３の切替条件が満たされる場合、候補ダウンリンク信号の信号品質が現在のダウンリンク信号の信号品質よりも高くなり、第１のオフセットＯｆｆｓｅｔ１よりも少なくとも高いことを示す。ここでは、１又は複数の候補ダウンリンク信号があり得る。
【０２３１】
本実施形態において、第３の切替条件が満たされた後に、端末は、以下のオペレーションを実行してよいが、以下のオペレーションを実行することに限定されるものではない。
【０２３２】
オプションで、端末は、ランダムアクセスを実行するために、候補ダウンリンク信号と関連付けられているランダムアクセスリソースに切り替えて、ランダムアクセスプリアンブルを再び送信してよい。オプションで、ランダムアクセスリソース切替の間、端末は、現在の周波数帯域又は別の周波数帯域上の候補ダウンリンク信号と関連付けられているランダムアクセスリソースに切り替えることを選択してよい。
【０２３３】
オプションで、端末によりすでに実行されているランダムアクセスプリアンブル伝送の回数がＫより大きい場合のみ、端末は、候補ダウンリンク信号と関連付けられているランダムアクセスリソースに切り替える。言い換えれば、すでに実行されているランダムアクセスプリアンブル伝送の回数がＫを超えない場合、端末は、現在のダウンリンク信号と関連付けられているランダムアクセスリソースを用いることによってランダムアクセスを実行し続ける。ここで、Ｋは正の整数である。
【０２３４】
オプションで、端末により受信されたランダムアクセス再伝送バックオフ値がＴより大きい場合のみ、端末は、候補ダウンリンク信号と関連付けられているランダムアクセスリソースに切り替える。言い換えれば、受信したランダムアクセス再伝送バックオフ値がＴを超えない場合、端末は、現在のダウンリンク信号と関連付けられているランダムアクセスリソースを用いてランダムアクセスを実行し続ける。ここで、Ｔは正数である。
【０２３５】
前述の二つの任意のオペレーションは、主に、ダウンリンク信号と関連付けられているランダムアクセスリソース上での再伝送の回数が特定の回数を超えた後に、端末が別のダウンリンク信号と関連付けられているランダムアクセスリソースを用いることによってランダムアクセスを実行し得るシナリオに適用可能である。例えば、いくつかのダウンリンク信号と関連付けられているランダムアクセスリソースに比較的多くの数の端末があり、これが、結果として、比較的高い競合確率又は比較的大きな伝送バックオフ値をもたらす。この場合、これらのビームにおいて端末が、特定の回数、プリアンブルを再伝送した後に、ランダムアクセスリソース切替が考慮され得る。
【０２３６】
オプションで、端末は、直ちに、又は、タイムツートリガ（ＴｉｍｅＴｏＴｒｉｇｇｅｒ）の後に、現在のダウンリンク信号を測定することを停止し、候補ダウンリンク信号と関連付けられているランダムアクセスリソースを選択して、ランダムアクセスを実行してよい。
【０２３７】
オプションで、候補ダウンリンク信号と関連付けられているランダムアクセスリソースに切り替えた後に、端末は、より長い時間期間を用いることによって、ランダムアクセスリソース切替前の現在のダウンリンク信号の信号品質を測定してよい。オプションで、ランダムアクセスリソースを切り替えた後に、端末デバイスは、ランダムアクセスリソース切替前の現在のダウンリンク信号の信号品質を測定することを停止してよい。
【０２３８】
本実施形態において、第３の切替条件が満たされた後に、端末は、実際の要件に基づいて別のオペレーションをさらに実行してよい。これは本明細書において限定されるものではない。さらに、第３の切替条件のエントリ条件は、不等式（Ａ３−１）に限定されるものではなく、実際の要件に基づいて適宜修正されてもよい。これは本明細書において限定されるものではない。
【０２３９】
オプションで、第３の切替条件の逆の条件は、以下のように表現され得る。
Ｍｎ＋Ｏｂｎ＋Ｏｆｎ＋Ｈｙｓｔｅｒｅｓｉｓ＜Ｍｓ＋Ｏｂｓ＋Ｏｆｓ＋Ｏｆｆｓｅｔ１  （Ａ３−２）
【０２４０】
具体的には、第３の切替条件の逆の条件が満たされる場合、端末は、以下のオペレーションを実行してよいが、以下のオペレーションを実行することに限定されるものではない。
【０２４１】
オプションで、端末は、ランダムアクセスを実行するために、現在のダウンリンク信号と関連付けられているランダムアクセスリソースを選択して、ランダムアクセスプリアンブルを再び又は複数回送信し続けてよい。
【０２４２】
オプションで、端末は、直ちに、又は、タイムツートリガ（ＴｉｍｅＴｏＴｒｉｇｇｅｒ）の後に、より短い時間期間を用いることによって現在のダウンリンク信号又は候補ダウンリンク信号の信号品質を測定してよい。
【０２４３】
本実施形態において、第３の切替条件を抜けた後に、端末は、実際の要件に基づいて別のオペレーションをさらに実行してよい。これは本明細書において限定されるものではない。さらに、第３の切替条件の逆の条件は、不等式（Ａ３−２）に限定されるものではなく、実際の要件に基づいて適宜修正されてもよい。これは本明細書において限定されるものではない。
【０２４４】
本実施形態では、ランダムアクセス手順において端末により実行されるランダムアクセスリソース切替の総回数は、ダウンリンク信号の総数Ｎを越えない。
（４）実施形態４
【０２４５】
本実施形態において、端末は、第４の切替条件に基づいてランダムアクセスリソース切替を実行する。図９に示されるように、第４の切替条件は、以下のように表現され得る。
Ｍｎ＋Ｏｂｎ＋Ｏｆｎ−Ｈｙｓｔｅｒｅｓｉｓ＞Ｔｈｒｅｓｈｏｌｄ２  （Ａ４−１）
【０２４６】
Ｍｎは、候補ダウンリンク信号の信号品質を表し、Ｈｙｓｔｅｒｅｓｉｓは、振幅のヒステリシスを表し、Ｏｂｎは、候補ダウンリンク信号と関連付けられているオフセット値を表し、Ｏｆｎは、候補ダウンリンク信号と関連付けられている周波数オフセット値を表し、Ｔｈｒｅｓｈｏｌｄ２は、第２の閾値を表す。図中のＴｉｍｅＴｏＴｒｉｇｇｅｒは、タイムツートリガを表す。
【０２４７】
図９に示されるように、第４の切替条件が満たされる場合、候補ダウンリンク信号の信号品質が向上されることを示す。ここでは、１又は複数の候補ダウンリンク信号があり得る。
【０２４８】
本実施形態において、第４の切替条件が満たされた後に、端末は、以下のオペレーションを実行してよいが、以下のオペレーションに限定されるものではない。
【０２４９】
オプションで、端末は、ランダムアクセスを実行するために、候補ダウンリンク信号と関連付けられているランダムアクセスリソースに切り替えて、ランダムアクセスプリアンブルを再び送信してよい。オプションで、ランダムアクセスリソース切替の間、端末は、現在の周波数帯域又は別の周波数帯域上の候補ダウンリンク信号と関連付けられているランダムアクセスリソースに切り替えることを選択してよい。
【０２５０】
オプションで、端末は、直ちに、又は、タイムツートリガ（ＴｉｍｅＴｏＴｒｉｇｇｅｒ）の後に、現在のダウンリンク信号を測定することを停止し、候補ダウンリンク信号と関連付けられているランダムアクセスリソースを選択して、ランダムアクセスを実行してよい。
【０２５１】
オプションで、候補ダウンリンク信号と関連付けられているランダムアクセスリソースに切り替えた後に、端末は、より長い時間期間を用いることによって、ランダムアクセスリソース切替前の現在のダウンリンク信号の信号品質を測定してよい。オプションで、ランダムアクセスリソースを切り替えた後に、端末は、ランダムアクセスリソース切替前の現在のダウンリンク信号の信号品質を測定することを停止してよい。
【０２５２】
各ダウンリンク信号と関連付けられているランダムアクセスリソースの負荷（ｌｏａｄ）又は端末の数がさらに考慮される。第４の切替条件が満たされた後に、端末は、以下のオペレーションを実行してよいが、以下のオペレーションを実行することに限定されるものではない。
【０２５３】
オプションで、端末によりすでに実行されているランダムアクセスプリアンブル伝送の回数がＫより大きい場合のみ、端末は、候補ダウンリンク信号と関連付けられているランダムアクセスリソースに切り替える。言い換えれば、すでに実行されているランダムアクセスプリアンブル伝送の回数がＫを超えない場合、端末は、現在のダウンリンク信号と関連付けられているランダムアクセスリソースを用いることによってランダムアクセスを実行し続ける。ここで、Ｋは正の整数である。
【０２５４】
オプションで、端末により受信されたランダムアクセス再伝送バックオフ値がＴより大きい場合のみ、端末は、候補ダウンリンク信号と関連付けられているランダムアクセスリソースに切り替える。言い換えれば、受信したランダムアクセス再伝送バックオフ値がＴを超えない場合、端末は、現在のダウンリンク信号と関連付けられているランダムアクセスリソースを用いてランダムアクセスを実行し続ける。ここで、Ｔは正数である。
【０２５５】
前述の二つの任意のオペレーションは、主に、ダウンリンク信号と関連付けられているランダムアクセスリソース上での再伝送の回数が特定の回数を超えた後に、端末が別のダウンリンク信号と関連付けられているランダムアクセスリソースを用いることによってランダムアクセスを実行し得るシナリオに適用可能である。例えば、いくつかのダウンリンク信号と関連付けられているランダムアクセスリソースに比較的多くの数の端末があり、これが、結果として、比較的高い競合確率又は比較的大きな伝送バックオフ値をもたらす。この場合、これらのビームにおいて端末が、特定の回数、プリアンブルを再伝送した後に、ランダムアクセスリソース切替が考慮され得る。
【０２５６】
本実施形態において、第４の切替条件が満たされた後に、端末は、実際の要件に基づいて別のオペレーションをさらに実行してよい。これは本明細書において限定されるものではない。さらに、第４の切替条件は、不等式（Ａ４−１）に限定されるものではなく、実際の要件に基づいて適宜修正されてもよい。これは本明細書において限定されるものではない。
【０２５７】
オプションで、第４の切替条件の逆の条件は、以下のように表現され得る。
Ｍｎ＋Ｏｂｎ＋Ｏｆｎ＋Ｈｙｓｔｅｒｅｓｉｓ＜Ｔｈｒｅｓｈｏｌｄ２  （Ａ４−２）
【０２５８】
具体的には、第４の切替条件の逆の条件が満たされる場合、端末は、以下のオペレーションを実行してよいが、以下のオペレーションを実行することに限定されるものではない。
【０２５９】
オプションで、端末は、ランダムアクセスを実行するために、現在のダウンリンク信号と関連付けられているランダムアクセスリソースを選択して、ランダムアクセスプリアンブルを再び又は複数回送信し続けてよい。
【０２６０】
オプションで、端末は、直ちに、又は、タイムツートリガ（ＴｉｍｅＴｏＴｒｉｇｇｅｒ）の後に、より短い時間期間を用いることによって現在のダウンリンク信号の信号品質又は候補ダウンリンク信号の信号品質を測定してよい。
【０２６１】
本実施形態において、第４の切替条件の逆の条件が満たされた後に、端末は、実際の要件に基づいて別のオペレーションをさらに実行してよい。これは本明細書において限定されるものではない。さらに、第４の切替条件の逆の条件は、不等式（Ａ４−２）に限定されるものではなく、実際の要件に基づいて適宜修正されてもよい。これは本明細書において限定されるものではない。
【０２６２】
本実施形態では、ランダムアクセス手順において端末により実行されるランダムアクセスリソース切替の総回数は、ダウンリンク信号の総数Ｎを越えない。
（５）実施形態５
【０２６３】
本実施形態において、端末は、第５の切替条件に基づいて、ランダムアクセスリソース切替を実行する。図１０に示されるように、第５の切替条件は、以下のように表現され得る。
Ｍｓ＋Ｈｙｓｔｅｒｅｓｉｓ＜Ｔｈｒｅｓｈｏｌｄ３  （Ａ５−１）、かつ、
Ｍｎ＋Ｏｂｎ＋Ｏｆｎ−Ｈｙｓｔｅｒｅｓｉｓ＞Ｔｈｒｅｓｈｏｌｄ４  （Ａ５−２）
【０２６４】
Ｍｓは、現在のダウンリンク信号の信号品質を表し、Ｍｎは、候補ダウンリンク信号の信号品質を表し、Ｈｙｓｔｅｒｅｓｉｓは、振幅のヒステリシスを表し、Ｏｂｎは、候補ダウンリンク信号と関連付けられているオフセット値を表し、Ｏｆｎは、候補ダウンリンク信号と関連付けられている周波数オフセット値を表し、Ｔｈｒｅｓｈｏｌｄ３は、第３の閾値を表し、Ｔｈｒｅｓｈｏｌｄ４は、第４の閾値を表す。図中のＴｉｍｅＴｏＴｒｉｇｇｅｒは、タイムツートリガを表す。
【０２６５】
図１０に示されるように、第５の切替条件が満たされる場合、言い換えれば、不等式（Ａ５−１）及び不等式（Ａ５−２）の両方が満たされる場合、現在のダウンリンク信号の信号品質が低下（第３の閾値よりも低い）しており、候補ダウンリンク信号の信号品質が向上している（第４の閾値よりも低い）ことを示す。ここでは、１又は複数の候補ダウンリンク信号があり得る。
【０２６６】
本実施形態において、第５の切替条件が満たされた後に、端末は、以下のオペレーションを実行してよいが、以下のオペレーションを実行することに限定されるものではない。
【０２６７】
オプションで、端末は、ランダムアクセスを実行するために、候補ダウンリンク信号と関連付けられているランダムアクセスリソースに切り替えて、ランダムアクセスプリアンブルを再び送信してよい。オプションで、ランダムアクセスリソース切替の間、端末は、現在の周波数帯域又は別の周波数帯域上の候補ダウンリンク信号と関連付けられているランダムアクセスリソースに切り替えることを選択してよい。
【０２６８】
オプションで、端末は、直ちに、又は、タイムツートリガ（ＴｉｍｅＴｏＴｒｉｇｇｅｒ）の後に、現在のダウンリンク信号を測定することを停止し、候補ダウンリンク信号と関連付けられているランダムアクセスリソースを選択して、ランダムアクセスを実行してよい。
【０２６９】
オプションで、候補ダウンリンク信号と関連付けられているランダムアクセスリソースに切り替えた後に、端末は、より長い時間期間を用いることによって、ランダムアクセスリソース切替前の現在のダウンリンク信号の信号品質を測定してよい。オプションで、ランダムアクセスリソースを切り替えた後に、端末は、ランダムアクセスリソース切替前の現在のダウンリンク信号の信号品質を測定することを停止してよい。
【０２７０】
いくつかの任意の実施形態において、不等式（Ａ５−１）又は（Ａ５−２）のいずれか一方が満たされた場合、端末は、候補ダウンリンク信号と関連付けられているランダムアクセスリソースに切り替えてランダムアクセスを実行してよい。
【０２７１】
各ダウンリンク信号と関連付けられているランダムアクセスリソースの負荷（ｌｏａｄ）又は端末の数がさらに考慮される。第５の切替条件が満たされた後に、端末は、以下のオペレーションを実行してよいが、以下のオペレーションを実行することに限定されるものではない。
【０２７２】
オプションで、端末によりすでに実行されているランダムアクセスプリアンブル伝送の回数がＫより大きい場合のみ、端末は、候補ダウンリンク信号と関連付けられているランダムアクセスリソースに切り替える。言い換えれば、すでに実行されているランダムアクセスプリアンブル伝送の回数がＫを超えない場合、端末は、現在のダウンリンク信号と関連付けられているランダムアクセスリソースを用いることによってランダムアクセスを実行し続ける。ここで、Ｋは正の整数である。
【０２７３】
オプションで、端末により受信されたランダムアクセス再伝送バックオフ値がＴより大きい場合のみ、端末は、候補ダウンリンク信号と関連付けられているランダムアクセスリソースに切り替える。言い換えれば、受信したランダムアクセス再伝送バックオフ値がＴを超えない場合、端末は、現在のダウンリンク信号と関連付けられているランダムアクセスリソースを用いてランダムアクセスを実行し続ける。ここで、Ｔは正数である。
【０２７４】
前述の二つの任意のオペレーションは、主に、ダウンリンク信号と関連付けられているランダムアクセスリソース上での再伝送の回数が特定の回数を超えた後に、端末が別のダウンリンク信号と関連付けられているランダムアクセスリソースを用いることによってランダムアクセスを実行し得るシナリオに適用可能である。例えば、いくつかのダウンリンク信号に比較的多くの数の端末があり、これが、結果として、比較的高い競合確率又は比較的大きな伝送バックオフ値をもたらす。この場合、これらのビームにおいて端末が、特定の回数、プリアンブルを再伝送した後に、ランダムアクセスリソース切替が考慮され得る。
【０２７５】
本実施形態において、第５の切替条件が満たされた後に、端末は、実際の要件に基づいて別のオペレーションをさらに実行してよい。これは本明細書において限定されるものではない。さらに、第５の切替条件は、不等式（Ａ５−１）及び（Ａ５−２）に限定されるものではなく、実際の要件に基づいて適宜修正されてもよい。これは本明細書において限定されるものではない。
【０２７６】
オプションで、第５の切替条件の逆の条件は、以下のように表現され得る。
Ｍｓ−Ｈｙｓｔｅｒｅｓｉｓ３＞Ｔｈｒｅｓｈｏｌｄ３  （Ａ６−１）、かつ、
Ｍｎ＋Ｏｂｎ＋Ｏｆｎ＋Ｈｙｓｔｅｒｅｓｉｓ４＜Ｔｈｒｅｓｈｏｌｄ４  （Ａ６−２）
【０２７７】
具体的には、第５の切替条件のいずれかの逆の条件が満たされる場合、端末は、以下のオペレーションを実行してよいが、以下のオペレーションを実行することに限定されるものではない。
【０２７８】
オプションで、端末は、ランダムアクセスを実行するために、現在のダウンリンク信号と関連付けられているランダムアクセスリソースを選択して、ランダムアクセスプリアンブルを再び又は複数回送信し続けてよい。
【０２７９】
オプションで、端末は、直ちに、又は、タイムツートリガ（ＴｉｍｅＴｏＴｒｉｇｇｅｒ）の後に、より短い時間期間を用いることによって現在のダウンリンク信号又は候補ダウンリンク信号の信号品質を測定してよい。
【０２８０】
本実施形態において、第５の切替条件の逆の条件が満たされた後に、端末は、実際の要件に基づいて別のオペレーションをさらに実行してよい。これは本明細書において限定されるものではない。さらに、第５の切替条件の逆の条件は、不等式（Ａ６−１）及び（Ａ６−２）に限定されるものではなく、実際の要件に基づいて適宜修正されてもよい。これは本明細書において限定されるものではない。
【０２８１】
本実施形態では、ランダムアクセス手順において端末により実行されるランダムアクセスリソース切替の総回数は、ダウンリンク信号の総数Ｎを越えない。
（６）実施形態６
【０２８２】
本実施形態は、同じダウンリンクビームを用いることによって、複数の異なる周波数帯域上でネットワークデバイスにより複数のダウンリンク信号が個別に送信されるシナリオに適用可能である。現在のダウンリンク信号及び候補ダウンリンク信号はそれぞれ、現在の周波数帯域及び候補周波数帯域に対応する。異なる周波数帯域上のダウンリンク信号は、異なるランダムアクセスリソースと個別に関連付けられている。
【０２８３】
同じダウンリンクビームに対して、周波数帯域上の比較的多くの数の端末が、結果として、周波数帯域上で、比較的高い競合確率又は比較的大きな伝送バックオフ値又はディープフェージングをもたらし得る。この場合、ランダムアクセスリソース切替が考慮され得る。
【０２８４】
具体的には、端末は、実施形態１から実施形態５におけるいずれかのランダムアクセスリソース切替解決手段を参照してよく、現在の周波数帯域で受信されるダウンリンク信号の測定された信号品質及び候補周波数帯域で受信されるダウンリンク信号の測定された信号品質に基づいて、ランダムアクセスリソース切替を同様の方式で実行する。
【０２８５】
具体的には、実施形態１から実施形態５を参照すると、信号品質は、各周波数帯域で送信されるダウンリンク信号の信号品質と置き換えられてよく、ダウンリンク信号と関連付けられているオフセット値は、各周波数帯域で送信されるダウンリンク信号と関連付けられている信号オフセット値と置き換えられてよく、ダウンリンク信号と関連付けられている周波数オフセット値は、各周波数帯域で送信されるダウンリンク信号と関連付けられている周波数オフセット値と置き換えられてよい。周波数帯域切替の実施例については、実施形態１から実施形態５を参照されたい。ここでは再び詳細を説明しない。
【０２８６】
オプションで、端末は、複数のダウンリンク信号を測定する。最も高い信号品質を有するダウンリンク信号の信号品質が、予め格納され又は予め構成された閾値、又は、基地局により規定される閾値を越えていない場合、端末は、ダウンリンクランダムアクセスリソース切替を実行することが認められていない。別の実施形態において、端末は複数のダウンリンク信号を測定する。最も高い信号品質を有するダウンリンク信号の信号品質が、予め格納され又は予め構成された閾値、又は、基地局により規定される閾値を越えていない場合、端末により実行されることが認められているダウンリンクランダムアクセスリソース切替の回数が、予め格納され又は予め構成された閾値回数、又は、基地局により規定される閾値回数を越えていない。
（７）実施形態７
【０２８７】
実施形態において、以下の条件のうちの任意の１又は複数が満たされる場合、端末は、ランダムアクセスリソース切替を実行しない。
【０２８８】
１．基地局の構成情報が、再伝送プロセスにおいて、端末がランダムアクセスリソースを切り替えることを許可されていないことを示す。
【０２８９】
２．基地局の構成情報が、再伝送プロセスにおいて、端末がランダムアクセスリソースを切り替えることを許容されているが、すべての測定されたダウンリンク信号の信号品質が、予め格納され又は予め構成された閾値又は基地局により規定された閾値よりも低いことを示す。
【０２９０】
３．基地局の構成情報が、再伝送プロセスにおいて、端末がランダムアクセスリソースを切り替えることを許可されているが、すべての候補ダウンリンク信号の測定された信号品質とすべての現在のダウンリンク信号の測定された信号品質との間の差が、予め格納され又は予め構成された閾値、又は、基地局により規定された閾値よりも小さいことを示す。
【０２９１】
実施形態において、基地局の構成情報は、再伝送プロセスにおいて、端末がランダムアクセスリソースを切り替えることを許容されていること、又は、再伝送プロセスにおいて、端末がランダムアクセスリソースを切り替えるか否かを決定することを前提として、以下の条件のうちの任意の数が満たされる場合、端末が、ランダムアクセスリソースを切り替えることを決定する／決定してよい／決定すべきである、ということを示す。
【０２９２】
１．候補ダウンリンク信号の信号品質が、第５の閾値を超える場合、又は、候補ダウンリンク信号の信号品質が現在のダウンリンク信号の信号品質よりも高く、第１のオフセットよりも少なくとも高い場合、端末が、候補ダウンリンク信号と関連付けられているランダムアクセスリソースを用いることによって、ランダムアクセスプリアンブル再伝送を実行する。オプションで、第５の閾値は、前述のいくつかの実施形態で言及した第１の閾値、第２の閾値、第３の閾値又は第４の閾値であってよい。オプションで、第１のオフセットは、前述のいくつかの実施形態で言及した第１のオフセットであってよい。
【０２９３】
２．ランダムアクセスプリアンブルを送信した後に、端末が、対応するランダムアクセスリソース応答を受信しない。
【０２９４】
３．ランダムアクセス手順においてメッセージ３の送信に失敗した場合、又は、ランダムアクセス手順において競合解消に失敗した場合、端末が、現在のダウンリンク信号と関連付けられているランダムアクセスリソースとは異なるランダムアクセスリソースを用いることによって、ランダムアクセスプリアンブル再伝送を実行する。
【０２９５】
オプションで、条件１及び３の両方が満たされる場合、端末は、現在のダウンリンク信号と関連付けられているランダムアクセスリソースから、候補ダウンリンク信号と関連付けられているランダムアクセスリソースに切り替えてよい。
【０２９６】
オプションで、本実施形態におけるランダムアクセスリソース切替を許可しないための条件、及び、ランダムアクセスリソース切替を許可するための条件は、任意の方式で、実施形態１から実施形態６のうちの少なくとも１つの切替条件と組み合わされてよい。例えば、ランダムアクセスリソース切替を許可するための条件１は、実施形態２、実施形態３、実施形態４、実施形態５及び実施形態６のうちの少なくとも１つ切替条件のいずれかと組み合わされてよい。例は、組み合わせ方式に過ぎず、実際の適用において限定されるものではない。
【０２９７】
前述の主要な発明の原理に基づいて、以下では、複数の実施形態を用いることにより、異なるビーム切替シナリオにおけるプリアンブル伝送電力制御ポリシを詳細に説明する。
【０２９８】
まず、実施形態が説明される前に、実施形態における専門用語が最初に説明される。
【０２９９】
１．ランダムアクセスプリアンブルの伝送回数の数（ＰＲＥＡＭＢＬＥ＿ＴＲＡＮＳＭＩＳＳＩＯＮ＿ＣＯＵＮＴＥＲ）は、ランダムアクセスプリアンブル再伝送の総数である。
【０３００】
２．端末ビームの切替回数の最大数は、パワーランピングレベルで実行される端末ビーム切替の回数、又は、パワーランピングレベルでの再伝送のために用いられる端末ビームの数である。
【０３０１】
３．基地局ビームの切替回数の最大数は、パワーランピングレベルで実行される基地局ビーム切替の回数、又は、パワーランピングレベルでの再伝送のために用いられる基地局ビーム（基地局ビームに対応するダウンリンク信号と関連付けられているランダムアクセスリソース）の数である。
【０３０２】
４．ビームペアの切替回数の最大数は、パワーランピングレベルで実行される端末ビーム−基地局ビームペア切替の回数、又は、パワーランピングレベルでの再伝送のために用いられる端末ビーム及び対応する基地局ビーム（基地局ビームに対応するダウンリンク信号と関連付けられているランダムアクセスリソース）の数である。具体的には、ダウンリンク信号と関連付けられているランダムアクセスリソースが切り替えられる場合、端末ビームが切り替えられ又は切り替えられない、又は、端末ビーム切替は、現在のダウンリンク信号と関連付けられているランダムアクセスリソースに対して維持される。
【０３０３】
５．伝送回数の閾値パラメータは、基地局ビーム（又は、ランダムアクセスリソース切替）の連続的な切替を行わない、及び／又は、端末伝送ビームの切替を行わないことを可能にするためのランダムアクセスプリアンブルの伝送回数の最大数である。
【０３０４】
６．ダウンリンク参照信号の伝送電力（ｒｅｆｅｒｅｎｃｅＳｉｇｎａｌＰｏｗｅｒ）は、ＳＳブロック内のセカンダリ同期信号ＳＳＳの伝送電力及び／又はＤＭＲＳである。
【０３０５】
７．パワーランピングステップ（ｐｏｗｅｒＲａｍｐｉｎｇＳｔｅｐ）は、各プリアンブル伝送に対応するパワーランピングレベルを指す。
【０３０６】
８．プリアンブル初期受信目標電力（ｐｒｅａｍｂｌｅＩｎｉｔｉａｌＲｅｃｅｉｖｅｄＴａｒｇｅｔＰｏｗｅｒ）は、ネットワークデバイスにより予期されるプリアンブル受信電力である。
【０３０７】
９．プリアンブルフォーマットは、ランダムアクセスプリアンブルのフォーマットである。
【０３０８】
１０．最大パワーランピングレベルは初期伝送（パワーランピングカウンタ）と比較したパワーランピングの回数（パワーランピングカウンタ）を指す。最大パワーランピングレベルは、ランピング後に得られる電力（例えば、２において、ｐｏｗｅｒＲａｍｐｉｎｇＬｅｖｅｌ＊ｐｏｗｅｒＲａｍｐｉｎｇＳｔｅｐがランピング後に取得される電力である）を決定するために、パワーランピングステップｐｏｗｅｒＲａｍｐｉｎｇＳｔｅｐと組み合わせて用いられる。
【０３０９】
１１．プリアンブル受信目標電力（ＰＲＥＡＭＢＬＥ＿ＲＥＣＥＩＶＥＤ＿ＴＡＲＧＥＴ＿ＰＯＷＥＲ）は、ネットワークデバイスによりプリアンブルが実際に受信される電力である。
【０３１０】
１２．パスロス（ＰＬ＿ｃ）は、基地局と端末との間の通信リンクのパスロスである。
【０３１１】
そして、以下の説明は、基地局ビーム切替、端末ビーム切替及び端末ビーム−基地局ビームペア切替が考慮される。
【０３１２】
（１）基地局ビーム切替は、本願で言及されるランダムアクセスリソース切替に等しく、現在のプリアンブル再伝送に用いられるランダムアクセスリソースは、前回のプリアンブル伝送におけるダウンリンク信号とは異なるダウンリンク信号と関連付けられているランダムアクセスリソースから来ることを意味する。対応して、基地局ビームの空間受信パラメータは異なり得る。例えば、ある基地局ビームの以下のパラメータのうちの少なくとも１つは、別の基地局ビームのパラメータとは異なり、パラメータは、到来角ＡｏＡ（ａｎｇｌｅ  ｏｆ  ａｒｒｉｖａｌ）、主到来角Ｄｏｍｉｎａｎｔ  ＡｏＡ、平均到来角、到来角のパワー角スペクトル（ｐｏｗｅｒ  ａｎｇｕｌａｒ  ｓｐｅｃｔｒｕｍ  （ＰＡＳ）  ｏｆ  ＡｏＡ）、発信角ＡｏＤ（ａｎｇｌｅ  ｏｆ  ｄｅｐａｒｔｕｒｅ）、主発信角、平均発信角、発信角のパワー角スペクトル、基地局伝送ビームのビームフォーミング、基地局受信ビームのビームフォーミング、空間チャネルの相関関係、平均チャネルゲイン、平均チャネル遅延、遅延拡散ｄｅｌａｙ  ｓｐｒｅａｄ及びドップラー拡散Ｄｏｐｐｌｅｒ  ｓｐｒｅａｄなどである。
【０３１３】
（２）端末ビーム切替は、ランダムアクセスプリアンブル再伝送の間、現在のプリアンブル再伝送に用いられる空間受信パラメータ及び／又はアンテナポートが、前回のプリアンブル伝送とは異なることを意味する。例えば、ある端末ビームの以下パラメータのうちの少なくとも１つが、別の端末ビームのパラメータとは異なり、パラメータは、到来角ＡｏＡ（ａｎｇｌｅ  ｏｆ  ａｒｒｉｖａｌ）、主到来角Ｄｏｍｉｎａｎｔ  ＡｏＡ、到来角の平均パワー角スペクトル（ｐｏｗｅｒ  ａｎｇｕｌａｒ  ｓｐｅｃｔｒｕｍ  （ＰＡＳ）  ｏｆ  ＡｏＡ）、発信角ＡｏＤ（ａｎｇｌｅ  ｏｆ  ｄｅｐａｒｔｕｒｅ）、主発信角、平均発信角、発信角のパワー角スペクトル、端末伝送ビームのビームフォーミング、端末受信ビームのビームフォーミング、空間チャネルの相関関係、平均チャネルゲイン、平均チャネル遅延、遅延拡散ｄｅｌａｙ  ｓｐｒｅａｄ及びドップラー拡散Ｄｏｐｐｌｅｒ  ｓｐｒｅａｄなどである。
【０３１４】
（３）端末ビーム−基地局ビームペア切替は、ランダムアクセスプリアンブル再伝送の間に、現在のプリアンブル再伝送に用いられるダウンリンク信号（ＳＳブロック又はＣＳＩ−ＲＳ）と関連付けられる空間受信パラメータ及び／又はアンテナポート及び／又はランダムアクセスリソースが、前回のプリアンブル伝送におけるものとは異なることを意味する。例えば、ある端末ビーム−基地局ビームペアの以下のパラメータのうちの少なくとも１つが、別の端末ビーム−基地局ビームペアのパラメータとは異なり、パラメータは、到来角ＡｏＡ（ａｎｇｌｅ  ｏｆ  ａｒｒｉｖａｌ）、主到来角Ｄｏｍｉｎａｎｔ  ＡｏＡ、平均到来角、到来角のパワー角スペクトル（ｐｏｗｅｒ  ａｎｇｕｌａｒ  ｓｐｅｃｔｒｕｍ  （ＰＡＳ）  ｏｆ  ＡｏＡ）、発信角ＡｏＤ（ａｎｇｌｅ  ｏｆ  ｄｅｐａｒｔｕｒｅ）、主発信角、平均発信角、発信角のパワー角スペクトル端末伝送ビームのビームフォーミング、端末受信ビームのビームフォーミング、空間チャネルの相関関係、基地局伝送ビームのビームフォーミング、基地局受信ビームのビームフォーミング、平均チャネルゲイン、平均チャネル遅延、遅延拡散ｄｅｌａｙ  ｓｐｒｅａｄ及びドップラー拡散Ｄｏｐｐｌｅｒ  ｓｐｒｅａｄなどである。
【０３１５】
オプションで、ランダムアクセスの間、ネットワークデバイスは、各ダウンリンク信号に関連するパラメータ（第２構成パラメータと称され得る）を構成してよい。具体的には、パラメータは、ランダムアクセスプリアンブルの伝送回数の最大数、端末ビームの切替回数の最大数、基地局ビームの切替回数の最大数、ビームペアの切替回数の最大数、伝送回数の閾値パラメータ、ダウンリンク参照信号の伝送電力、パワーランピングステップ、プリアンブル初期受信目標電力、プリアンブルフォーマット、最大パワーランピングレベル及び最大伝送電力Ｐ＿ＣＭＡＸのうちの少なくとも１つのパラメータを含んでよい。第２構成パラメータは、プリアンブル伝送電力を決定するために用いられてよい。
【０３１６】
本願において、同じダウンリンク信号に対応して、前述の３つのパラメータ２から４のそれぞれは、単一の値であってよい、又は、セット又は値の範囲であってよい。例えば、端末ビームの切替回数の最大数は、｛１、２、３、４、６、８｝である。例えば、基地局の切替回数の最大数は、｛１、２、３、４｝である。例えば、ビームペアの切替回数の最大数は、｛１、２、３、４、６、８、１０、１２｝である。オプションで、前述のパラメータのいずれか１つの構成値は、セットであり、端末は、各パワーランピングレベルでの値を選択して、ビーム切替を実行し、異なるレベルで選択される値は、異なっていてよい。オプションで、前述のパラメータのうちのいずれか一つの構成値がセットである場合、端末は、ビーム切替を実行するために、各パワーランピングレベルにおいて値を選択し、すべてレベルにおいて選択される値が同じでなければならない。オプションで、各パワーランピングレベルにおいて端末により選択される端末伝送ビーム及び／又は基地局受信ビームは同じである。
【０３１７】
本願では、ダウンリンク参照信号の伝送電力（ｒｅｆｅｒｅｎｃｅＳｉｇｎａｌＰｏｗｅｒ）に対して、基地局伝送信号のゲインが考慮され、プリアンブル初期受信目標電力（ｐｒｅａｍｂｌｅＩｎｉｔｉａｌＲｅｃｅｉｖｅｄＴａｒｇｅｔＰｏｗｅｒ）に対して、基地局受信信号のゲインが考慮される。オプションで、ダウンリンク参照信号の伝送電力（ｒｅｆｅｒｅｎｃｅＳｉｇｎａｌＰｏｗｅｒ）に対して、基地局伝送ビームのゲインと基地局受信信号のゲインとの間の差が考慮される。オプションで、プリアンブル初期受信目標電力（ｐｒｅａｍｂｌｅＩｎｉｔｉａｌＲｅｃｅｉｖｅｄＴａｒｇｅｔＰｏｗｅｒ）に対して、基地局伝送ビームのゲインと基地局受信信号のゲインとの間の差が考慮される。オプションで、すべてのダウンリンク信号の参照信号の伝送電力（ｒｅｆｅｒｅｎｃｅＳｉｇｎａｌＰｏｗｅｒ）が異なる。オプションで、すべてのダウンリンク信号に対応するプリアンブル初期受信目標電力（ｐｒｅａｍｂｌｅＩｎｉｔｉａｌＲｅｃｅｉｖｅｄＴａｒｇｅｔＰｏｗｅｒ）が異なる。オプションで、信号品質に対して、端末同期信号受信ビームのゲインとランダムアクセスプリアンブル伝送信号のゲインとの間の差が考慮される。
（１）実施形態１
【０３１８】
本実施形態におけるランダムアクセス手順では、端末は、１つのビームペア（基地局受信ビーム−端末伝送ビーム）を固定して用いる。
【０３１９】
具体的には、（ＰＲＥＡＭＢＬＥ＿ＴＲＡＮＳＭＩＳＳＩＯＮ＿ＣＯＵＮＴＥＲ）番目のプリアンブル伝送が実行される場合、プリアンブル伝送電力ＰＰＲＡＣＨは、
ＰＰＲＡＣＨ＝ｍｉｎ｛Ｐ＿ＣＭＡＸ、ＰＲＥＡＭＢＬＥ＿ＲＥＣＥＩＶＥＤ＿ＴＡＲＧＥＴ＿ＰＯＷＥＲ＋ＰＬ＿ｃ｝であり、
ここで、ＰＬ＿ｃ＝ｒｅｆｅｒｅｎｃｅＳｉｇｎａｌＰｏｗｅｒ−信号品質であり、
ＰＲＥＡＭＢＬＥ＿ＲＥＣＥＩＶＥＤ＿ＴＡＲＧＥＴ＿ＰＯＷＥＲ＝ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥ＋（ＰＲＥＡＭＢＬＥ＿ＴＲＡＮＳＭＩＳＳＩＯＮ＿ＣＯＵＮＴＥＲ−１）＊ｐｏｗｅｒＲａｍｐｉｎｇＳｔｅｐである。
【０３２０】
前述のアルゴリズムにおいて、因子、ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥは、ランダムアクセスプリアンブルが初めに伝送された場合に、ネットワークデバイスに到着するランダムアクセスプリアンブルの受信電力を表す。（ＰＲＥＡＭＢＬＥ＿ＴＲＡＮＳＭＩＳＳＩＯＮ＿ＣＯＵＮＴＥＲ−１）＊ｐｏｗｅｒＲａｍｐｉｎｇＳｔｅｐは、ランダムアクセスプリアンブル再伝送プロセスにおけるパワーランピング（ｒａｍｐｉｎｇ）電力を表し、プリアンブル伝送電力をランピングするために用いられており、その結果、ランダムアクセスプリアンブル伝送の成功確率を向上させる。
（２）実施形態２
【０３２１】
本実施形態では、ランダムアクセス手順において、ダウンリンク信号と関連付けられているランダムアクセスリソースは、固定して用いられ、プリアンブル再伝送は、各パワーランピングレベルで、Ｋ個（ネットワークデバイスにより構成される１又は複数のＫ）の端末ビームを用いることにより実行される。Ｋは、正の整数であり、Ｋは、端末ビームの切替回数の最大数より大きくない。本実施形態において、端末は、端末ビーム切替方式を決定してよい。これは限定されるものではない。
【０３２２】
具体的には、（ＰＲＥＡＭＢＬＥ＿ＴＲＡＮＳＭＩＳＳＩＯＮ＿ＣＯＵＮＴＥＲ）番目のプリアンブル伝送が実行される場合、プリアンブル伝送電力ＰＰＲＡＣＨは、
ＰＰＲＡＣＨ＝ｍｉｎ｛Ｐ＿ＣＭＡＸ、ＰＲＥＡＭＢＬＥ＿ＲＥＣＥＩＶＥＤ＿ＴＡＲＧＥＴ＿ＰＯＷＥＲ＋ＰＬ＿ｃ｝であり、
ここで、ＰＬ＿ｃ＝ｒｅｆｅｒｅｎｃｅＳｉｇｎａｌＰｏｗｅｒ−信号品質であり、
ＰＲＥＡＭＢＬＥ＿ＲＥＣＥＩＶＥＤ＿ＴＡＲＧＥＴ＿ＰＯＷＥＲ＝ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥ＋ｐｏｗｅｒＲａｍｐｉｎｇＬｅｖｅｌ＊ｐｏｗｅｒＲａｍｐｉｎｇＳｔｅｐであり、
ｐｏｗｅｒＲａｍｐｉｎｇＬｅｖｅｌ＝ｆｌｏｏｒ（（ＰＲＥＡＭＢＬＥ＿ＴＲＡＮＳＭＩＳＳＩＯＮ＿ＣＯＵＮＴＥＲ−１）／Ｋ）であり、
ｆｌｏｏｒは、次の整数に切り捨てることを表し、Ｋは、正の整数である。オプションで、ｐｏｗｅｒＲａｍｐｉｎｇＬｅｖｅｌは、ｐｏｗｅｒＲａｍｐｉｎｇＬｅｖｅｌ＝ｃｅｉｌ（ＰＲＥＡＭＢＬＥ＿ＴＲＡＮＳＭＩＳＳＩＯＮ＿ＣＯＵＮＴＥＲ／Ｋ）と同等に表現され得、ここで、ｃｅｉｌは、次の整数に切り上げることを表す。
【０３２３】
前述のアルゴリズムにおいて、因子、ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥは、ランダムアクセスプリアンブルが初めに伝送された場合に、ネットワークデバイスに到着するランダムアクセスプリアンブルの受信電力を表す。因子、ｐｏｗｅｒＲａｍｐｉｎｇＬｅｖｅｌ＊ｐｏｗｅｒＲａｍｐｉｎｇＳｔｅｐ（すなわち、ｆｌｏｏｒ（（ＰＲＥＡＭＢＬＥ＿ＴＲＡＮＳＭＩＳＳＩＯＮ＿ＣＯＵＮＴＥＲ−１）／Ｋ）＊ｐｏｗｅｒＲａｍｐｉｎｇＳｔｅｐ、又は、ｃｅｉｌ（ＰＲＥＡＭＢＬＥ＿ＴＲＡＮＳＭＩＳＳＩＯＮ＿ＣＯＵＮＴＥＲ／Ｎ）＊ｐｏｗｅｒＲａｍｐｉｎｇＳｔｅｐ）は、ランダムアクセスプリアンブル再伝送プロセスにおけるパワーランピング（ｒａｍｐｉｎｇ）電力を表す。
【０３２４】
本実施形態において、因子、ｐｏｗｅｒＲａｍｐｉｎｇＬｅｖｅｌ＊ｐｏｗｅｒＲａｍｐｉｎｇＳｔｅｐが用いられ、その結果、以下のものが制御され得る、すなわち、プリアンブル伝送パワーランピングは、Ｋ回の端末ビーム切替ごとに一度実行される。
【０３２５】
本実施形態において、各パワーランピングレベルで、Ｋ回の端末ビーム切替が実行されるべきである。オプションで、任意の２つのパワーランピングレベルｉ及びｊで、個別に用いられるＫ個の端末ビームは、完全に同じであってよく、ｉ及びｊは、非負整数である。このように、プリアンブル伝送電力の過度に急激なランピングを回避することができ、プリアンブル再伝送の成功率を向上させつつ、できるだけ干渉を減らし得る。
（３）実施形態３
【０３２６】
本実施形態では、ランダムアクセス手順において、端末伝送ビームが固定して用いられる。しかしながら、各パワーランピングレベルで、Ｎ個の異なるダウンリンク信号と関連付けられている（ネットワークデバイスにより構成される１又は複数のＮ）個のランダムアクセスリソースを用いることにより、プリアンブル再伝送が実行され、ここで、Ｎは正の整数であり、Ｎは、基地局ビームの切替回数の最大数より大きくない。本実施形態において、ランダムアクセスリソース切替は、基地局ビーム切替と同等である。具体的には、ランダムアクセスリソース切替の実施例については、前述のコンテンツにおいて説明されるランダムアクセスリソース切替についての前述のいくつかの実施形態を参照されたい。ここでは再び詳細を説明しない。
【０３２７】
具体的には、（ＰＲＥＡＭＢＬＥ＿ＴＲＡＮＳＭＩＳＳＩＯＮ＿ＣＯＵＮＴＥＲ）番目のプリアンブル伝送が実行される場合、プリアンブル伝送電力ＰＰＲＡＣＨは、
ＰＰＲＡＣＨ＝ｍｉｎ｛Ｐ＿ＣＭＡＸ、ＰＲＥＡＭＢＬＥ＿ＲＥＣＥＩＶＥＤ＿ＴＡＲＧＥＴ＿ＰＯＷＥＲ＋ＰＬ＿ｃ｝であり、
ここで、ＰＬ＿ｃ＝ｒｅｆｅｒｅｎｃｅＳｉｇｎａｌＰｏｗｅｒ−信号品質であり、
ＰＲＥＡＭＢＬＥ＿ＲＥＣＥＩＶＥＤ＿ＴＡＲＧＥＴ＿ＰＯＷＥＲ＝ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥ＋ｐｏｗｅｒＲａｍｐｉｎｇＬｅｖｅｌ＊ｐｏｗｅｒＲａｍｐｉｎｇＳｔｅｐであり、
ｐｏｗｅｒＲａｍｐｉｎｇＬｅｖｅｌ＝ｆｌｏｏｒ（（ＰＲＥＡＭＢＬＥ＿ＴＲＡＮＳＭＩＳＳＩＯＮ＿ＣＯＵＮＴＥＲ−１）／Ｎ）であり、
ｆｌｏｏｒは、次の整数に切り捨てることを表し、Ｋは、正の整数である。オプションで、ｐｏｗｅｒＲａｍｐｉｎｇＬｅｖｅｌは、ｐｏｗｅｒＲａｍｐｉｎｇＬｅｖｅｌ＝ｃｅｉｌ（ＰＲＥＡＭＢＬＥ＿ＴＲＡＮＳＭＩＳＳＩＯＮ＿ＣＯＵＮＴＥＲ／Ｎ）と同等に表現され得、ｃｅｉｌは、次の整数に切り上げることを表す。
【０３２８】
前述のアルゴリズムにおいて、因子、ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥは、ランダムアクセスプリアンブルが初めに伝送された場合に、ネットワークデバイスに到着するランダムアクセスプリアンブルの受信電力を表す。因子、ｐｏｗｅｒＲａｍｐｉｎｇＬｅｖｅｌ＊ｐｏｗｅｒＲａｍｐｉｎｇＳｔｅｐ（すなわち、ｆｌｏｏｒ（（ＰＲＥＡＭＢＬＥ＿ＴＲＡＮＳＭＩＳＳＩＯＮ＿ＣＯＵＮＴＥＲ−１／Ｎ）＊ｐｏｗｅｒＲａｍｐｉｎｇＳｔｅｐ、又は、ｃｅｉｌ（ＰＲＥＡＭＢＬＥ＿ＴＲＡＮＳＭＩＳＳＩＯＮ＿ＣＯＵＮＴＥＲ／Ｎ）＊ｐｏｗｅｒＲａｍｐｉｎｇＳｔｅｐ）は、ランダムアクセスプリアンブル再伝送プロセスにおけるパワーランピング（ｒａｍｐｉｎｇ）電力を表す。
【０３２９】
本実施形態において、因子、ｐｏｗｅｒＲａｍｐｉｎｇＬｅｖｅｌ＊ｐｏｗｅｒＲａｍｐｉｎｇＳｔｅｐが用いられ、その結果、以下のものが制御され得る。すなわち、プリアンブル伝送パワーランピングは、Ｎ回のランダムアクセスリソース切替ごとに一度実行される。
【０３３０】
さらに、ランダムアクセスリソースが切り替えられる場合、新たな基地局ビーム（又は、対応する基地局ダウンリンク信号）及び端末ビーム（ここでは、端末受信ビームと称される）に対応するパスロスに基づいて、電力が決定される必要がある。
【０３３１】
本実施形態において、各パワーランピングレベルで、Ｎ回のランダムアクセスリソース切替が実行されるべきである。各第Ｎ回目のランダムアクセスリソース切替後のプリアンブル再伝送の間に、パワーランピング（ｒａｍｐｉｎｇ）がプリアンブル伝送電力に対して実行される。具体的には、各第（ｉ＊Ｎ＋１）回目の再伝送（ｉは正の整数である）の間に、異なるダウンリンク信号と関連付けられているランダムアクセスリソースが、現在の再伝送及び前回の再伝送において個別に用いられる場合、パワーランピングが実行される。合計Ｎ（ｉ＊Ｎ＋１からｉ＊Ｎ＋Ｎ）回の再伝送の間に、Ｎ回のランダムアクセスリソース切替が実行されるべきである。オプションで、任意の２つのパワーランピングレベルｉ及びｊで、個別に用いられるＮ個のランダムアクセスリソースは、完全に同じであってよく、ｊは正の整数である。このように、プリアンブル伝送電力の過度に急激なランピングを回避することができ、プリアンブル再伝送の成功率を向上させつつ、できるだけ干渉を減らし得る。
（４）実施形態４
【０３３２】
本実施形態では、ランダムアクセス手順において、各パワーランピングレベルで、Ｎ個の異なるダウンリンク信号と関連付けられている（ネットワークデバイスにより構成される１又は複数のＮ）個のランダムアクセスリソースを用いることにより、プリアンブル再伝送が実行され、ここで、Ｎは正の整数であり、Ｎは、基地局ビームの切替回数の最大数より大きくない。各ランダムアクセスリソース上でプリアンブル再伝送が実行される場合、端末は、異なる端末ビームを用いてよい。本実施形態において、ランダムアクセスリソース切替は、基地局ビーム切替と同等である。具体的には、ランダムアクセスリソース切替の実施例については、前述のコンテンツにおいて説明されるランダムアクセスリソース切替についての前述のいくつかの実施形態を参照されたい。ここでは再び詳細を説明しない。
【０３３３】
具体的には、（ＰＲＥＡＭＢＬＥ＿ＴＲＡＮＳＭＩＳＳＩＯＮ＿ＣＯＵＮＴＥＲ）回目のプリアンブル伝送が実行される場合、プリアンブル伝送電力ＰＰＲＡＣＨは、
ＰＰＲＡＣＨ＝ｍｉｎ｛Ｐ＿ＣＭＡＸ、ＰＲＥＡＭＢＬＥ＿ＲＥＣＥＩＶＥＤ＿ＴＡＲＧＥＴ＿ＰＯＷＥＲ＋ＰＬ＿ｃ｝であり、
ここで、ＰＬ＿ｃ＝ｒｅｆｅｒｅｎｃｅＳｉｇｎａｌＰｏｗｅｒ−信号品質であり、ＰＲＥＡＭＢＬＥ＿ＲＥＣＥＩＶＥＤ＿ＴＡＲＧＥＴ＿ＰＯＷＥＲ＝ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥ＋ｐｏｗｅｒＲａｍｐｉｎｇＬｅｖｅｌ＊ｐｏｗｅｒＲａｍｐｉｎｇＳｔｅｐであり、
ｐｏｗｅｒＲａｍｐｉｎｇＬｅｖｅｌ＝ｆｌｏｏｒ（（ＰＲＥＡＭＢＬＥ＿ＴＲＡＮＳＭＩＳＳＩＯＮ＿ＣＯＵＮＴＥＲ−１）／Ｎ）であり、
ｆｌｏｏｒは、次の整数に切り捨てることを表し、Ｋは、正の整数である。オプションで、ｐｏｗｅｒＲａｍｐｉｎｇＬｅｖｅｌは、ｐｏｗｅｒＲａｍｐｉｎｇＬｅｖｅｌ＝ｃｅｉｌ（ＰＲＥＡＭＢＬＥ＿ＴＲＡＮＳＭＩＳＳＩＯＮ＿ＣＯＵＮＴＥＲ／Ｎ）と同等に表現され得、ｃｅｉｌは、次の整数に切り上げることを表す。
【０３３４】
前述のアルゴリズムにおいて、因子、ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥは、ランダムアクセスプリアンブルが初めに伝送された場合に、ネットワークデバイスに到着するランダムアクセスプリアンブルの受信電力を表す。因子、ｐｏｗｅｒＲａｍｐｉｎｇＬｅｖｅｌ＊ｐｏｗｅｒＲａｍｐｉｎｇＳｔｅｐ（すなわち、ｆｌｏｏｒ（（ＰＲＥＡＭＢＬＥ＿ＴＲＡＮＳＭＩＳＳＩＯＮ＿ＣＯＵＮＴＥＲ−１）／Ｎ）＊ｐｏｗｅｒＲａｍｐｉｎｇＳｔｅｐ、又は、ｃｅｉｌ（ＰＲＥＡＭＢＬＥ＿ＴＲＡＮＳＭＩＳＳＩＯＮ＿ＣＯＵＮＴＥＲ／Ｎ）＊ｐｏｗｅｒＲａｍｐｉｎｇＳｔｅｐ）は、ランダムアクセスプリアンブル再伝送プロセスにおけるパワーランピング（ｒａｍｐｉｎｇ）電力を表す。
【０３３５】
本実施形態において、因子、ｐｏｗｅｒＲａｍｐｉｎｇＬｅｖｅｌ＊ｐｏｗｅｒＲａｍｐｉｎｇＳｔｅｐが用いられ、その結果、以下のものが制御され得る。すなわち、プリアンブル伝送パワーランピングは、Ｎ回のランダムアクセスリソース切替ごとに一度実行される。
【０３３６】
さらに、ランダムアクセスリソースが切り替えられる場合、新たな基地局ビーム（又は、対応する基地局ダウンリンク信号）及び端末ビーム（ここでは、新たな基地局ダウンリンク信号に対応する端末受信ビームと称される）に対応するパスロスに基づいて、電力が決定される必要がある。端末が伝送ビームを切り替える場合、新たな端末伝送ビームの最大信号ゲインが変化し得る。具体的には、新たなパスロスに関して、異なる端末ビームのゲイン間の差は、考慮される必要がある。例えば、パスロスは、現在の端末伝送ビームのゲインと前回の端末伝送ビームのゲインとの間の差を含む、又は、パスロスは、現在の端末伝送ビームのゲインと現在の端末受信ビームのゲインとの間の差を含む。さらに、ｐｒｅａｍｂｌｅＩｎｉｔｉａｌＲｅｃｅｉｖｅｄＴａｒｇｅｔＰｏｗｅｒは、現在の再伝送のために選択される基地局ビームに対応するパラメータであり、ＤＥＬＴＡ＿ＰＲＥＡＭＢＬＥは、現在の再伝送のために選択されるランダムアクセスプリアンブルに対応するパラメータである。
【０３３７】
本実施形態において、各パワーランピングレベルで、Ｎ回のランダムアクセスリソース切替が実行されるべきである。各第Ｎ回目のランダムアクセスリソース切替後のプリアンブル再伝送の間に、パワーランピング（ｒａｍｐｉｎｇ）がプリアンブル伝送電力に対して実行される。具体的には、各第（ｉ＊Ｎ＋１）回目の再伝送（ｉは正の整数である）の間に、異なるダウンリンク信号と関連付けられているランダムアクセスリソースが、現在の再伝送及び前回の再伝送において個別に用いられる場合、パワーランピングが実行される。合計Ｎ（ｉ＊Ｎ＋１からｉ＊Ｎ＋Ｎ）回の再伝送の間に、Ｎ回のランダムアクセスリソース切替が実行されるべきである。オプションで、任意の２つのパワーランピングレベルｉ及びｊで、個別に用いられるＮ個のランダムアクセスリソースは、完全に同じであってよく、ｊは正の整数である。このように、プリアンブル伝送電力の過度に急激なランピングを回避することができ、プリアンブル再伝送の成功率を向上させつつ、できるだけ干渉を減らし得る。
（５）実施形態５
【０３３８】
本実施形態では、ランダムアクセス手順において、Ｎ（ｉ）個の異なる基地局ビーム−端末ビームペアが、各パワーランピングレベルｐｏｗｅｒＲａｍｐｉｎｇＬｅｖｅｌ（ｉ）での再伝送のために用いられ、ここで、Ｎ（ｉ）は、ビームペアの切替回数の最大数より大きくない。各基地局ビーム−端末ビームペアにおいて、基地局ビームは異なり得る、及び／又は、端末ビームは異なり得る。
【０３３９】
具体的には、（ＰＲＥＡＭＢＬＥ＿ＴＲＡＮＳＭＩＳＳＩＯＮ＿ＣＯＵＮＴＥＲ）番目のプリアンブル伝送が実行される場合、プリアンブル伝送電力ＰＰＲＡＣＨは、
ＰＰＲＡＣＨ＝ｍｉｎ｛Ｐ＿ＣＭＡＸ、ＰＲＥＡＭＢＬＥ＿ＲＥＣＥＩＶＥＤ＿ＴＡＲＧＥＴ＿ＰＯＷＥＲ＋ＰＬ＿ｃ｝であり、
ここで、ＰＬ＿ｃ＝ｒｅｆｅｒｅｎｃｅＳｉｇｎａｌＰｏｗｅｒ−信号品質であり、ＰＲＥＡＭＢＬＥ＿ＲＥＣＥＩＶＥＤ＿ＴＡＲＧＥＴ＿ＰＯＷＥＲ＝ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥ＋ｐｏｗｅｒＲａｍｐｉｎｇＬｅｖｅｌ（ｉ）＊ｐｏｗｅｒＲａｍｐｉｎｇＳｔｅｐであり、
【数１】
2020529813.tif 000003
であり、
【数２】
2020529813.tif 000004
であり、
ｐｏｗｅｒＲａｍｐｉｎｇＬｅｖｅｌ（ｉ）＝ｉ−１であり、
ｉ≦ＰＲＥＡＭＢＬＥ＿ＴＲＡＮＳＭＩＳＳＩＯＮ＿ＣＯＵＮＴＥＲである。
【０３４０】
本実施形態において、
【数３】
2020529813.tif 000005
は、現在のパワーランピングレベルですでに実行されているビームペア切替の回数を表す。
【０３４１】
さらに、基地局ビーム−端末ビームペア切替が実行される場合、新たな基地局ビーム（又は、対応する基地局ダウンリンク信号）及び端末ビーム（ここでは、新たな基地局ダウンリンク信号に対応する端末受信ビームと称される）に対応するパスロスに基づいて、電力が決定される必要がある。端末が伝送ビームを切り替える場合、新たな端末伝送ビームの最大信号ゲインが変化する。具体的には、新たなパスロスに関して、異なる端末ビームのゲイン間の差が考慮される必要がある。例えば、パスロスは、現在の端末伝送ビームのゲインと前回の端末伝送ビームのゲインとの間の差を含む、又は、パスロスは、現在の端末伝送ビームのゲインと現在の端末受信ビームのゲインとの間の差を含む。さらに、ｐｒｅａｍｂｌｅＩｎｉｔｉａｌＲｅｃｅｉｖｅｄＴａｒｇｅｔＰｏｗｅｒは、現在の再伝送のために選択される基地局ビームに対応するパラメータであり、ＤＥＬＴＡ＿ＰＲＥＡＭＢＬＥは、現在の再伝送のために選択されるランダムアクセスプリアンブルに対応するパラメータである。
【０３４２】
オプションで、異なるパワーランピングレベルｉで、Ｎ（ｉ）回切り替えられるビームペアは、同じであっても異なっていてもよい。
【０３４３】
オプションで、２つのパワーランピングレベルｉ及びｊについて、ｉ＜ｊであり、Ｎ（ｉ）≦Ｎ（ｊ）である。
【０３４４】
オプションで、２つのパワーランピングレベルｉ及びｊは、ｉ＜ｊであり、Ｎ（ｉ）≧Ｎ（ｊ）である。
【０３４５】
本実施形態において、各パワーランピングレベルｐｏｗｅｒＲａｍｐｉｎｇＬｅｖｅｌ（ｉ）で、Ｎ（ｉ）回の基地局ビーム−端末ビームペア切替が実行されるために必要である。Ｎ（ｉ）回の基地局ビーム−端末ビームペア切替後のプリアンブル再伝送の間に、パワーランピング（ｒａｍｐｉｎｇ）が、プリアンブル伝送電力に対して実行される。このように、プリアンブル伝送電力の過度に急激なランピングを回避することができ、プリアンブル再伝送の成功率を向上させつつ、できるだけ干渉を減らし得る。
【０３４６】
オプションで、ｐｏｗｅｒＲａｍｐｉｎｇＬｅｖｅｌ（ｉ）＝ｋ＊（ｉ−１）である。ｋ＞１の場合、プリアンブル伝送電力は、より早くランピングされてよい。ｋ＜１の場合、プリアンブル伝送電力は、より遅くランピングされてよい。
【０３４７】
オプションで、端末は、ランダムアクセス再伝送プロセスにおいて、基地局ビームと端末ビームとを切り替える。同じパワーランピングレベルにおいて、Ｎ回のダウンリンク基地局ビーム切替及びＫ回の端末ビーム切替が実行されるのに必要である。基地局ビーム切替及び端末ビーム切替が実行されるときに実行される電力制御については、前述のいくつかの実施形態を参照されたい。ここでは、基地局ビームを切り替えることは、ランダムアクセスリソースを切り替えことに等しい。
【０３４８】
オプションで、ランダムアクセスプリアンブルプロセスにおいて、端末は、Ｎ個の連続する時間のために同じダウンリンク信号及び／又は同じ端末伝送ビームに対応するランダムアクセスリソースを用いており、Ｎは、伝送回数の閾値パラメータを越えない。端末は、前述の実施形態のいずれか１つの方式で、ビーム切替を実行し、伝送電力を決定する。
【０３４９】
さらに、プリアンブル伝送電力制御の前述のいくつかの実施形態を参照すると、ネットワークデバイスは、端末に対するインジケーション情報の一部（例えば、フラグｆｌａｇ）を構成してよい。例えば、フラグが０である場合、端末は、ビームを切り替えるときにパワーランピングを実行しなくてもよく、及び／又は、フラグが１である場合、Ｎ回のビーム切替（基地局ビーム切替、端末ビーム切替、又は、基地局ビーム−端末ビームペア切替）の後に、端末は、パワーランピングを実行し、ビーム切替を実行し続けてよく、及び／又は、フラグが２である場合、Ｎ回のビーム切替（基地局ビーム切替、端末ビーム切替、基地局ビーム−端末ビームペア切替）の後に、端末は、パワーランピングを実行する、又は、元の電力を維持してビーム切替を実行し続けることを選択してよい。
【０３５０】
本願において、プリアンブル伝送電力制御の前述のいくつかの実施形態は、ランダムアクセスリソース切替について、前述のいくつかの実施形態と組み合わせて実装されてよい。本願において、具体的な組み合わせの形式は、限定されるものではなく、実際の要件に基づいて決定されてよい。
【０３５１】
図１１は、本願に係る無線通信システム、端末及びネットワークデバイスを示す。無線通信システム１０は、端末４００及びネットワークデバイス５００を含む。端末４００は、図１における実施形態の端末１０３であってよく、ネットワークデバイス５００は、図１における実施形態のネットワークデバイス１０１であってよく、無線通信システム１０は、図１で説明される無線通信システム１００であってよい。以下では、説明を個別に提供する。
【０３５２】
図１１に示されるように、端末４００は、取得ユニット４０１、決定ユニット４０３及び送信ユニット４０５を含んでよい。
【０３５３】
取得ユニット４０１は、第１構成パラメータを取得するように構成されてよい。
【０３５４】
決定ユニット４０３は、第１構成パラメータに基づいて、複数のダウンリンク信号と個別に関連付けられているランダムアクセスリソースから、ランダムアクセスプリアンブル再伝送に用いられるランダムアクセスリソースを決定するように構成されてよい。
【０３５５】
送信ユニット４０５は、ランダムアクセスプリアンブル再伝送に用いられるランダムアクセスリソースを用いることによってランダムアクセスプリアンブルを再伝送するように構成されてよい。
【０３５６】
オプションで、取得ユニット４０１は、具体的には、ネットワークデバイスによって送信される第１構成パラメータを受信するように構成されてよい。オプションで、取得ユニット４０１は、具体的には、第１構成パラメータを局所的に取得するように構成されてよく、端末４００は、第１構成パラメータで局所的に予め構成されてよい。
【０３５７】
いくつかの任意の実施形態において、取得ユニット４０１は、ネットワークデバイス５００により送信される第２構成パラメータを受信し、第２構成パラメータに基づいて、プリアンブル再伝送電力を決定するようにさらに構成されてよい。
【０３５８】
具体的には、第２構成パラメータは、プリアンブル伝送回数の最大数、アップリンク端末ビームの切替回数の最大数、ランダムアクセスリソースの切替回数の最大数、基地局ビーム−端末ビームの切替回数の最大数、ランダムアクセスリソース切替を可能にするためのプリアンブル伝送回数の最小数、ダウンリンク参照信号の伝送電力ｒｅｆｅｒｅｎｃｅＳｉｇｎａｌＰｏｗｅｒ、パワーランピングステップｐｏｗｅｒＲａｍｐｉｎｇＳｔｅｐ、プリアンブル初期受信目標電力ｐｒｅａｍｂｌｅＩｎｉｔｉａｌＲｅｃｅｉｖｅｄＴａｒｇｅｔＰｏｗｅｒ、プリアンブルフォーマット、最大パワーランピングレベル及び最大伝送電力Ｐ＿ＣＭＡＸのうちの少なくとも１つを含んでよく、プリアンブル初期受信目標電力は、基地局受信信号のゲインに関連し、ダウンリンク参照信号の伝送電力は、基地局伝送信号のゲインに関連する。
【０３５９】
いくつかの任意の実施形態において、端末４００内の送信ユニット４０５は、具体的には、ランダムアクセス手順において、メッセージ３の送信に失敗した場合、及び／又は、ランダムアクセス手順において、競合解消に失敗した場合、現在のダウンリンク信号と関連付けられているランダムアクセスリソースとは異なるランダムアクセスリソースを用いることによって、ランダムアクセスプリアンブル再伝送を実行するように構成され得る。
【０３６０】
図１１に示されるように、ネットワークデバイス５００は、送信ユニット５０１と受信ユニット５０３とを含んでよい。
【０３６１】
送信ユニット５０１は、第１構成パラメータを端末４００に送信するように構成されてよい。第１構成パラメータは、複数のダウンリンク信号と個別に関連付けられているランダムアクセスリソースから、ランダムアクセスプリアンブル再伝送に用いられるランダムアクセスリソースを決定するために、端末によって用いられる。
【０３６２】
受信ユニット５０３は、端末４００によって再伝送されるプリアンブルを受信するように構成されてよい。
【０３６３】
本願では、ダウンリンク信号は、同期信号ブロック（ＳＳブロック）及びチャネル状態情報−参照信号（ＣＳＩ−ＲＳ）のうちの少なくとも一方を含んでよい。ＳＳブロックは、Ｎ個のＯＦＤＭシンボルに対応する。１つのＳＳブロックは、プライマリ同期信号（ＰＳＳ）、セカンダリ同期信号（ＳＳＳ）、物理ブロードキャスト信号（ＰＢＣＨ）又は復調参照信号（ＤＭＲＳ）のうちの少なくとも１つを含む。
【０３６４】
いくつかの任意の実施形態において、送信ユニット５０１は、第２構成パラメータを端末４００に送信するようにさらに構成され得る。第２構成パラメータは、プリアンブル再伝送電力を決定するために用いられる。
【０３６５】
具体的には、第２構成パラメータは、プリアンブル伝送回数の最大数、アップリンク端末ビームの切替回数の最大数、ランダムアクセスリソースの切替回数の最大数、基地局ビーム−端末ビームの切替回数の最大数、ランダムアクセスリソース切替を可能にするためのプリアンブル伝送回数の最小数、ダウンリンク参照信号の伝送電力ｒｅｆｅｒｅｎｃｅＳｉｇｎａｌＰｏｗｅｒ、パワーランピングステップｐｏｗｅｒＲａｍｐｉｎｇＳｔｅｐ、プリアンブル初期受信目標電力ｐｒｅａｍｂｌｅＩｎｉｔｉａｌＲｅｃｅｉｖｅｄＴａｒｇｅｔＰｏｗｅｒ、プリアンブルフォーマット、最大パワーランピングレベル及び最大伝送電力Ｐ＿ＣＭＡＸのうちの少なくとも１つを含んでよく、プリアンブル初期受信目標電力は、基地局受信信号のゲインに関連し、ダウンリンク参照信号の伝送電力は、基地局伝送信号のゲインに関連する。
【０３６６】
端末４００又はネットワークデバイス５００について、第１構成パラメータの具体的な実装は、以下の通りであってよい。
【０３６７】
オプションで、第１構成パラメータは、具体的には、現在のダウンリンク信号と関連付けられているランダムアクセスリソースとは異なるランダムアクセスリソースを用いることによって、端末４００がランダムアクセスプリアンブル再伝送を実行するか否かを示すために用いられてよい。例えば、第１構成パラメータはフラグビットを含む。フラグビットが０に等しい場合、現在のダウンリンク信号と関連付けられているランダムアクセスリソースを用いることによって、端末４００がランダムアクセスプリアンブル再伝送を実行し続けることを示す。フラグビットが１に等しい場合、現在のダウンリンク信号と関連付けられているランダムアクセスリソースとは異なるランダムアクセスリソースを用いることによって、端末４００がランダムアクセスプリアンブル再伝送を実行することを示す。例は、本願の実施形態に過ぎず、限定を構成すべきでない。実際の適用では、異なる実施形態があってよい。
【０３６８】
オプションで、代わりに、第１構成パラメータは、具体的には、現在のダウンリンク信号及び／又は候補ダウンリンク信号の測定された信号品質に基づいて、現在のダウンリンク信号と関連付けられているランダムアクセスリソース及び候補ダウンリンク信号と関連付けられているランダムアクセスリソースから、ランダムアクセスプリアンブル再伝送に用いられるランダムアクセスリソースを決定するために、端末４００によって用いられてよい。具体的には、第１構成パラメータは、ダウンリンク信号の信号品質変化を決定するために用いられてよい。具体的には、第１構成パラメータは、現在のダウンリンク信号及び／又は候補ダウンリンク信号の信号品質変化を決定するために用いられてよく、品質変化は、ランダムアクセスプリアンブル再伝送に用いられるランダムアクセスリソースを決定するために用いられる。
【０３６９】
オプションで、第１構成パラメータのうちの１又は複数は、システム情報（ＳＩ）、残りのシステム情報（ＲＭＳＩ）、ダウンリンク物理制御チャネル（ＰＤＣＣＨ）、ダウンリンク制御情報（ＤＣＩ）、ＭＡＣ−ＣＥ、及び、ＲＲＣシグナリングなどのうちの任意の１又は複数を用いることにより、ネットワークデバイス５００により構成されてよい。オプションで、第１構成パラメータのうちの１又は複数は、プロトコルを用いることにより規定されてよい、又は、端末４００は、第１構成パラメータのうちの１又は複数を予め格納又は予め構成してよい。
【０３７０】
いくつかの任意の実施形態において、第１構成パラメータは、第５の閾値及び第１のオフセットをさらに含んでよい。オプションで、端末４００内の送信ユニット４０５は、具体的には、候補ダウンリンク信号の信号品質が第５の閾値を超える場合、又は、候補ダウンリンク信号の信号品質が現在のダウンリンク信号の信号品質よりも高く、第１のオフセットよりも少なくとも高い場合、候補ダウンリンク信号と関連付けられているランダムアクセスリソースを用いることによって、ランダムアクセスプリアンブル再伝送を実行するように構成され得る。
【０３７１】
本願では、ランダムアクセスリソース切替条件は、プリアンブル再伝送に用いられるランダムアクセスリソースを切り替えるか否かを決定するために用いられてよい。ランダムアクセスリソース切替を実行する前に、端末は、各ダウンリンク信号の品質を測定し、現在のダウンリンク信号及び／又は候補ダウンリンク信号の信号品質変化を分析し、最後に、信号品質変化及びランダムアクセスリソース切替条件に基づいて、ランダムアクセスリソースを切り替えるか否かを決定してよい。
【０３７２】
具体的には、切替条件及び各切替条件に基づいて、端末４００がどのようにランダムアクセスリソース切替を実行するかについては、図６から図１０の実施形態を参照されたい。実際の適用では、切替条件は、実際の要件に基づいて決定されてよい。これは、本願において限定されるものではない。各切替条件に基づいてランダムアクセスリソース切替を実行するために、端末４００の具体的な決定は、実際の要件に基づいて決定されてもよい。これは、本願において限定されるものではない。
【０３７３】
端末４００に含まれる機能ユニットの詳細な実装については、前述の実施形態を参照されたいことが理解され得る。ここでは再び詳細を説明しない。ネットワークデバイス５００に含まれる機能ユニットの詳細な実装については、前述の実施形態を参照されたい。ここでは再び詳細を説明しない。
【０３７４】
結論として、本願で提供される技術的解決手段によれば、ランダムアクセスが実行されている場合、各ダウンリンクビームにより送信されるダウンリンク信号は、ランダムアクセスリソースと個別に関連付けられている。ネットワークデバイスは、各ダウンリンクビームに対応する基地局受信ビームを用いることによって、各ダウンリンク信号と関連付けられているランダムアクセスリソース上のプリアンブルを受信する。さらに、端末は、ダウンリンク信号の信号品質であって、測定を通じて取得される信号品質に基づいて、複数のダウンリンク信号から優れた信号品質を有するダウンリンク信号を選択し、ダウンリンク信号と関連付けられているランダムアクセスリソースに切り替えてプリアンブル再伝送を実行してよい。この場合、ネットワークデバイスは、ダウンリンクビームに対応する基地局受信ビームを用いることによってプリアンブルを受信することで、プリアンブル再伝送の成功率を向上させ、それにより、遅延を減らす。
【０３７５】
当業者であれば、実施形態における方法の処理のすべて又は一部が関連するハードウェアに命令するコンピュータプログラムにより実施されてよいことが理解され得る。プログラムは、コンピュータ可読記憶媒体に格納され得る。プログラムが起動した場合、実施形態における方法の処理が実行される。上述の記憶媒体は、プログラムコードを格納できる任意の媒体、例えば、ＲＯＭ、ランダムアクセスメモリＲＡＭ、磁気ディスク又は光ディスクを含む。
【図１】
2020529813.tif 000006
【図２Ａ】
2020529813.tif 000007
【図２Ｂ】
2020529813.tif 000008
【図２Ｃ】
2020529813.tif 000009
【図３】
2020529813.tif 000010
【図４】
2020529813.tif 000011
【図５Ａ】
2020529813.tif 000012
【図５Ｂ】
2020529813.tif 000013
【図５Ｃ】
2020529813.tif 000014
【図６】
2020529813.tif 000015
【図７】
2020529813.tif 000016
【図８】
2020529813.tif 000017
【図９】
2020529813.tif 000018
【図１０】
2020529813.tif 000019
【図１１】
2020529813.tif 000020
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
信号伝送方法であって、
端末により、第１構成パラメータを取得する段階と、
前記端末により、前記第１構成パラメータに基づいて、複数のダウンリンク信号と個別に関連付けられているランダムアクセスリソースから、ランダムアクセスプリアンブル再伝送に用いられるランダムアクセスリソースを決定する段階と、
前記端末により、ランダムアクセスプリアンブル再伝送に用いられる前記ランダムアクセスリソースを用いることによってランダムアクセスプリアンブルを再伝送する段階と
を備える方法。
【請求項２】
前記第１構成パラメータは、具体的には、
現在のダウンリンク信号と関連付けられているランダムアクセスリソースとは異なるランダムアクセスリソースを用いることにより、前記端末がランダムアクセスプリアンブル再伝送を実行するか否かを示すために用いられること、又は、
前記端末により、前記現在のダウンリンク信号及び／又は候補ダウンリンク信号の測定された信号品質に基づいて、前記現在のダウンリンク信号と関連付けられている前記ランダムアクセスリソース及び前記候補ダウンリンク信号と関連付けられているランダムアクセスリソースから、ランダムアクセスプリアンブル再伝送に用いられる前記ランダムアクセスリソースを決定するために用いられること
のうちの少なくとも１つのために用いられる、請求項１に記載の方法。
【請求項３】
前記方法は、前記端末により、ネットワークデバイスによって送信される第２構成パラメータを受信する段階と、前記第２構成パラメータに基づいて、プリアンブル再伝送電力を決定する段階とをさらに備える、請求項１又は２に記載の方法。
【請求項４】
前記第２構成パラメータは、
プリアンブル伝送回数の最大数、アップリンク端末ビームの切替回数の最大数、ランダムアクセスリソースの切替回数の最大数、基地局ビーム−端末ビームペアの切替回数の最大数、ランダムアクセスリソース切替を可能にするためのプリアンブル伝送回数の最小数、ダウンリンク参照信号の伝送電力、パワーランピングステップ、プリアンブル初期受信目標電力、プリアンブルフォーマット、最大パワーランピングレベル及び最大伝送電力
のうちの少なくとも１つを有し、前記プリアンブル初期受信目標電力は、基地局受信信号のゲインに関連し、前記ダウンリンク参照信号の伝送電力は、基地局伝送信号のゲインに関連する、請求項３に記載の方法。
【請求項５】
前記第１構成パラメータは第５の閾値を有し、
前記端末により、ランダムアクセスプリアンブル再伝送に用いられる前記ランダムアクセスリソースを用いることによってランダムアクセスプリアンブルを前記再伝送する段階は、
候補ダウンリンク信号の信号品質が前記第５の閾値を超える場合、前記端末により、前記候補ダウンリンク信号と関連付けられている前記ランダムアクセスリソースを用いることによって、ランダムアクセスプリアンブル再伝送を実行する段階を有する、請求項１から４のいずれか一項に記載の方法。
【請求項６】
信号伝送方法であって、
ネットワークデバイスにより、第１構成パラメータを端末に送信する段階であって、前記第１構成パラメータは、複数のダウンリンク信号と個別に関連付けられているランダムアクセスリソースから、ランダムアクセスプリアンブル再伝送に用いられるランダムアクセスリソースを決定するために、前記端末によって用いられる、段階と、
前記ネットワークデバイスにより、前記端末によって再伝送されるプリアンブルを受信する段階と
を備える方法。
【請求項７】
前記第１構成パラメータは、具体的には、
現在のダウンリンク信号と関連付けられているランダムアクセスリソースとは異なるランダムアクセスリソースを用いることにより、前記端末がランダムアクセスプリアンブル再伝送を実行するか否かを示すために用いられること、又は、
前記端末によって、前記現在のダウンリンク信号及び／又は候補ダウンリンク信号の測定された信号品質に基づいて、前記現在のダウンリンク信号と関連付けられている前記ランダムアクセスリソース及び前記候補ダウンリンク信号と関連付けられているランダムアクセスリソースから、ランダムアクセスプリアンブル再伝送に用いられる前記ランダムアクセスリソースを決定するために用いられること
のうちの少なくとも１つのために用いられる、請求項６に記載の方法。
【請求項８】
前記方法は、前記ネットワークデバイスにより、第２構成パラメータを前記端末に送信する段階であって、前記第２構成パラメータは、プリアンブル再伝送電力を決定するために用いられる、段階をさらに備える、請求項６又は７に記載の方法。
【請求項９】
前記第２構成パラメータは、
プリアンブル伝送回数の最大数、端末ビームの切替回数の最大数、ランダムアクセスリソースの切替回数の最大数、基地局ビーム−端末ビームペアの切替回数の最大数、ランダムアクセスリソース切替を可能にするためのプリアンブル伝送回数の最小数、ダウンリンク参照信号の伝送電力、パワーランピングステップ、プリアンブル初期受信目標電力、プリアンブルフォーマット及び最大パワーランピングレベル
のうちの少なくとも１つを有し、前記プリアンブル初期受信目標電力は、基地局受信信号のゲインを含み、前記ダウンリンク参照信号の伝送電力は、基地局伝送信号のゲインを含む、請求項８に記載の方法。
【請求項１０】
前記第１構成パラメータは第５の閾値を有し、
候補ダウンリンク信号の信号品質が前記第５の閾値を超える場合、前記端末は、前記候補ダウンリンク信号と関連付けられている前記ランダムアクセスリソースを用いることによって、ランダムアクセスプリアンブル再伝送を実行する、請求項６から９のいずれか一項に記載の方法。
【請求項１１】
第１構成パラメータを取得するように構成される取得ユニットと、
前記第１構成パラメータに基づいて、複数のダウンリンク信号と個別に関連付けられているランダムアクセスリソースから、ランダムアクセスプリアンブル再伝送に用いられるランダムアクセスリソースを決定するように構成される決定ユニットと、
ランダムアクセスプリアンブル再伝送に用いられる前記ランダムアクセスリソースを用いることによってランダムアクセスプリアンブルを再伝送するように構成される送信ユニットと
を備える端末。
【請求項１２】
前記第１構成パラメータは、具体的には、
現在のダウンリンク信号と関連付けられているランダムアクセスリソースとは異なるランダムアクセスリソースを用いることにより、前記端末がランダムアクセスプリアンブル再伝送を実行するか否かを示すために用いられること、又は、
前記端末により、前記現在のダウンリンク信号及び／又は候補ダウンリンク信号の測定された信号品質に基づいて、前記現在のダウンリンク信号と関連付けられている前記ランダムアクセスリソース及び前記候補ダウンリンク信号と関連付けられているランダムアクセスリソースから、ランダムアクセスプリアンブル再伝送に用いられる前記ランダムアクセスリソースを決定するために用いられること
のうちの少なくとも１つのために用いられる、請求項１１に記載の端末。
【請求項１３】
前記取得ユニットは、ネットワークデバイスによって送信される第２構成パラメータを受信し、前記第２構成パラメータに基づいて、プリアンブル再伝送電力を決定するようにさらに構成される、請求項１１又は１２に記載の端末。
【請求項１４】
前記第２構成パラメータは、
プリアンブル伝送回数の最大数、アップリンク端末ビームの切替回数の最大数、ランダムアクセスリソースの切替回数の最大数、基地局ビーム−端末ビームペアの切替回数の最大数、ランダムアクセスリソース切替を可能にするためのプリアンブル伝送回数の最小数、ダウンリンク参照信号の伝送電力、パワーランピングステップ、プリアンブル初期受信目標電力、プリアンブルフォーマット、最大パワーランピングレベル及び最大伝送電力
のうちの少なくとも１つを有し、前記プリアンブル初期受信目標電力は、基地局受信信号のゲインに関連し、前記ダウンリンク参照信号の伝送電力は、基地局伝送信号のゲインに関連する、請求項１３に記載の端末。
【請求項１５】
前記第１構成パラメータは第５の閾値を有し、
前記送信ユニットは、具体的には、候補ダウンリンク信号の信号品質が前記第５の閾値を超える場合、前記候補ダウンリンク信号と関連付けられている前記ランダムアクセスリソースを用いることによって、ランダムアクセスプリアンブル再伝送を実行するように構成される、請求項１１から１４のいずれか一項に記載の端末。
【請求項１６】
第１構成パラメータを端末に送信するように構成される送信ユニットであって、前記第１構成パラメータは、複数のダウンリンク信号と個別に関連付けられているランダムアクセスリソースから、ランダムアクセスプリアンブル再伝送に用いられるランダムアクセスリソースを決定するために前記端末によって用いられる、送信ユニットと、
前記端末によって再伝送されるプリアンブルを受信するように構成される受信ユニットと
を備えるネットワークデバイス。
【請求項１７】
前記第１構成パラメータは、具体的には、
現在のダウンリンク信号と関連付けられているランダムアクセスリソースとは異なるランダムアクセスリソースを用いることにより、前記端末がランダムアクセスプリアンブル再伝送を実行するか否かを示すために用いられること、又は、
前記端末によって、前記現在のダウンリンク信号及び／又は候補ダウンリンク信号の測定された信号品質に基づいて、前記現在のダウンリンク信号と関連付けられている前記ランダムアクセスリソース及び前記候補ダウンリンク信号と関連付けられているランダムアクセスリソースから、ランダムアクセスプリアンブル再伝送に用いられる前記ランダムアクセスリソースを決定するために用いられること
のうちの少なくとも１つのために用いられる、請求項１６に記載のネットワークデバイス。
【請求項１８】
前記送信ユニットは、第２構成パラメータを前記端末に送信するようにさらに構成され、前記第２構成パラメータは、プリアンブル再伝送電力を決定するために用いられる、請求項１６又は１７に記載のネットワークデバイス。
【請求項１９】
前記第２構成パラメータは、
プリアンブル伝送回数の最大数、端末ビームの切替回数の最大数、ランダムアクセスリソースの切替回数の最大数、基地局ビーム−端末ビームペアの切替回数の最大数、ランダムアクセスリソース切替を可能にするためのプリアンブル伝送回数の最小数、ダウンリンク参照信号の伝送電力、パワーランピングステップ、プリアンブル初期受信目標電力、プリアンブルフォーマット及び最大パワーランピングレベル
のうちの少なくとも１つを有し、前記プリアンブル初期受信目標電力は、基地局受信信号のゲインを含み、前記ダウンリンク参照信号の伝送電力は、基地局伝送信号のゲインを含む、請求項１８に記載のネットワークデバイス。
【請求項２０】
記第１構成パラメータは第５の閾値を有し、
候補ダウンリンク信号の信号品質が前記第５の閾値を超える場合、前記端末は、前記候補ダウンリンク信号と関連付けられている前記ランダムアクセスリソースを用いることによって、ランダムアクセスプリアンブル再伝送を実行する、請求項１６から１９のいずれか一項に記載のネットワークデバイス。
【請求項２１】
コンピュータプログラムを格納しているコンピュータ可読記憶媒体であって、実行されるときに、請求項１から５のいずれか一項に記載の方法が実施される、コンピュータ可読記憶媒体。
【請求項２２】
コンピュータプログラムを格納しているコンピュータ可読記憶媒体であって、実行されるときに、請求項６から１０のいずれか一項に記載の方法が実施される、コンピュータ可読記憶媒体。
【請求項２３】
コンピュータプログラムを格納するメモリと、
前記コンピュータプログラムを実行して、符号化装置に、請求項１から５のいずれか一項に記載の方法を実施させるように構成されるプロセッサと
を備える通信装置。
【請求項２４】
コンピュータプログラムを格納するメモリと、
前記コンピュータプログラムを実行して、符号化装置に、請求項６から１０のいずれか一項に記載の方法を実施させるように構成されるプロセッサと
を備える通信装置。
【請求項２５】
コンピュータにより実行された場合、請求項１から５のいずれか一項に記載の方法を実施するコンピュータプログラム。
【請求項２６】
コンピュータにより実行された場合、請求項６から１０のいずれか一項に記載の方法を実施するコンピュータプログラム。
【手続補正２】
【補正対象書類名】明細書
【補正対象項目名】全文
【補正方法】変更
【補正の内容】
【発明の詳細な説明】
【技術分野】
【０００１】
本願は、無線通信技術の分野、特に、信号伝送方法、関連装置及びシステムに関する。
【背景技術】
【０００２】
モバイルサービスの発展に伴って、無線通信のデータレート及び効率に対してますます高い要求が課されている。将来の無線通信システムでは、特定のビーム方向への伝送対象の信号のエネルギーを制限することにより、信号の送受信効率を向上させるために、ビームフォーミング技術が用いられる。ビームフォーミング技術は、無線信号の伝送範囲を効果的に拡大し、信号の干渉を低減することで、より高い通信効率を実現し、より高いネットワーク容量を得る。マルチビームネットワークにおいて、ビームスイーピングが時分割方式で実行され、ネットワークデバイスは、複数回異なるビームを送信又は受信する。
【０００３】
マルチビーム技術は、ランダムアクセス手順に適用されてもよい。しかしながら、ＬＴＥでは、単一のビームのみが考慮されており、プリアンブル再伝送の間に電力又はリソースリセットが実行される場合、チャネルフェージング又は干渉により引き起こされるランダムアクセス手順の失敗を解決できない。これは、マルチビームネットワークに適合しない。
【発明の概要】
【０００４】
本願は、プリアンブル再伝送の成功率を向上させて遅延を減らすために、信号伝送方法、関連装置及びシステムを提供する。
【０００５】
第１態様によれば、信号伝送方法が提供され、端末側に適用される。方法は、端末により、第１構成パラメータを取得する段階と、第１構成パラメータに基づいて、複数のダウンリンク信号と個別に関連付けられているランダムアクセスリソースから、ランダムアクセスプリアンブル再伝送に用いられるランダムアクセスリソースを決定する段階と、最後に、ランダムアクセスプリアンブル再伝送に用いられるランダムアクセスリソースを用いることによってランダムアクセスプリアンブルを再伝送する段階とを含んでよい。
【０００６】
オプションで、第１構成パラメータは、ネットワークデバイスによって端末に送信されてよい。オプションで、端末は、第１構成パラメータでローカルに予め構成されてよく、その結果、端末は、第１構成パラメータをローカルに取得し得る。
【０００７】
第２態様によれば、信号伝送方法が提供され、ネットワークデバイス側に適用される。方法は、ネットワークデバイスにより、第１構成パラメータを端末に送信する段階を含んでよい。第１構成パラメータは、複数のダウンリンク信号と個別に関連付けられているランダムアクセスリソースから、ランダムアクセスプリアンブル再伝送に用いられるランダムアクセスリソースを決定するために、端末によって用いられてよい。ネットワークデバイスは、端末によって再伝送されるプリアンブルを受信してよい。
【０００８】
第１態様及び第２態様で説明される方法が実施されることで、プリアンブル再伝送の成功率を向上させることができ、遅延を減らす。
【０００９】
本願では、ダウンリンク信号は、同期信号ブロック（ＳＳブロック）及びチャネル状態情報−参照信号（ＣＳＩ−ＲＳ）のうちの少なくとも一方を含んでよい。ＳＳブロックは、Ｎ個のＯＦＤＭシンボルに対応する。１つのＳＳブロックは、プライマリ同期信号（ＰＳＳ）、セカンダリ同期信号（ＳＳＳ）、物理ブロードキャスト信号（ＰＢＣＨ）又は復調参照信号（ＤＭＲＳ）のうちの少なくとも１つを含む。
【００１０】
以下では、本願における第１構成パラメータの具体的な実施例を説明する。
【００１１】
オプションで、第１構成パラメータは、具体的には、現在のダウンリンク信号と関連付けられているランダムアクセスリソースとは異なるランダムアクセスリソースを用いることによって、端末がランダムアクセスプリアンブル再伝送を実行するか否かを示すために用いられてよい。例えば、第１構成パラメータはフラグビットを含む。フラグビットが０に等しい場合、現在のダウンリンク信号と関連付けられているランダムアクセスリソースを用いることによって、端末がランダムアクセスプリアンブル再伝送を実行し続けることを示す。フラグビットが１に等しい場合、現在のダウンリンク信号と関連付けられているランダムアクセスリソースとは異なるランダムアクセスリソースを用いることによって、端末がランダムアクセスプリアンブル再伝送を実行することを示す。例は、本願の実施形態に過ぎず、限定を構成すべきでない。実際の適用では、異なる実施形態があってよい。
【００１２】
オプションで、代わりに、第１構成パラメータは、具体的には、現在のダウンリンク信号及び／又は候補ダウンリンク信号の測定された信号品質に基づいて、現在のダウンリンク信号と関連付けられているランダムアクセスリソース及び候補ダウンリンク信号と関連付けられているランダムアクセスリソースから、ランダムアクセスプリアンブル再伝送に用いられるランダムアクセスリソースを決定するために、端末によって用いられてよい。具体的には、第１構成パラメータは、ダウンリンク信号の信号品質変化を決定するために用いられてよい。具体的には、第１構成パラメータは、現在のダウンリンク信号及び／又は候補ダウンリンク信号の信号品質変化を決定するために用いられてよく、品質変化は、ランダムアクセスプリアンブル再伝送に用いられるランダムアクセスリソースを決定するために用いられる。
【００１３】
オプションで、第１構成パラメータのうちの１又は複数は、システム情報（ＳＩ）、残りの最小システム情報（ＲＭＳＩ）、ダウンリンク物理制御チャネル（ＰＤＣＣＨ）、ダウンリンク制御情報（ＤＣＩ）、ＭＡＣ−ＣＥ及びＲＲＣシグナリングなどのうちの任意の１又は複数を用いることにより、ネットワークデバイスによって構成されてよい。オプションで、第１構成パラメータのうちの１又は複数は、プロトコルを用いることにより規定されてよい、又は、端末により予め格納され又は予め構成されてよい。
【００１４】
第１態様又は第２態様に関して、いくつかの実施形態において、ランダムアクセスリソース切替を実行する前に、端末は、各ダウンリンク信号の品質を測定し、現在のダウンリンク信号及び／又は候補ダウンリンク信号の信号品質変化を分析し、最後に、信号品質変化及びランダムアクセスリソース切替条件に基づいて、ランダムアクセスリソースを切り替えるか否かを決定してよい。以下では、ダウンリンク信号の信号品質変化及び切替条件を個別に説明する。
【００１５】
ダウンリンク信号の信号品質変化は、以下のものを含んでよいが、限定されるものではない。
【００１６】
（１）現在のダウンリンク信号の信号品質が向上する。
【００１７】
具体的には、信号品質変化を決定するために用いられる構成パラメータは、第１の閾値、振幅のヒステリシス（ｈｙｓｔｅｒｅｓｉｓ）、ダウンリンク信号の数Ｎ又はタイムツートリガ（Ｔｉｍｅ  Ｔｏ  Ｔｒｉｇｇｅｒ）のうちの少なくとも１つを含んでよい。
【００１８】
（２）現在のダウンリンク信号の信号品質が低下する。
【００１９】
具体的には、信号品質変化を決定するために用いられる構成パラメータは、第１の閾値、振幅のヒステリシス（ｈｙｓｔｅｒｅｓｉｓ）、ダウンリンク信号の数Ｎ又はタイムツートリガ（Ｔｉｍｅ  Ｔｏ  Ｔｒｉｇｇｅｒ）のうちの少なくとも１つを含んでよい。
【００２０】
（３）候補ダウンリンク信号の信号品質は、現在のダウンリンク信号の信号品質よりも高くなり、第１のオフセットよりも少なくとも高い。
【００２１】
具体的には、信号品質変化を決定するために用いられる構成パラメータは、第１のオフセット、振幅のヒステリシス（ｈｙｓｔｅｒｅｓｉｓ）、現在のダウンリンク信号と関連付けられているオフセット値Ｏｂｓ、現在のダウンリンク信号と関連付けられている周波数オフセット値Ｏｆｓ、候補ダウンリンク信号と関連付けられているオフセット値Ｏｂｎ、候補ダウンリンク信号と関連付けられている周波数オフセット値Ｏｆｎ、複数のダウンリンク信号の数Ｎ又はタイムツートリガ（Ｔｉｍｅ  Ｔｏ  Ｔｒｉｇｇｅｒ）のうちの少なくとも１つを含んでよい。
【００２２】
（４）候補ダウンリンク信号の信号品質が向上する。
【００２３】
具体的には、信号品質変化を決定するために用いられる構成パラメータは、第２の閾値、振幅のヒステリシス（ｈｙｓｔｅｒｅｓｉｓ）、候補ダウンリンク信号と関連付けられているオフセット値Ｏｂｎ、候補ダウンリンク信号と関連付けられている周波数オフセット値Ｏｆｎ、複数のダウンリンク信号の数Ｎ又はタイムツートリガ（Ｔｉｍｅ  Ｔｏ  Ｔｒｉｇｇｅｒ）のうちの少なくとも１つを含んでよい。
【００２４】
（５）現在のダウンリンク信号の信号品質が低下し、候補ダウンリンク信号の信号品質が向上する。
【００２５】
具体的には、信号品質変化を決定するために用いられる構成パラメータは、第３の閾値、第４の閾値、振幅のヒステリシス（ｈｙｓｔｅｒｅｓｉｓ）、候補ダウンリンク信号と関連付けられているオフセット値Ｏｂｎ、候補ダウンリンク信号と関連付けられている周波数オフセット値Ｏｆｎ、ダウンリンク信号の数Ｎ又はタイムツートリガ（Ｔｉｍｅ  Ｔｏ  Ｔｒｉｇｇｅｒ）のうちの少なくとも１つを含んでよい。
【００２６】
具体的には、本願で提供される切替条件は、以下のものを含んでよいが、それに限定されるものではない。
【００２７】
（１）第１の切替条件は、Ｍｓ−Ｈｙｓｔｅｒｅｓｉｓ＞Ｔｈｒｅｓｈｏｌｄ１である。
【００２８】
Ｍｓは、現在のダウンリンク信号の信号品質を表し、Ｈｙｓｔｅｒｅｓｉｓは、振幅のヒステリシスを表し、Ｔｈｒｅｓｈｏｌｄ１は、第１の閾値を表す。
【００２９】
具体的には、第１の切替条件は、現在のダウンリンク信号の信号品質が向上することに適用可能である。
【００３０】
（２）第２の切替条件は、Ｍｓ＋Ｈｙｓｔｅｒｅｓｉｓ＜Ｔｈｒｅｓｈｏｌｄ１である。
【００３１】
Ｍｓは、現在のダウンリンク信号の信号品質を表し、Ｈｙｓｔｅｒｅｓｉｓは、振幅のヒステリシスを表し、Ｔｈｒｅｓｈｏｌｄ１は、第１の閾値を表す。
【００３２】
具体的には、第２の切替条件は、現在のダウンリンク信号の信号品質が低下することに適用可能である。
【００３３】
（３）第３の切替条件は、Ｍｎ＋Ｏｂｎ＋Ｏｆｎ−Ｈｙｓｔｅｒｅｓｉｓ＞Ｍｓ＋Ｏｂｓ＋Ｏｆｓ＋Ｏｆｆｓｅｔ１である。
【００３４】
Ｍｓは、現在のダウンリンク信号の信号品質を表し、Ｍｎは、候補ダウンリンク信号の信号品質を表し、Ｈｙｓｔｅｒｅｓｉｓは、振幅のヒステリシスを表し、Ｏｂｎは、候補ダウンリンク信号と関連付けられているオフセット値を表し、Ｏｆｎは、候補ダウンリンク信号と関連付けられている周波数オフセット値を表し、Ｏｂｓは、現在のダウンリンク信号と関連付けられているオフセット値を表し、Ｏｆｓは、現在のダウンリンク信号と関連付けられている周波数オフセット値を表し、Ｏｆｆｓｅｔ１は、第１のオフセットを表す。
【００３５】
具体的には、第３の切替条件は、候補ダウンリンク信号の信号品質が、現在のダウンリンク信号の信号品質よりも高くなり、第１のオフセットＯｆｆｓｅｔ１よりも少なくとも高いことに適用可能である。
【００３６】
（４）第４の切替条件は、Ｍｎ＋Ｏｂｎ＋Ｏｆｎ−Ｈｙｓｔｅｒｅｓｉｓ＞Ｔｈｒｅｓｈｏｌｄ２である。
【００３７】
Ｍｎは、候補ダウンリンク信号の信号品質を表し、Ｈｙｓｔｅｒｅｓｉｓは、振幅のヒステリシスを表し、Ｏｂｎは、候補ダウンリンク信号と関連付けられているオフセット値を表し、Ｏｆｎは、候補ダウンリンク信号と関連付けられている周波数オフセット値を表し、Ｔｈｒｅｓｈｏｌｄ２は、第２の閾値を表す。
【００３８】
具体的には、第４の切替条件は、候補ダウンリンク信号の信号品質が向上することに適用可能である。
【００３９】
（５）第５の切替条件は、Ｍｓ＋Ｈｙｓｔｅｒｅｓｉｓ＜Ｔｈｒｅｓｈｏｌｄ３、及び、Ｍｎ＋Ｏｂｎ＋Ｏｆｎ−Ｈｙｓｔｅｒｅｓｉｓ＞Ｔｈｒｅｓｈｏｌｄ４である。
【００４０】
Ｍｓは、現在のダウンリンク信号の信号品質を表し、Ｍｎは、候補ダウンリンク信号の信号品質を表し、Ｈｙｓｔｅｒｅｓｉｓは、振幅のヒステリシスを表し、Ｏｂｎは、候補ダウンリンク信号と関連付けられているオフセット値を表し、Ｏｆｎは、候補ダウンリンク信号と関連付けられている周波数オフセット値を表し、Ｔｈｒｅｓｈｏｌｄ３は、第３の閾値を表し、Ｔｈｒｅｓｈｏｌｄ４は、第４の閾値を表す。
【００４１】
具体的には、第５の切替条件は、現在のダウンリンク信号の信号品質を低下させ、候補ダウンリンク信号の信号品質が向上するということに適用可能される。
【００４２】
本願では、各切替条件は、実際の要件に基づいて決定されてよい。これは、本願において限定されるものではない。各切替条件に基づいてランダムアクセスリソース切替を実行するために、端末の具体的な決定は、実際の要件に基づいて決定されてもよい。これは、本願において限定されるものではない。以下では、本願において提供される切替条件に基づいたランダムアクセスリソース切替についてのいくつかの実施形態を説明する。
【００４３】
実施形態１において、第１の切替条件が満たされた後に、端末は、以下のオペレーションを実行してよいが、以下のオペレーションを実行することに限定されるものではない。
【００４４】
オプションで、端末は、ランダムアクセスを実行するために、現在のダウンリンク信号と関連付けられているランダムアクセスリソースを選択して、ランダムアクセスプリアンブルを再び又は複数回送信し続けてよい。
【００４５】
オプションで、この段階の前に、端末が複数のダウンリンク信号を測定する場合、端末は、別のダウンリンク信号を測定することを直ちに、又は、タイムツートリガ（Ｔｉｍｅ  Ｔｏ  Ｔｒｉｇｇｅｒ）の後に停止する。
【００４６】
オプションで、端末が、直ちに、又は、タイムツートリガ（Ｔｉｍｅ  Ｔｏ  Ｔｒｉｇｇｅｒ）の後に、より長い時間期間を用いることによって現在のダウンリンク信号の信号品質を測定する。
【００４７】
本実施形態において、第１の切替条件が満たされた後に、端末は、実際の要件に基づいて別のオペレーションをさらに実行してよい。これは本明細書において限定されるものではない。
【００４８】
実施形態２において、第２の切替条件が満たされた後に、端末は、以下のオペレーションを実行してよいが、以下のオペレーションを実行することに限定されるものではない。
【００４９】
オプションで、端末は、ランダムアクセスを実行するために、現在のダウンリンク信号と関連付けられているランダムアクセスリソースを選択して、ランダムアクセスプリアンブルを再び又は複数回送信し続けてよい。
【００５０】
オプションで、この段階の前に、端末が現在のダウンリンク信号のみを測定する場合、端末は、別のダウンリンク信号又は複数の他のダウンリンク信号の測定を直ちに、又は、タイムツートリガ（Ｔｉｍｅ  Ｔｏ  Ｔｒｉｇｇｅｒ）の後に開始する。オプションで、この段階の前に、端末が複数のダウンリンク信号を測定する場合、端末は、別のダウンリンク信号又は複数の他のダウンリンク信号の信号品質を測定し続ける。本明細書において、端末により測定されるダウンリンク信号の数は、ダウンリンク信号の総数Ｎを越えない。
【００５１】
オプションで、端末が、直ちに、又は、タイムツートリガ（Ｔｉｍｅ  Ｔｏ  Ｔｒｉｇｇｅｒ）の後に、より短い時間期間を用いることによって現在のダウンリンク信号の信号品質又は別のダウンリンク信号の信号品質を測定する。
【００５２】
本実施形態において、第２の切替条件が満たされた後に、端末は、実際の要件に基づいて別のオペレーションをさらに実行してよい。これは本明細書において限定されるものではない。
【００５３】
実施形態３において、第３の切替条件が満たされた後に、端末は、以下のオペレーションを実行してよいが、以下のオペレーションを実行することに限定されるものではない。
【００５４】
オプションで、端末は、ランダムアクセスを実行するために、候補ダウンリンク信号と関連付けられているランダムアクセスリソースに切り替えて、ランダムアクセスプリアンブルを再び送信してよい。オプションで、ランダムアクセスリソース切替の間、端末は、現在の周波数帯域又は別の周波数帯域上の候補ダウンリンク信号と関連付けられているランダムアクセスリソースに切り替えることを選択してよい。
【００５５】
オプションで、端末によりすでに実行されているランダムアクセスプリアンブル伝送の回数がＫより大きい場合のみ、端末は、候補ダウンリンク信号と関連付けられているランダムアクセスリソースに切り替える。言い換えれば、すでに実行されているランダムアクセスプリアンブル伝送の回数がＫを超えない場合、端末は、現在のダウンリンク信号と関連付けられているランダムアクセスリソースを用いることによってランダムアクセスを実行し続ける。ここで、Ｋは正の整数である。
【００５６】
オプションで、端末により受信されるランダムアクセス再伝送バックオフ値がＴより大きい場合のみ、端末は、候補ダウンリンク信号と関連付けられているランダムアクセスリソースに切り替える。言い換えれば、受信したランダムアクセス再伝送バックオフ値がＴを超えない場合、端末は、現在のダウンリンク信号と関連付けられているランダムアクセスリソースを用いてランダムアクセスを実行し続ける。ここで、Ｔは正数である。
【００５７】
前述の二つの任意のオペレーションは、主に、ダウンリンク信号と関連付けられているランダムアクセスリソース上での再伝送の回数が特定の回数を超えた後に、端末が別のダウンリンク信号と関連付けられているランダムアクセスリソースを用いることによってランダムアクセスを実行し得るシナリオに適用可能である。例えば、いくつかのダウンリンク信号と関連付けられているランダムアクセスリソースに対応するカバレッジに比較的多くの数の端末があり、これが、結果として、比較的高い競合確率又は比較的大きな伝送バックオフ値をもたらす。この場合、これらのビームに対応するカバレッジ内で端末が、特定の回数、プリアンブルを再伝送した後に、ランダムアクセスリソース切替が考慮され得る。
【００５８】
オプションで、端末は、直ちに、又は、タイムツートリガ（Ｔｉｍｅ  Ｔｏ  Ｔｒｉｇｇｅｒ）の後に、現在のダウンリンク信号を測定することを停止し、候補ダウンリンク信号と関連付けられているランダムアクセスリソースを選択して、ランダムアクセスを実行してよい。
【００５９】
オプションで、候補ダウンリンク信号と関連付けられているランダムアクセスリソースに切り替えた後に、端末は、より長い時間期間を用いることによって、ランダムアクセスリソース切替前の現在のダウンリンク信号の信号品質を測定してよい。オプションで、ランダムアクセスリソースを切り替えた後に、端末は、ランダムアクセスリソース切替前の現在のダウンリンク信号の信号品質を測定することを停止してよい。
【００６０】
本実施形態において、第３の切替条件が満たされた後に、端末は、実際の要件に基づいて別のオペレーションをさらに実行してよい。これは本明細書において限定されるものではない。
【００６１】
実施形態４において、第４の切替条件が満たされた後に、端末は、以下のオペレーションを実行してよいが、以下のオペレーションを実行することに限定されるものではない。
【００６２】
オプションで、端末は、ランダムアクセスを実行するために、候補ダウンリンク信号と関連付けられているランダムアクセスリソースに切り替えて、ランダムアクセスプリアンブルを再び送信してよい。オプションで、ランダムアクセスリソース切替の間、端末は、現在の周波数帯域又は別の周波数帯域上の候補ダウンリンク信号と関連付けられているランダムアクセスリソースに切り替えることを選択してよい。
【００６３】
オプションで、端末は、直ちに、又は、タイムツートリガ（Ｔｉｍｅ  Ｔｏ  Ｔｒｉｇｇｅｒ）の後に、現在のダウンリンク信号を測定することを停止し、候補ダウンリンク信号と関連付けられているランダムアクセスリソースを選択して、ランダムアクセスを実行してよい。
【００６４】
オプションで、候補ダウンリンク信号と関連付けられているランダムアクセスリソースに切り替えた後に、端末は、より長い時間期間を用いることによって、ランダムアクセスリソース切替前の現在のダウンリンク信号の信号品質を測定してよい。オプションで、ランダムアクセスリソースを切り替えた後に、端末は、ランダムアクセスリソース切替前の現在のダウンリンク信号の信号品質を測定することを停止してよい。
【００６５】
各ダウンリンク信号と関連付けられているランダムアクセスリソースの負荷（ｌｏａｄ）又は端末の数がさらに考慮される。第４の切替条件が満たされた後に、端末は、以下のオペレーションを実行してよいが、以下のオペレーションを実行することに限定されるものではない。
【００６６】
オプションで、端末によりすでに実行されているランダムアクセスプリアンブル伝送の回数がＫより大きい場合のみ、端末は、候補ダウンリンク信号と関連付けられているランダムアクセスリソースに切り替える。言い換えれば、すでに実行されているランダムアクセスプリアンブル伝送の回数がＫを超えない場合、端末は、現在のダウンリンク信号と関連付けられているランダムアクセスリソースを用いることによってランダムアクセスを実行し続ける。ここで、Ｋは正の整数である。
【００６７】
オプションで、端末により受信されたランダムアクセス再伝送バックオフ値がＴより大きい場合のみ、端末は、候補ダウンリンク信号と関連付けられているランダムアクセスリソースに切り替える。言い換えれば、受信したランダムアクセス再伝送バックオフ値がＴを超えない場合、端末は、現在のダウンリンク信号と関連付けられているランダムアクセスリソースを用いてランダムアクセスを実行し続ける。ここで、Ｔは正数である。
【００６８】
前述の二つの任意のオペレーションは、主に、ダウンリンク信号と関連付けられているランダムアクセスリソース上での再伝送の回数が特定の回数を超えた後に、端末が別のダウンリンク信号と関連付けられているランダムアクセスリソースを用いることによってランダムアクセスを実行し得るシナリオに適用可能である。例えば、いくつかのダウンリンク信号と関連付けられているランダムアクセスリソースに対応するカバレッジに比較的多くの数の端末があり、これが、結果として、比較的高い競合確率又は比較的大きな伝送バックオフ値をもたらす。この場合、これらのビームにおいて端末が、特定の回数、プリアンブルを再伝送した後に、ランダムアクセスリソース切替が考慮され得る。
【００６９】
本実施形態において、第４の切替条件が満たされた後に、端末は、実際の要件に基づいて別のオペレーションをさらに実行してよい。これは本明細書において限定されるものではない。
【００７０】
実施形態５において、第５の切替条件が満たされた後に、端末は、以下のオペレーションを実行してよいが、以下のオペレーションを実行することに限定されるものではない。
【００７１】
オプションで、端末は、ランダムアクセスを実行するために、候補ダウンリンク信号と関連付けられているランダムアクセスリソースに切り替えて、ランダムアクセスプリアンブルを再び送信してよい。オプションで、ランダムアクセスリソース切替の間、端末は、現在の周波数帯域又は別の周波数帯域上の候補ダウンリンク信号と関連付けられているランダムアクセスリソースに切り替えることを選択してよい。
【００７２】
オプションで、端末は、直ちに、又は、タイムツートリガ（Ｔｉｍｅ  Ｔｏ  Ｔｒｉｇｇｅｒ）の後に、現在のダウンリンク信号を測定することを停止し、候補ダウンリンク信号と関連付けられているランダムアクセスリソースを選択して、ランダムアクセスを実行してよい。
【００７３】
オプションで、候補ダウンリンク信号と関連付けられているランダムアクセスリソースに切り替えた後に、端末は、より長い時間期間を用いることによって、ランダムアクセスリソース切替前の現在のダウンリンク信号の信号品質を測定してよい。オプションで、ランダムアクセスリソースを切り替えた後に、端末は、ランダムアクセスリソース切替前の現在のダウンリンク信号の信号品質を測定することを停止してよい。
【００７４】
いくつかの任意の実施形態において、第５の切替条件における不等式のいずれか一方を満たす場合、端末は、候補ダウンリンク信号と関連付けられているランダムアクセスリソースに切り替えてランダムアクセスを実行してよい。
【００７５】
各ダウンリンク信号と関連付けられているランダムアクセスリソースの負荷（ｌｏａｄ）又は端末の数がさらに考慮される。第５の切替条件が満たされた後に、端末は、以下のオペレーションを実行してよいが、以下のオペレーションを実行することに限定されるものではない。
【００７６】
オプションで、端末によりすでに実行されているランダムアクセスプリアンブル伝送の回数がＫより大きい場合のみ、端末は、候補ダウンリンク信号と関連付けられているランダムアクセスリソースに切り替える。言い換えれば、すでに実行されているランダムアクセスプリアンブル伝送の回数がＫを超えない場合、端末は、現在のダウンリンク信号と関連付けられているランダムアクセスリソースを用いることによってランダムアクセスを実行し続ける。ここで、Ｋは正の整数である。
【００７７】
オプションで、端末により受信されたランダムアクセス再伝送バックオフ値がＴより大きい場合のみ、端末は、候補ダウンリンク信号と関連付けられているランダムアクセスリソースに切り替える。言い換えれば、受信したランダムアクセス再伝送バックオフ値がＴを超えない場合、端末は、現在のダウンリンク信号と関連付けられているランダムアクセスリソースを用いてランダムアクセスを実行し続ける。ここで、Ｔは正数である。
【００７８】
前述の二つの任意のオペレーションは、主に、ダウンリンク信号と関連付けられているランダムアクセスリソース上での再伝送の回数が特定の回数を超えた後に、端末が別のダウンリンク信号と関連付けられているランダムアクセスリソースを用いることによってランダムアクセスを実行し得るシナリオに適用可能である。例えば、いくつかのダウンリンク信号のカバレッジに比較的多くの数の端末があり、これが、結果として、比較的高い競合確率又は比較的大きな伝送バックオフ値をもたらす。この場合、これらのビームにおいて端末が、特定の回数、プリアンブルを再伝送した後に、ランダムアクセスリソース切替が考慮され得る。
【００７９】
本実施形態において、第５の切替条件が満たされた後に、端末は、実際の要件に基づいて別のオペレーションをさらに実行してよい。これは本明細書において限定されるものではない。
【００８０】
第１態様又は第２態様に関して、いくつかの実施形態では、以下の条件のうちの任意の１又は複数が満たされる場合、端末は、ランダムアクセスリソース切替を実行しない。
【００８１】
１．基地局の構成情報が、再伝送プロセスにおいて、端末がランダムアクセスリソースを切り替えることを許可されていないことを示す。
【００８２】
２．基地局の構成情報が、再伝送プロセスにおいて、端末がランダムアクセスリソースを切り替えることを許可されているが、すべての測定されるダウンリンク信号の信号品質が、予め格納され又は予め構成された閾値又は基地局により規定された閾値よりも低いことを示す。
【００８３】
３．基地局の構成情報が、再伝送プロセスにおいて、端末がランダムアクセスリソースを切り替えることを許可されているが、すべての候補ダウンリンク信号の測定された信号品質とすべての現在のダウンリンク信号の測定された信号品質との間の差が、予め格納され又は予め構成された閾値、又は、基地局により規定された閾値よりも小さいことを示す。
【００８４】
第１態様又は第２態様に関して、いくつかの実施形態では、基地局の構成情報は、再伝送プロセスにおいて、端末がランダムアクセスリソースを切り替えることを許容されていること、又は、再伝送プロセスにおいて、端末がランダムアクセスリソースを切り替えるか否かを決定することを前提として、以下の条件のうちの任意の数が満たされる場合、端末が、ランダムアクセスリソースを切り替えることを決定する／決定してよい／決定すべきである、ということを示す。
【００８５】
１．候補ダウンリンク信号の信号品質が、第５の閾値を超える場合、又は、候補ダウンリンク信号の信号品質が現在のダウンリンク信号の信号品質よりも高く、第１のオフセットよりも少なくとも高い場合、端末が、候補ダウンリンク信号と関連付けられているランダムアクセスリソースを用いることによって、ランダムアクセスプリアンブル再伝送を実行する。オプションで、第５の閾値は、前述のいくつかの実施形態で言及した第１の閾値、第２の閾値、第３の閾値又は第４の閾値であってよい。オプションで、第１のオフセットは、前述のいくつかの実施形態で言及した第１のオフセットであってよい。
【００８６】
２．ランダムアクセスプリアンブルを送信した後に、端末が、対応するランダムアクセスリソース応答を受信しない。
【００８７】
３．ランダムアクセス手順においてメッセージ３の送信に失敗した場合、又は、ランダムアクセス手順において競合解消に失敗した場合、端末が、現在のダウンリンク信号と関連付けられているランダムアクセスリソースとは異なるランダムアクセスリソースを用いることによって、ランダムアクセスプリアンブル再伝送を実行する。
【００８８】
オプションで、条件１及び３の両方が満たされる場合、端末は、現在のダウンリンク信号と関連付けられているランダムアクセスリソースから、候補ダウンリンク信号と関連付けられているランダムアクセスリソースに切り替えてよい。
【００８９】
第１態様又は第２態様に関して、いくつかの実施形態では、プリアンブル再伝送の成功率をさらに向上させるために、端末は、プリアンブル伝送電力をさらに向上させてよい。しかしながら、端末は、電力増加により引き起こされる干渉をできるだけ減らす必要がある。
【００９０】
具体的には、プリアンブル伝送電力の過度に急激なランピングを回避するために、複数回のビーム切替が、各パワーランピングレベルで実行されてよい。具体的には、Ｍ回のビーム切替ごとに一度だけ、パワーランピングが実行される。これは、ビームスイーピングの後に一度だけ、パワーランピングが実行されることに等しい。ここで、Ｍは、正の整数であり、ビームの切替回数の最大数、例えば、ランダムアクセスリソースの切替回数の最大数（すなわち、基地局ビームの切替回数の数に等しい）、端末ビームの切替回数の最大数、又は、ビームペアの切替回数の最大数より大きくはない。
【００９１】
オプションで、ランダムアクセスの間、ネットワークデバイスは、各ダウンリンク信号に関連するパラメータ（第２構成パラメータと称され得る）を構成してよい。具体的には、パラメータは、ランダムアクセスプリアンブルの伝送回数の最大数、端末ビームの切替回数の最大数、基地局ビームの切替回数の最大数、ビームペアの切替回数の最大数、伝送回数の閾値パラメータ、ダウンリンク参照信号の伝送電力、パワーランピングステップ、プリアンブル初期受信目標電力、プリアンブルフォーマット、最大パワーランピングレベル及び最大伝送電力Ｐ＿ＣＭＡＸのうちの少なくとも１つのパラメータを含んでよい。第２構成パラメータは、プリアンブル伝送電力を決定するために用いられてよい。
【００９２】
本願では、ダウンリンク参照信号の伝送電力に対して、基地局伝送信号のゲインが考慮され、プリアンブル初期受信目標電力に対して、基地局受信信号のゲインが考慮される。オプションで、ダウンリンク参照信号の伝送電力に対して、基地局伝送ビームのゲインと基地局受信信号のゲインとの間の差が考慮される。オプションで、プリアンブル初期受信目標電力に対して、基地局伝送ビームのゲインと基地局受信信号のゲインとの間の差が考慮される。オプションで、すべてのダウンリンク信号の参照信号の伝送電力が異なる。オプションで、すべてのダウンリンク信号に対応するプリアンブル初期受信目標電力が異なる。オプションで、信号品質に対して、端末同期信号受信ビームのゲインとランダムアクセスプリアンブル伝送信号のゲインとの間の差が考慮される。
【００９３】
第３態様によれば、本願は、端末を提供する。端末は、第１態様又は第１態様の可能な実施例のいずれか一つにおいて提供される方法を対応して実行するように構成される、複数の機能モジュールを含んでよい。
【００９４】
第４態様によれば、本願は、ネットワークデバイスを提供する。ネットワークデバイスは、第２態様又は第２態様の可能な実施例のいずれか一つにおいて提供される方法を対応して実行するように構成される複数の機能モジュールを含んでよい。
【００９５】
第５態様によれば、本願は、第１態様で説明される信号伝送方法を実行するように構成される端末を提供する。端末は、メモリと、メモリに連結されるプロセッサと、トランシーバとを含んでよい。トランシーバは、別の通信デバイス（例えば、ネットワークデバイス）と通信するように構成される。メモリは、第１態様で説明される信号伝送方法を実施するためのコードを格納するように構成される。プロセッサは、メモリに格納されているプログラムコードを実行する、すなわち、第１態様又は第１態様の可能な実施例のいずれか一つにおいて提供される方法を実行するように構成される。
【００９６】
第６態様によれば、本願は、第２態様で説明される信号伝送方法を実行するように構成されるネットワークデバイスを提供する。ネットワークデバイスは、メモリと、メモリに連結されるプロセッサと、トランシーバとを含んでよい。トランシーバは、別の通信デバイス（例えば、端末）と通信するように構成される。メモリは、第２態様で説明される信号伝送方法を実施するためのコードを格納するように構成される。プロセッサは、メモリに格納されているプログラムコードを実行する、すなわち、第２態様、又は、第２態様の可能な実施例のいずれか一つにおいて提供される方法を実行するように構成される。
【００９７】
第７態様によれば、通信システムが提供される。通信システムは、端末及びネットワークデバイスを含む。
【００９８】
端末は、第３態様で説明される端末であってよく、ネットワークデバイスは、第４態様で説明されるネットワークデバイスであってよい。代わりに、端末は、第５態様で説明される端末であってよく、代わりに、ネットワークデバイスは、第６態様で説明されるネットワークデバイスであってよい。
【００９９】
第８態様によれば、コンピュータ可読記憶媒体が提供される。可読記憶媒体は、命令を格納する。コンピュータ上で命令が起動した場合、コンピュータは、第１態様で説明される信号伝送方法を実行する。
【０１００】
第９態様によれば、別のコンピュータ可読記憶媒体が提供される。可読記憶媒体は、命令を格納する。コンピュータ上で命令が起動した場合、コンピュータは、第２態様で説明される信号伝送方法を実行する。
【０１０１】
第１０態様によれば、命令を含むコンピュータプログラム製品が提供される。コンピュータ上でコンピュータプログラム製品が起動した場合、コンピュータは、第１態様で説明される信号伝送方法を実行する。
【０１０２】
第１１態様によれば、命令を含む別のコンピュータプログラム製品が提供される。コンピュータ上でコンピュータプログラム製品が起動した場合、コンピュータは、第２態様で説明される信号伝送方法を実行する。
【図面の簡単な説明】
【０１０３】
本願の実施形態又は背景技術における技術的解決手段をより明確に説明するために、以下では、本願の実施形態又は背景技術を説明するために必要とされる添付の図面を簡潔に説明する。
【０１０４】
【図１】本願における無線通信システムの概略的なアーキテクチャ図である。
【０１０５】
【図２Ａ】本願のマルチビームネットワークにおけるいくつかのプリアンブル再伝送シナリオの概略図である。
【図２Ｂ】本願のマルチビームネットワークにおけるいくつかのプリアンブル再伝送シナリオの概略図である。
【図２Ｃ】本願のマルチビームネットワークにおけるいくつかのプリアンブル再伝送シナリオの概略図である。
【０１０６】
【図３】本願の実施形態に係る端末のハードウェアアーキテクチャの概略図である。
【０１０７】
【図４】本願の実施形態に係るネットワークデバイスのハードウェアアーキテクチャの概略図である。
【０１０８】
【図５Ａ】本願に係る信号伝送方法の原理についての概略図である。
【図５Ｂ】本願に係る信号伝送方法の原理についての概略図である。
【図５Ｃ】本願に係る信号伝送方法の原理についての概略図である。
【０１０９】
【図６】本願の実施形態に係る切替条件の例の概略図である。
【０１１０】
【図７】本願の別の実施形態に係る切替条件の例の概略図である。
【０１１１】
【図８】本願のさらに別の実施形態に係る切替条件の例の概略図である。
【０１１２】
【図９】本願のさらに別の実施形態に係る切替条件の例の概略図である。
【０１１３】
【図１０】本願のさらに別の実施形態に係る切替条件の例の概略図である。
【０１１４】
【図１１】本願に係る無線通信システム、端末及びネットワークデバイスの機能ブロック図である。
【発明を実施するための形態】
【０１１５】
本願の実施例で用いられる用語は、単に、本願の特定の実施形態を説明するために用いられるだけであるが、本願を限定することを目的としたものではない。
【０１１６】
図１は、本願で用いられる無線通信システムを示す。無線通信システムは、高周波数帯域で動作し得、ロングタームエボリューション（ＬＴＥ）システムに限定されるものではなく、将来の進化型第５世代（５Ｇ）モバイル通信システム、新無線（ＮＲ）システム又はマシンツーマシン（Ｍ２Ｍ）通信システムなどであってよい。図１に示されるように、無線通信システム１００は、１又は複数のネットワークデバイス１０１、１又は複数の端末１０３及びコアネットワーク（図示されていない）を含んでよい。
【０１１７】
ネットワークデバイス１０１は、基地局であってよい。基地局は、１又は複数の端末と通信するように構成されてよい、又は、いくつかの端末機能を有する１又は複数の基地局と通信（例えば、マクロ基地局とアクセスポイントなどのマイクロ基地局との間の通信）するように構成され得る。基地局は、時分割同期符号分割多元接続（ＴＤ−ＳＣＤＭＡ）システムにおけるベーストランシーバ基地局（ＢＴＳ）であってよい、又は、ＬＴＥシステムにおける進化型ノードＢ（Ｅｖｏｌｖｅｄ  Ｎｏｄｅ  Ｂ、ｅＮＢ）、又は、５Ｇシステム若しくは新無線（ＮＲ）システムにおけるｇＮＢであってよい。さらに、代わりに、基地局は、アクセスポイント（ＡＰ）、送信／受信ポイント（ＴＲＰ）、中央ユニット（ＣＵ）、別のネットワークエンティティであってよく、前述のネットワークエンティティの機能の一部又はすべてを含んでよい。
【０１１８】
端末１０３は、無線通信システム１００全体に分散してよく、静止型であってよい、又は、移動型であってよい。本願のいくつかの実施形態において、端末１０３は、モバイルデバイス、移動局（ｍｏｂｉｌｅ  ｓｔａｔｉｏｎ）、移動ユニット（ｍｏｂｉｌｅ  ｕｎｉｔ）、Ｍ２Ｍ端末、無線ユニット、リモートユニット、端末エージェント又はモバイルクライアントなどであってよい。
【０１１９】
本願において、無線通信システム１００は、マルチビーム通信システムである。
【０１２０】
ネットワークデバイス１０１は、大規模アンテナアレイを提供し、ビームフォーミング技術を用いることによってアンテナアレイを制御して、異なる方向を指し示すビームを生成し得る。セル１０７全体をカバーするために、ネットワークデバイス１０１は、異なる方向を指し示す複数のビームを用いる必要がある。
【０１２１】
例えば、ダウンリンクプロセスにおいて、ネットワークデバイス１０１は、異なる方向を指し示すビームを連続的に用いて、無線信号（例えば、ダウンリンク参照信号及び／又はダウンリンク同期信号ブロック（ＳＳ  ｂｌｏｃｋ））を伝送してよい。このプロセスは、ビームスイーピング（Ｂｅａｍ  Ｓｗｅｅｐｉｎｇ）と称される。さらに、端末１０３は、伝送ビームを測定し、端末１０３が受信できる伝送ビームの信号品質を決定する。このプロセスは、ビーム測定（Ｂｅａｍ  ｍｅａｓｕｒｅｍｅｎｔ）と称される。
【０１２２】
将来の通信システムにおいて、端末１０３はまた、アンテナアレイを提供してよく、異なるビームを変化させて、信号を受信及び送信してよい。言い換えれば、無線通信システム１００において、ネットワークデバイス１０１及び端末１０３はそれぞれ、複数のビームを用いて通信を実行し得る。ランダムアクセス（ＲＡ）プロセスにおいて、端末１０３がランダムアクセスプリアンブル（ｐｒｅａｍｂｌｅ）をネットワークデバイス１０１送信する方式が、図２Ａから図２Ｃに示され得る。
【０１２３】
図２Ａは、端末１０３が同じ伝送ビーム（例えば、ビームａ）を用いることによってネットワークデバイス１０１にプリアンブルを送信し、ネットワークデバイス１０１が複数の受信ビーム（例えば、ビーム１及び３）を用いることによってプリアンブルを受信することを示す。図２Ａに示されるシナリオにおいて、ビームａ及びビーム１がペアとなり、ビームａ及びビーム３がペアとなる。
【０１２４】
図２Ｂは、端末１０３が複数の伝送ビーム（例えば、ビームａ及びｂ）を用いることによってプリアンブルをネットワークデバイス１０１に送信し、ネットワークデバイス１０１が複数の受信ビーム（例えば、ビーム１及び３）を用いることによってプリアンブルを受信することを示す。図２Ｂに示されるシナリオにおいて、ビームａ及びビーム１がペアとなり、ビームｂ及びビーム３がペアとなる。
【０１２５】
図２Ｃは、端末１０３が複数の伝送ビーム（例えば、ビームａ及びｂ）を用いることによってプリアンブルをネットワークデバイス１０１に送信し、ネットワークデバイス１０１が同じ受信ビーム（例えば、ビーム１）を用いることによってプリアンブルを受信することを示す。図２Ｃに示されるシナリオにおいて、ビームａ及びビーム１がペアとなり、ビームｂ及びビーム１がペアとなる。
【０１２６】
セル１０７において、図２Ａから図２Ｃに示される３つのプリアンブル送信シナリオは、異なる端末１０３のランダムアクセス手順において同時に存在してよい、又は、同じ端末１０３の複数のランダムアクセス手順において連続的に存在してよい。これは本明細書において限定されるものではない。
【０１２７】
差分の説明を簡単にするために、ネットワークデバイスの伝送及び受信ビームは、基地局ビームと称され得、基地局伝送ビーム及び基地局受信ビームを含む。ここで、基地局伝送ビームは、本願で言及されるダウンリンク信号である。同様に、端末の伝送及び受信ビームは、端末ビームと称され得、端末伝送ビーム及び端末受信ビームを含む。
【０１２８】
プリアンブル再伝送の間に、より高い端末指向性を有する基地局受信ビームは、プリアンブル再伝送の成功率を向上させるのに役立つことが理解され得る。本願では、各基地局受信ビームは、１つの基地局伝送ビームに対応する。本明細書において、基地局受信ビームが基地局伝送ビームと１対１の対応関係にあるということは、基地局受信ビーム及び基地局伝送ビームが同じ指向性を有することを意味する。オプションで、基地局受信ビーム及び基地局受信ビームに対応する基地局伝送ビームは、同じビームであってよく、同じトランシーバ装置を共有できる。オプションで、基地局受信ビームに対応するアンテナポート、及び、基地局受信ビームに対応する基地局伝送ビームに対応するアンテナポートは、疑似コロケーション（ＱＣＬ）関係にあり得る。オプションで、疑似コロケーション関係は、あるポートの以下のパラメータのうちの少なくとも１つが、別のポートのパラメータと同じである／又は、あるポートの以下のパラメータのうちの少なくとも１つが、別のポートのパラメータと決定された対応関係にあることを意味し、パラメータは、到来角（ＡｏＡ）、主到来角Ｄｏｍｉｎａｎｔ  ＡｏＡ、平均到来角、到来角（ＡｏＡ）のパワー角スペクトル（ＰＡＳ）、発信角（ＡｏＤ）、主発信角、平均発信角、発信角のパワー角スペクトル、端末伝送ビームのビームフォーミング、端末受信ビームのビームフォーミング、空間チャネルの相関関係、基地局伝送ビームのビームフォーミング、基地局受信ビームのビームフォーミング、平均チャネルゲイン、平均チャネル遅延、遅延拡散及びドップラー拡散Ｄｏｐｐｌｅｒ  ｓｐｒｅａｄなどである。
【０１２９】
すなわち、優れた端末指向性を有する基地局伝送ビームを選択することは、優れた端末指向性を有する基地局受信ビームを選択することに等しい。本願において、主に説明することは、端末側でより高い端末指向性を用いて基地局伝送ビームをどのように切り替えるかについてである。このように、ネットワークデバイスは、対応する基地局受信ビームを用いることにより、端末により再伝送されたプリアンブルを受信し、それにより、プリアンブル再伝送の成功率を向上させる。
【０１３０】
本願において、同じダウンリンク信号／基地局ビーム／端末ビームは、同じダウンリンク信号／基地局ビーム／端末ビームが同じ空間受信パラメータ及び／又は同じアンテナポートを有することを意味する。例えば、あるダウンリンク信号／基地局ビーム／端末ビームの以下のパラメータのうちの少なくとも１つが別のダウンリンク信号／基地局ビーム／端末ビームのパラメータと同じである／又は、あるダウンリンク信号／基地局ビーム／端末ビームの以下のパラメータのうちの少なくとも１つが、別のダウンリンク信号／基地局ビーム／端末ビームのパラメータと決定された対応関係にあり、パラメータは、到来角（ＡｏＡ）、主到来角Ｄｏｍｉｎａｎｔ  ＡｏＡ、平均到来角、到来角（ＡｏＡ）のパワー角スペクトル（ＰＡＳ）、発信角（ＡｏＤ）、主発信角、平均発信角、発信角のパワー角スペクトル、端末伝送ビームのビームフォーミング、端末受信ビームのビームフォーミング、空間チャネルの相関関係、基地局伝送ビームのビームフォーミング、基地局受信ビームのビームフォーミング、平均チャネルゲイン、平均チャネル遅延、遅延拡散及びドップラー拡散Ｄｏｐｐｌｅｒ  ｓｐｒｅａｄなどである。
【０１３１】
図３は、本願のいくつかの実施形態に係る端末２００を示す。図３に示されるように、端末２００は、１又は複数の端末プロセッサ２０１、メモリ２０２、通信インタフェース２０３、受信機２０５、送信機２０６、カプラ２０７、アンテナ２０８、端末インタフェース２０９及び（オーディオ入力／出力モジュール２１０、キー入力モジュール２１１及びディスプレイ２１２などを含む）入力／出力モジュールを含んでよい。これらのコンポーネントは、バス２０４を用いることにより、又は、別の方式で接続され得る。図３では、例えば、コンポーネントはバス２０４を用いることにより接続される。
【０１３２】
通信インタフェース２０３は、端末２００と別の通信デバイス、例えば、ネットワークデバイスとの間の通信のために構成され得る。具体的には、ネットワークデバイスは、図４に示されるネットワークデバイス３００であってよい。具体的には、通信インタフェース２０３は、ロングタームエボリューション（ＬＴＥ）（４Ｇ）通信インタフェースであってよい、又は、５Ｇ又は将来の新無線通信インタフェースであってよい。無線通信インタフェースに加えて、端末２００は、有線通信インタフェース２０３、例えば、ローカルアクセスネットワーク（ＬＡＮ）インタフェースと共に構成されてよい。
【０１３３】
送信機２０６は、端末プロセッサ２０１により信号出力を伝送する、例えば、ビームフォーミングを通じた指向性送信を実行するように構成されてよい。受信機２０５は、アンテナ２０８により受信されるモバイル通信信号を受信する、例えば、ビームフォーミングを通じた指向性受信を実行するように構成されてよい。本願のいくつかの実施形態において、送信機２０６／受信機２０５は、伝送信号／受信信号及び重みベクトルＷ１、...、又はＷｍを乗算して、信号の指向性送信／受信を制御するように構成されるビームフォーミングコントローラを含んでよい。送信機２０６／受信機２０５のビームフォーミングコントローラは、伝送信号／受信信号及び重みベクトルを乗算することにより取得される値を変化させることで、本願で言及される基地局ビーム切替が実施され得る。
【０１３４】
本願のいくつかの実施形態において、送信機２０６及び受信機２０５は、無線モデムとみなされ得る。１又は複数の送信機２０６及び受信機２０５が端末２００内にあってよい。アンテナ２０８は、伝送線における電磁エネルギーを自由空間における電磁波に変換する、又は、自由空間における電磁波を伝送線における電磁エネルギーに変換するように構成され得る。カプラ２０７は、アンテナ２０８により受信されるモバイル通信信号を複数のモバイル通信信号に分割し、複数のモバイル通信信号を複数の受信機２０５に割り当てるように構成される。
【０１３５】
図３に示される送信機２０６及び受信機２０５に加えて、端末２００は、別の通信コンポーネント、例えば、ＧＰＳ（登録商標）モジュール、Ｂｌｕｅｔｏｏｔｈ（登録商標）（Ｂｌｕｅｔｏｏｔｈ（登録商標））モジュール又はワイヤレス・フィディリティ（Ｗｉ−Ｆｉ（登録商標））モジュールを含んでよい。前述の説明した無線通信信号に加えて、端末２００は、別の無線通信信号、例えば、衛星信号又は短波信号をサポートし得る。無線通信をサポートすることに加えて、端末２００は、有線通信をサポートするために、有線ネットワークインタフェース（例えば、ＬＡＮインタフェース）が提供され得る。
【０１３６】
入力／出力モジュールは、端末２００と端末／外部環境との間のインタラクションを実行するように構成されてよく、主に、オーディオ入力／出力モジュール２１０、キー入力モジュール２１１及びディスプレイ２１２などを含んでよい。具体的には、入力／出力モジュールは、カメラ、タッチスクリーン及びセンサなどを含んでもよい。入力／出力モジュールは、端末インタフェース２０９を用いることにより端末プロセッサ２０１と通信する。
【０１３７】
メモリ２０２は、端末プロセッサ２０１に連結され、さまざまなソフトウェアプログラム及び／又は複数の命令のセットを格納するように構成される。 具体的には、メモリ２０２は、高速ランダムアクセスメモリを含んでよく、不揮発性メモリ、例えば、１又は複数のディスクストレージデバイス、フラッシュメモリデバイス又は他の不揮発性ソリッドステートストレージデバイスを含んでよい。メモリ２０２は、オペレーティングシステム（以下では、システムと簡潔に称される）、例えば、Ａｎｄｒｏｉｄ（登録商標）、ＩＯＳ、Ｗｉｎｄｏｗｓ（登録商標）又はＬＩＮＵＸ（登録商標）などの埋め込み型オペレーティングシステムを格納してよい。メモリ２０２は、ネットワーク通信プログラムをさらに格納してよい。ネットワーク通信プログラムは、１又は複数の追加のデバイス、１又は複数の端末デバイス及び１又は複数のネットワークデバイスと通信するために用いられてよい。メモリ２０２は、端末インタフェースプログラムをさらに格納してよい。端末インタフェースプログラムは、グラフィカルオペレーションインタフェースを用いることによりアプリケーションプログラムのコンテンツを鮮やかに表示し、入力制御、例えば、メニュー、ダイアログボックス又はキーを用いることにより、アプリケーション上で端末により実行される制御オペレーションを受信してよい。
【０１３８】
本願のいくつかの実施形態において、メモリ２０２は、本願の１又は複数の実施形態において提供される信号伝送方法を端末２００側で実施するためのプログラムを格納するように構成されてよい。本願の１又は複数の実施形態において提供される信号伝送方法の実施例に関しては、後続の実施形態を参照されたい。
【０１３９】
端末プロセッサ２０１は、コンピュータ可読命令を読み取り実行するように構成されてよい。具体的には、端末プロセッサ２０１は、メモリ２０２に格納されているプログラム、例えば、本願の１又は複数の実施形態において提供される信号伝送方法を端末２００側で実施するためのプログラムを呼び出して、プログラムに含まれている命令を実行するように構成されてよい。
【０１４０】
端末２００は、図１に示される無線通信システム１００にある端末１０３であってよく、モバイルデバイス、移動局（ｍｏｂｉｌｅ  ｓｔａｔｉｏｎ）、移動ユニット（ｍｏｂｉｌｅ  ｕｎｉｔ）、無線ユニット、リモートユニット、端末エージェント又はモバイルクライアントなどとして実装されてよいことが理解され得る。
【０１４１】
図３に示される端末２００は、本願の実施形態の実施例に過ぎないことに留意すべきである。実際の適用では、端末２００は、より多い又はより少ないコンポーネントを含んでもよく、これは本明細書において限定されるものではない。
【０１４２】
図４は、本願のいくつかの実施形態に係るネットワークデバイス３００を示す。図４に示されるように、ネットワークデバイス３００は、１又は複数のネットワークデバイスプロセッサ３０１、メモリ３０２、通信インタフェース３０３、送信機３０５、受信機３０６、カプラ３０７及びアンテナ３０８を含んでよい。これらのコンポーネントは、バス３０４を用いることにより、又は、別の方式で接続され得る。図４では、例えば、コンポーネントはバス３０４を用いることにより接続される。
【０１４３】
通信インタフェース３０３は、ネットワークデバイス３００と別の通信デバイス、例えば、端末デバイス又は別のネットワークデバイスとの間の通信のために構成され得る。具体的には、端末デバイスは、図３に示される端末２００であってよい。具体的には、通信インタフェース３０３及び通信インタフェース２０３は、ロングタームエボリューション（ＬＴＥ）（４Ｇ）通信インタフェースであってよい、又は、５Ｇ又は将来の新無線通信インタフェースであってよい。無線通信インタフェースに加えて、ネットワークデバイス３００は、有線通信をサポートするために、有線通信インタフェース３０３と共に構成されてよい。例えば、ネットワークデバイス３００と別のネットワークデバイス３００との間のバックホール接続は、有線通信接続であってよい。
【０１４４】
送信機３０５は、ネットワークデバイスプロセッサ３０１により出力された信号を伝送する、例えば、ビームフォーミングを通じた指向性送信を実行するように構成されてよい。受信機３０６は、アンテナ３０８により受信されるモバイル通信信号を受信する、例えば、ビームフォーミングを通じた指向性受信を実行するように構成されてよい。本願のいくつかの実施形態において、送信機３０５／受信機３０６は、伝送信号／受信信号及び重みベクトルＷ′１、...、又はＷ′ｍを乗算して、信号の指向性送信／受信を制御するように構成されるビームフォーミングコントローラを含んでよい。送信機３０５／受信機３０６のビームフォーミングコントローラは、伝送信号／受信信号及び重みベクトルを乗算することにより取得される値を変化させることで、本願で言及される基地局ビーム切替が実施され得る。
【０１４５】
本願のいくつかの実施形態において、送信機３０５及び受信機３０６は、無線モデムとみなされ得る。１又は複数の送信機３０５及び受信機３０６がネットワークデバイス３００内にあってよい。アンテナ３０８は、伝送線における電磁エネルギーを自由空間における電磁波に変換する、又は、自由空間における電磁波を伝送線における電磁エネルギーに変換するように構成され得る。カプラ３０７は、モバイル通信信号を複数の信号に分割し、モバイル通信信号を複数の受信機３０６に割り当てるように構成され得る。
【０１４６】
メモリ３０２は、ネットワークデバイスプロセッサ３０１に連結され、さまざまなソフトウェアプログラム及び／又は複数の命令のセットを格納するように構成される。具体的には、メモリ３０２は、高速ランダムアクセスメモリを含んでよく、不揮発性メモリ、例えば、１又は複数のディスクストレージデバイス、フラッシュメモリデバイス又は他の不揮発性ソリッドステートストレージデバイスを含んでよい。メモリ３０２は、オペレーティングシステム（以下では、システムと簡潔に称される）、例えば、ｕＣＯＳ、ＶｘＷｏｒｋｓ又はＲＴＬｉｎｕｘなどの埋め込み型オペレーティングシステムを格納してよい。メモリ３０２は、ネットワーク通信プログラムをさらに格納してよい。ネットワーク通信プログラムは、１又は複数の追加のデバイス、１又は複数の端末デバイス及び１又は複数のネットワークデバイスとの通信のために用いられ得る。
【０１４７】
ネットワークデバイスプロセッサ３０１は、無線チャネルを管理し、電話及び通信リンクを確立及び切断し、ローカル制御エリア内の端末にセルハンドオーバ制御を提供するなどを行うように構成されてよい。具体的には、ネットワークデバイスプロセッサ３０１は、アドミニストレーションモジュール／通信モジュール（ＡＭ／ＣＭ）（音声経路切替及び情報交換のためのセンタ）、基本モジュール（ＢＭ）（呼び出し処理、シグナリング処理、無線リソース管理、無線リンク管理及び回線メンテナンス機能を完了するように構成される）、及び、トランスコーダ及びサブマルチプレクサ（ＴＣＳＭ）（多重化／逆多重化及びトランスコーディング機能を達成するように構成される）などを含んでよい。
【０１４８】
本願の本実施形態において、ネットワークデバイスプロセッサ３０１は、コンピュータ可読命令を読み取り実行するように構成されてよい。具体的には、ネットワークデバイスプロセッサ３０１は、メモリ３０２に格納されているプログラム、例えば、本願の１又は複数の実施形態において提供される信号伝送方法をネットワークデバイス３００側で実施するためのプログラムを呼び出して、プログラムに含まれている命令を実行するように構成されてよい。
【０１４９】
ネットワークデバイス３００は、図１に示される無線通信システム１００内のネットワークデバイス１０１であってよく、ベーストランシーバ基地局、無線トランシーバ、基本サービスセット（ＢＳＳ）、拡張サービスセット（ＥＳＳ）、ノードＢ、ｅノードＢ、アクセスポイント又はＴＲＰなどとして実装されてよいことが理解され得る。
【０１５０】
図４に示されるネットワークデバイス３００は、本願の実施形態の実施例に過ぎないことに留意すべきである。実際の適用では、ネットワークデバイス３００は、より多い又はより少ないコンポーネントを含んでもよく、これは本明細書において限定されるものではない。
【０１５１】
無線通信システム１００、端末２００及びネットワークデバイス３００に対応する実施形態に基づいて、本願の実施形態は、信号伝送方法を提供する。
【０１５２】
本願において、ランダムアクセスの間に、各ダウンリンクビームを用いることにより送信されるダウンリンク信号は、ランダムアクセスリソースと個別に関連付けられている。ネットワークデバイスは、各ダウンリンクビームに対応する基地局受信ビームを用いることによって、各ダウンリンク信号と関連付けられているランダムアクセスリソース上のプリアンブルを受信する。さらに、端末は、ダウンリンク信号の信号品質であって、測定を通じて取得される信号品質に基づいて、複数のダウンリンク信号から優れた信号品質を有するダウンリンク信号を選択し、ダウンリンク信号と関連付けられているランダムアクセスリソースに切り替えてプリアンブル再伝送を実行してよい。選択されたダウンリンク信号の品質が優れているので、ダウンリンク信号を送信するために用いられるダウンリンクビームは、優れた端末指向性を有することを示し、また、ダウンリンクビームに対応する基地局受信ビームも優れた端末指向性を有することを示すことが理解され得る。この場合、ネットワークデバイスは、ダウンリンクビームに対応する基地局受信ビームを用いることによってプリアンブルを受信することで、プリアンブル再伝送の成功率を向上させ、それにより、遅延を減らす。すなわち、プリアンブル再伝送の間、端末は、優れた信号品質を有するダウンリンク信号と関連付けられているランダムアクセスリソースに切り替えて、プリアンブル再伝送を実行してよい。本願では、ランダムアクセスリソースは、プリアンブルの時間−周波数リソース及び／又はプリアンブルを含んでよい。
【０１５３】
本願では、ランダムアクセスリソース切替は、ランダムアクセスプリアンブル再伝送が実行される場合、このプリアンブル再伝送において用いられるランダムアクセスリソースが、前回のプリアンブル伝送において用いられていたランダムアクセスリソースとは異なることを意味する。本明細書において、異なるランダムアクセスリソースが異なるダウンリンク信号と関連付けられており、ダウンリンク信号は、ダウンリンクビームに一意に対応する。そのため、ランダムアクセスリソースを切り替えることは、ダウンリンクビームを切り替えることに等しく、また、プリアンブルを受信するために用いられる基地局受信ビームを切り替えることにも等しい。
【０１５４】
本願では、ダウンリンク信号は、同期信号ブロック（ＳＳ  ｂｌｏｃｋ）、及び、チャネル状態情報−参照信号（ＣＳＩ−ＲＳ）のうちの少なくとも一方を含んでよい。ＳＳブロックは、Ｎ個のＯＦＤＭシンボルに対応する。１つのＳＳブロックは、プライマリ同期信号（ＰＳＳ）、セカンダリ同期信号（ＳＳＳ）、物理ブロードキャスト信号（ＰＢＣＨ）、又は、復調参照信号（ＤＭＲＳ）（例えば、ＰＢＣＨ  ＤＭＲＳ）のうちの少なくとも１つを含む。
【０１５５】
本願におけるランダムアクセスリソース切替の理解を容易にするために、図５Ａから図５Ｃは、以下での説明のための例として用いられる。
【０１５６】
端末により受信される現在のダウンリンク信号がダウンリンク信号２であると仮定して、各ダウンリンクビームを用いることにより送信されるダウンリンク信号と個別に関連付けられているプリアンブルリソースが図５Ａに示される。
【０１５７】
まず、図５Ｂに示されるように、ネットワークデバイスは、複数のダウンリンクビームを用いることによって、ダウンリンク信号（例えば、ＳＳブロック）を連続的に送信する。ダウンリンクビームは、ダウンリンク信号に一意に対応する。例えば、ダウンリンクビーム１は、ＳＳブロック１を送信するために用いられ、ダウンリンクビーム２は、ＳＳブロック２を送信するために用いられる。例が、本願を説明するために用いられているに過ぎず、限定として解釈されるものではない。対応して、端末は、ダウンリンク信号（例えば、ＳＳブロック）の信号品質を測定し、測定された信号品質に基づいて、プリアンブル再伝送を実行するために、ダウンリンク信号３と関連付けられているランダムアクセスリソースに切り替えことを決定してよい。本明細書において、ダウンリンク信号３の信号品質は、ダウンリンク信号２の信号品質よりも高い。言い換えれば、ダウンリンク信号３を送信するために用いられるダウンリンクビームは、ダウンリンク信号２を送信するために用いられるダウンリンクビームより高い端末指向性を有する。
【０１５８】
そして、図５Ｃに示されるように、端末は、ダウンリンク信号３と関連付けられているランダムアクセスリソース（すなわち、ランダムアクセスリソース３）上でプリアンブルを再伝送する。対応して、ネットワークデバイスは、ダウンリンクビームに個別に対応する基地局受信ビームを用いることにより、ダウンリンク信号と個別に関連付けられているプリアンブルリソース上でプリアンブルを連続的に受信する。ネットワークデバイスは、ダウンリンクビーム３に対応する基地局受信ビームを用いることによってランダムアクセスリソース３上でのプリアンブルの受信に成功し得ることが理解され得る。
【０１５９】
プリアンブル再伝送の間、図５Ｃに示される例に限定されるものではないが、端末は、同じビーム（例えば、ビームａ）を用いることによって、ネットワークデバイスにプリアンブルを送信してよい、又は、複数のビーム（例えば、ビームａ、ｂ、及びｃ）を用いることによって、ネットワークデバイスにプリアンブルを送信してよい。これは本明細書において限定されるものではない。
【０１６０】
ダウンリンクビーム３の端末指向性が、ダウンリンクビーム２の端末指向性よりも高いので、ネットワークデバイスは、ダウンリンクビーム３に対応する基地局受信ビームを用いることによってプリアンブルを受信し、それにより、プリアンブル再伝送の成功率を向上させることが、図５Ａから図５Ｃに示される例からわかり得る。ランダムアクセスリソース３上で端末により再伝送されるプリアンブルは、ダウンリンクビーム３に対応する基地局受信ビームのみで受信され、各ダウンリンク信号と関連付けられているランダムアクセスリソースは、前もって合意され得ることを確実にする。このように、各ダウンリンクビームに対応する基地局受信ビームは、ダウンリンクビームを用いることにより送信されるダウンリンク信号と関連付けられているプリアンブルリソース上のみでプリアンブルを受信するために用いられる。具体的には、ダウンリンク信号３を送信するために用いられるダウンリンクビーム３に対応する基地局受信ビームのみが、ランダムアクセスリソース３上でプリアンブルを受信するために用いられる。
【０１６１】
図５Ａから図５Ｃは、本願を説明するために用いられているに過ぎず、限定として解釈されるものではない。
【０１６２】
具体的には、図５Ａに示される各ダウンリンク信号と個別に関連付けられているランダムアクセスリソースは、システム情報（ＳＩ）、残りの最小システム情報（ＲＭＳＩ）、ダウンリンク物理制御チャネル（ＰＤＣＣＨ）、ダウンリンク制御情報（ＤＣＩ）、媒体アクセス制御制御エレメント（ＭＡＣ−ＣＥ）又は無線リソース制御（ＲＲＣ）シグナリングなどのうちの任意の１又は複数を用いることにより、ネットワークデバイスによって構成されてよい。
【０１６３】
本願における重要な技術のポイントが以下で説明される。
【０１６４】
１．ランダムアクセスリソース切替条件
【０１６５】
本願では、ランダムアクセスリソース切替条件は、プリアンブル再伝送に用いられるランダムアクセスリソースを切り替えるか否かを決定するために用いられてよい。ランダムアクセスリソース切替を実行する前に、端末は、各ダウンリンク信号の品質を測定し、現在のダウンリンク信号及び／又は候補ダウンリンク信号の信号品質変化を分析し、最後に、信号品質変化及びランダムアクセスリソース切替条件に基づいて、ランダムアクセスリソースを切り替えるか否かを決定してよい。
【０１６６】
具体的には、ダウンリンク信号の信号品質変化は、以下のものを含んでよいが、それに限定されるものではない。
【０１６７】
（１）現在のダウンリンク信号の信号品質が向上する。
【０１６８】
具体的には、信号品質変化を決定するために用いられる構成パラメータは、第１の閾値、振幅のヒステリシス（ｈｙｓｔｅｒｅｓｉｓ）、ダウンリンク信号の数Ｎ又はタイムツートリガ（Ｔｉｍｅ  Ｔｏ  Ｔｒｉｇｇｅｒ）のうちの少なくとも１つを含んでよい。
【０１６９】
（２）現在のダウンリンク信号の信号品質が低下する。
【０１７０】
具体的には、信号品質変化を決定するために用いられる構成パラメータは、第１の閾値、振幅のヒステリシス（ｈｙｓｔｅｒｅｓｉｓ）、ダウンリンク信号の数Ｎ又はタイムツートリガ（Ｔｉｍｅ  Ｔｏ  Ｔｒｉｇｇｅｒ）のうちの少なくとも１つを含んでよい。
【０１７１】
（３）候補ダウンリンク信号の信号品質が、現在のダウンリンク信号の信号品質よりも高くなり、第１のオフセットよりも少なくとも高い。
【０１７２】
具体的には、信号品質変化を決定するために用いられる構成パラメータは、第１のオフセット、振幅のヒステリシス（ｈｙｓｔｅｒｅｓｉｓ）、現在のダウンリンク信号と関連付けられているオフセット値Ｏｂｓ、現在のダウンリンク信号と関連付けられている周波数オフセット値Ｏｆｓ、候補ダウンリンク信号と関連付けられているオフセット値Ｏｂｎ、候補ダウンリンク信号と関連付けられている周波数オフセット値Ｏｆｎ、複数のダウンリンク信号の数Ｎ又はタイムツートリガ（Ｔｉｍｅ  Ｔｏ  Ｔｒｉｇｇｅｒ）のうちの少なくとも１つを含んでよい。
【０１７３】
（４）候補ダウンリンク信号の信号品質が向上する。
【０１７４】
具体的には、信号品質変化を決定するために用いられる構成パラメータは、第２の閾値、振幅のヒステリシス（ｈｙｓｔｅｒｅｓｉｓ）、候補ダウンリンク信号と関連付けられているオフセット値Ｏｂｎ、候補ダウンリンク信号と関連付けられている周波数オフセット値Ｏｆｎ、複数のダウンリンク信号の数Ｎ又はタイムツートリガ（Ｔｉｍｅ  Ｔｏ  Ｔｒｉｇｇｅｒ）のうちの少なくとも１つを含んでよい。
【０１７５】
（５）現在のダウンリンク信号の信号品質が低下し、候補ダウンリンク信号の信号品質が向上する。
【０１７６】
具体的には、信号品質変化を決定するために用いられる構成パラメータは、第３の閾値、第４の閾値、振幅のヒステリシス（ｈｙｓｔｅｒｅｓｉｓ）、候補ダウンリンク信号と関連付けられているオフセット値Ｏｂｎ、候補ダウンリンク信号と関連付けられている周波数オフセット値Ｏｆｎ、ダウンリンク信号の数Ｎ又はタイムツートリガ（Ｔｉｍｅ  Ｔｏ  Ｔｒｉｇｇｅｒ）のうちの少なくとも１つを含んでよい。
【０１７７】
具体的には、本願で提供される切替条件は、以下のものを含んでよいが、それに限定されるものではない。
【０１７８】
（１）第１の切替条件は、Ｍｓ−Ｈｙｓｔｅｒｅｓｉｓ＞Ｔｈｒｅｓｈｏｌｄ１である。
【０１７９】
Ｍｓは、現在のダウンリンク信号の信号品質を表し、Ｈｙｓｔｅｒｅｓｉｓは、振幅のヒステリシスを表し、Ｔｈｒｅｓｈｏｌｄ１は、第１の閾値を表す。
【０１８０】
具体的には、第１の切替条件は、現在のダウンリンク信号の信号品質が向上することに適用可能である。
【０１８１】
（２）第２の切替条件は、Ｍｓ＋Ｈｙｓｔｅｒｅｓｉｓ＜Ｔｈｒｅｓｈｏｌｄ１である。
【０１８２】
Ｍｓは、現在のダウンリンク信号の信号品質を表し、Ｈｙｓｔｅｒｅｓｉｓは、振幅のヒステリシスを表し、Ｔｈｒｅｓｈｏｌｄ１は、第１の閾値を表す。
【０１８３】
具体的には、第２の切替条件は、現在のダウンリンク信号の信号品質が低下することに適用可能である。
【０１８４】
（３）第３の切替条件は、Ｍｎ＋Ｏｂｎ＋Ｏｆｎ−Ｈｙｓｔｅｒｅｓｉｓ＞Ｍｓ＋Ｏｂｓ＋Ｏｆｓ＋Ｏｆｆｓｅｔ１である。
【０１８５】
Ｍｓは、現在のダウンリンク信号の信号品質を表し、Ｍｎは、候補ダウンリンク信号の信号品質を表し、Ｈｙｓｔｅｒｅｓｉｓは、振幅のヒステリシスを表し、Ｏｂｎは、候補ダウンリンク信号と関連付けられているオフセット値を表し、Ｏｆｎは、候補ダウンリンク信号と関連付けられている周波数オフセット値を表し、Ｏｂｓは、現在のダウンリンク信号と関連付けられているオフセット値を表し、Ｏｆｓは、現在のダウンリンク信号と関連付けられている周波数オフセット値を表し、Ｏｆｆｓｅｔ１は、第１のオフセットを表す。
【０１８６】
具体的には、第３の切替条件は、候補ダウンリンク信号の信号品質が現在のダウンリンク信号の信号品質よりも高くなり、第１のオフセットＯｆｆｓｅｔ１よりも少なくとも高いことに適用可能である。
【０１８７】
（４）第４の切替条件は、Ｍｎ＋Ｏｂｎ＋Ｏｆｎ−Ｈｙｓｔｅｒｅｓｉｓ＞Ｔｈｒｅｓｈｏｌｄ２である。
【０１８８】
Ｍｎは、候補ダウンリンク信号の信号品質を表し、Ｈｙｓｔｅｒｅｓｉｓは、振幅のヒステリシスを表し、Ｏｂｎは、候補ダウンリンク信号と関連付けられているオフセット値を表し、Ｏｆｎは、候補ダウンリンク信号と関連付けられている周波数オフセット値を表し、Ｔｈｒｅｓｈｏｌｄ２は、第２の閾値を表す。
【０１８９】
具体的には、第４の切替条件は、候補ダウンリンク信号の信号品質が向上することに適用可能である。
【０１９０】
（５）第５の切替条件は、Ｍｓ＋Ｈｙｓｔｅｒｅｓｉｓ＜Ｔｈｒｅｓｈｏｌｄ３であり、かつ、Ｍｎ＋Ｏｂｎ＋Ｏｆｎ−Ｈｙｓｔｅｒｅｓｉｓ＞Ｔｈｒｅｓｈｏｌｄ４である。
【０１９１】
Ｍｓは、現在のダウンリンク信号の信号品質を表し、Ｍｎは、候補ダウンリンク信号の信号品質を表し、Ｈｙｓｔｅｒｅｓｉｓは、振幅のヒステリシスを表し、Ｏｂｎは、候補ダウンリンク信号と関連付けられているオフセット値を表し、Ｏｆｎは、候補ダウンリンク信号と関連付けられている周波数オフセット値を表し、Ｔｈｒｅｓｈｏｌｄ３は、第３の閾値を表し、Ｔｈｒｅｓｈｏｌｄ４は、第４の閾値を表す。
【０１９２】
具体的には、第５の切替条件は、現在のダウンリンク信号の信号品質が低下し、候補ダウンリンク信号の信号品質が向上するということに適用可能である。
【０１９３】
本願では、各切替条件は、実際の要件に基づいて決定されてよい。これは、本願において限定されるものではない。各切替条件に基づいてランダムアクセスリソース切替を実行するために、端末の具体的な決定は、実際の要件に基づいて決定されてもよい。これは、本願において限定されるものではない。以下では、各切替条件、及び、切替条件に基づいて、ランダムアクセスリソース切替を実行することについての具体的な実施例を説明するために、複数の実施形態が用いられる。しかしながら、これは、後続の実施形態での説明に限定されるものではなく、端末は、実際の要件に基づいて、ランダムアクセスリソース切替の具体的な決定をさらに決定してよい。
【０１９４】
本願は、複数の切替条件を提供する。具体的には、どれが用いられるかは、実際の要件に基づいて、端末により決定され得る。これは本明細書において限定されるものではない。切替条件に基づいてリソース切替をどのように実行するかが、後続の実施形態において詳細に説明される。ここでは再び詳細を説明しない。
【０１９５】
本願において、前述のさまざまな信号品質変化を決定するために用いられる構成パラメータは、まとめて第１構成パラメータと称され得る。オプションで、第１構成パラメータのうちの１又は複数は、システム情報（ＳＩ）、残りの最小システム情報（ＲＭＳＩ）、ダウンリンク物理制御チャネル（ＰＤＣＣＨ）、ダウンリンク制御情報（ＤＣＩ）、ＭＡＣ−ＣＥ及びＲＲＣシグナリングなどのうちの任意の１又は複数を用いることにより、ネットワークデバイスによって構成されてよい。オプションで、第１構成パラメータのうちの１又は複数は、プロトコルを用いることにより規定されてよい、又は、端末により予め格納され又は予め構成されてよい。
【０１９６】
オプションで、振幅のヒステリシス（ｈｙｓｔｅｒｅｓｉｓ）、タイムツートリガ（Ｔｉｍｅ  Ｔｏ  Ｔｒｉｇｇｅｒ）、現在のダウンリンク信号と関連付けられているオフセット値Ｏｂｓ、現在のダウンリンク信号と関連付けられている周波数オフセット値Ｏｆｓ、候補ダウンリンク信号と関連付けられているオフセット値Ｏｂｎ、及び、候補ダウンリンク信号と関連付けられている周波数オフセット値Ｏｆｎは、デフォルトで０であってよい。
【０１９７】
２．プリアンブル伝送電力制御
【０１９８】
プリアンブル再伝送の成功率を向上させるために、前述のコンテンツで説明されるランダムアクセスリソース切替に加えて、プリアンブル伝送電力が、さらに増大され得る。しかしながら、プリアンブル伝送電力の増大は、別の端末に対する干渉を引き起こすかもしれない。プリアンブル再伝送の成功率を向上させて、同時にできるだけ干渉を減らすために、ビーム切替の間にプリアンブル伝送電力を増大することの原理が特定される必要がある。本明細書では、ビーム切替は、前述のコンテンツにおいて説明されるランダムアクセスリソース切替（すなわち、基地局ビーム切替に等しい）を含むだけでなく、端末ビーム切替又はビームペア（基地局ビーム−端末ビーム）切替を含むこともできる。
【０１９９】
具体的には、プリアンブル伝送電力の過度に急激なランピングを回避するために、複数回のビーム切替が、各パワーランピングレベル（ｐｏｗｅｒ  ｒａｍｐｉｎｇ  ｌｅｖｅｌ）で実行されてよい。具体的には、パワーランピングはＭ回のビーム切替ごとに一度だけ実行される。これは、ビームスイーピングの後に一度だけ、パワーランピングが実行されることに等しい。ここで、Ｍは、正の整数であり、ビームの切替回数の最大数、例えば、ランダムアクセスリソースの切替回数の最大数（すなわち、基地局ビームの切替回数の数に等しい）、端末ビームの切替回数の最大数、又は、ビームペアの切替回数の最大数より大きくはない。
【０２００】
具体的には、異なるビーム切替シナリオにおけるプリアンブル伝送電力制御ポリシが、複数の実施形態を用いることにより後で説明され、ここでは詳細を説明しない。
【０２０１】
本願では、信号品質は、以下の方式で具現化され得る。
【０２０２】
方式１：レイヤ１／レイヤ２／レイヤ３参照信号受信電力（Ｌ１／Ｌ２／Ｌ３  Ｒｅｆｅｒｅｎｃｅ  ｓｉｇｎａｌ  ｒｅｃｅｉｖｅｄ  ｐｏｗｅｒ、Ｌ１／Ｌ２／Ｌ３  ＲＳＲ）、すなわち、ダウンリンク信号について、参照信号であり、かつ、受信アンテナでの測定を通じて端末により取得されるリニア平均電力。
【０２０３】
方式２：レイヤ１／レイヤ２／レイヤ３参照信号の受信品質（Ｌ１／Ｌ２／Ｌ３  Ｒｅｆｅｒｅｎｃｅ  ｓｉｇｎａｌ  ｒｅｃｅｉｖｅｄ  ｑｕａｌｉｔｙ、Ｌ１／Ｌ２／Ｌ３  ＲＳＲＱ）。
【０２０４】
方式３：レイヤ１／レイヤ２／レイヤ３参照信号の信号対干渉プラス雑音比（Ｌ１／Ｌ２／Ｌ３  Ｒｅｆｅｒｅｎｃｅ  ｓｉｇｎａｌ  ｓｉｇｎａｌ  ｔｏ  ｉｎｔｅｒｆｅｒｅｎｃｅ  ｐｌｕｓ  ｎｏｉｓｅ  ｒａｔｉｏ、Ｌ１/Ｌ２/Ｌ３  ＲＳ−ＳＩＮＲ）。
【０２０５】
信号品質は、パスロス（ＰＬ）、基地局ダウンリンク参照信号の伝送電力、基地局伝送信号のゲイン（例えば、伝送ビームのビームフォーミングゲイン）、基地局受信ビームのゲイン（例えば、受信ビームのビームフォーミングゲイン）、プリアンブル初期受信電力、基地局伝送信号のゲインと基地局受信信号のゲインとの間の差、端末ダウンリンク信号の受信信号のゲイン（例えば、受信ビームのビームフォーミングゲイン）、端末のアップリンクランダムアクセスプリアンブル伝送信号のゲイン（例えば、伝送ビームのビームフォーミングゲイン）、端末のランダムアクセスプリアンブル伝送電力、及び、端末のダウンリンク信号受信ビームのゲインと端末のアップリンクランダムアクセスプリアンブル伝送信号のゲインとの間の差のうちの少なくとも１つのパラメータに基づいて決定されてもよい。オプションで、基地局ダウンリンク参照信号の伝送電力、基地局伝送信号のゲイン、基地局受信信号のゲイン、基地局伝送信号のゲインと基地局受信信号のゲインとの間の差、端末ダウンリンク信号の受信ビームのゲイン、端末のアップリンクランダムアクセスプリアンブル伝送信号のゲイン、端末のダウンリンク信号受信ビームのゲインと端末のアップリンクランダムアクセスプリアンブル伝送信号のゲインとの間の差及びＲＳＲＰのうちの少なくとも１つに基づいて、パスロス（ＰＬ）が決定される。オプションで、信号品質はＲＳＲＰであり、パスロス、基地局ダウンリンク参照信号の伝送電力、及び、基地局伝送信号のゲインに基づいてＲＳＲＰが決定され、例えば、ＲＳＲＰ＝基地局ダウンリンク参照信号の伝送電力＋基地局伝送信号ゲイン−パスロスである。オプションで、信号品質はＲＳＲＰであり、パスロス、端末ダウンリンク信号の受信ビームのゲイン、端末のアップリンクランダムアクセスプリアンブル伝送信号のゲイン、端末のダウンリンク信号受信ビームのゲインと端末のアップリンクランダムアクセスプリアンブル伝送信号のゲインとの間の差により、ＲＳＲＰが決定され、例えば、ＲＳＲＰ＝基地局ダウンリンク参照信号の伝送電力＋端末のダウンリンク信号受信ビームのゲインと端末のアップリンクランダムアクセスプリアンブル伝送信号のゲインとの間の差である。ＬＴＥにおけるＲＳＲＰ、ＲＳＲＱ及びＲＳ−ＳＩＮＲはすべて、信号品質を測定するためのセルレベルのパラメータである。一方、本願におけるＲＳＲＰ、ＲＳＲＱ及びＲＳ−ＳＩＮＲは、信号品質を測定するためのビームレベルのパラメータである。
【０２０６】
オプションで、信号品質は、同期信号ブロックに基づいた測定を通じて端末により取得されてよく、例えば、ＳＳＳ及び／又はＰＢＣＨ  ＤＭＲＳに基づいた測定を通じて取得されてよい。オプションで、信号品質は、チャネル状態情報−参照信号（ＣＳＩ−ＲＳ）などのダウンリンク参照信号に基づいた測定を通じて端末により取得されてよい。
【０２０７】
前述の主要な発明の原理に基づいて、以下では、複数の実施形態を用いることにより、各切替条件、及び、切替条件に基づいたランダムアクセスリソース切替解決手段を詳細に説明する。
（１）実施形態１
【０２０８】
本実施形態において、端末は、第１の切替条件に基づいて、ランダムアクセスリソース切替を実行する。図６に示されるように、第１の切替条件は、以下のように表現され得る。
Ｍｓ−Ｈｙｓｔｅｒｅｓｉｓ＞Ｔｈｒｅｓｈｏｌｄ１  （Ａ１−１）
【０２０９】
Ｍｓは、現在のダウンリンク信号の信号品質を表し、Ｈｙｓｔｅｒｅｓｉｓは、振幅のヒステリシスを表し、Ｔｈｒｅｓｈｏｌｄ１は、第１の閾値を表す。図中のＴｉｍｅ  Ｔｏ  Ｔｒｉｇｇｅｒは、タイムツートリガを表す。
【０２１０】
図６に示されるように、第１の切替条件が満たされると、現在のダウンリンク信号の信号品質が向上することを示す。
【０２１１】
本実施形態において、第１の切替条件が満たされた後に、端末は、以下のオペレーションを実行してよいが、以下のオペレーションを実行することに限定されるものではない。
【０２１２】
オプションで、端末は、ランダムアクセスを実行するために、現在のダウンリンク信号と関連付けられているランダムアクセスリソースを選択して、ランダムアクセスプリアンブルを再び又は複数回送信し続けてよい。
【０２１３】
オプションで、この段階の前に、端末が複数のダウンリンク信号を測定する場合、端末は、別のダウンリンク信号を測定することを直ちに、又は、タイムツートリガ（Ｔｉｍｅ  Ｔｏ  Ｔｒｉｇｇｅｒ）の後に停止する。
【０２１４】
オプションで、端末が、直ちに、又は、タイムツートリガ（Ｔｉｍｅ  Ｔｏ  Ｔｒｉｇｇｅｒ）の後に、より長い時間期間を用いることによって現在のダウンリンク信号の信号品質を測定する。
【０２１５】
本実施形態において、第１の切替条件が満たされた後に、端末は、実際の要件に基づいて別のオペレーションをさらに実行してよい。これは本明細書において限定されるものではない。さらに、第１の切替条件は、不等式（Ａ１−１）に限定されるものではなく、実際の要件に基づいて適宜修正されてもよい。これは本明細書において限定されるものではない。
【０２１６】
オプションで、第１の切替条件の逆の条件は、以下のように表現され得る。
Ｍｓ＋Ｈｙｓｔｅｒｅｓｉｓ＜Ｔｈｒｅｓｈｏｌｄ１  （Ａ１−２）
【０２１７】
オプションで、第１の切替条件の逆の条件が満たされる場合、第１の切替条件が満たされた後に実行される前回の関連するオペレーション、例えば、前述のいくつかの任意のオペレーションが停止されてよい。これに限定されるものではなく、端末は、実際の要件に基づいて別のオペレーションをさらに実行してよい。これは本明細書において限定されるものではない。さらに、第１の切替条件の逆の条件は、不等式（Ａ１−２）に限定されるものではなく、実際の要件に基づいて適宜修正されてもよい。これは本明細書において限定されるものではない。
（２）実施形態２
【０２１８】
本実施形態において、端末は、第２の切替条件に基づいて、ランダムアクセスリソース切替を実行する。図７に示されるように、第２の切替条件は、以下のように表現され得る。
Ｍｓ＋Ｈｙｓｔｅｒｅｓｉｓ＜Ｔｈｒｅｓｈｏｌｄ１  （Ａ２−１）
【０２１９】
Ｍｓは、現在のダウンリンク信号の信号品質を表し、Ｈｙｓｔｅｒｅｓｉｓは、振幅のヒステリシスを表し、Ｔｈｒｅｓｈｏｌｄ１は、第１の閾値を表す。図中のＴｉｍｅＴｏＴｒｉｇｇｅｒは、タイムツートリガを表す。
【０２２０】
図７に示されるように、第２の切替条件が満たされる場合、現在のダウンリンク信号の信号品質が低下することを示す。
【０２２１】
本実施形態において、第２の切替条件が満たされた後に、端末は、以下のオペレーションを実行してよいが、以下のオペレーションを実行することに限定されるものではない。
【０２２２】
オプションで、端末は、ランダムアクセスを実行するために、現在のダウンリンク信号と関連付けられているランダムアクセスリソースを選択して、ランダムアクセスプリアンブルを再び又は複数回送信し続けてよい。
【０２２３】
オプションで、この段階の前に、端末が現在のダウンリンク信号のみを測定する場合、端末は、別のダウンリンク信号又は複数の他のダウンリンク信号の測定を直ちに、又は、タイムツートリガ（Ｔｉｍｅ  Ｔｏ  Ｔｒｉｇｇｅｒ）の後に開始する。オプションで、この段階の前に、端末が複数のダウンリンク信号を測定する場合、端末は、別のダウンリンク信号又は複数の他のダウンリンク信号の信号品質を測定し続ける。本明細書において、端末により測定されるダウンリンク信号の数は、ダウンリンク信号の総数Ｎを越えない。
【０２２４】
オプションで、端末が、直ちに、又は、タイムツートリガ（Ｔｉｍｅ  Ｔｏ  Ｔｒｉｇｇｅｒ）の後に、より短い時間期間を用いることによって現在のダウンリンク信号の信号品質又は別のダウンリンク信号の信号品質を測定する。
【０２２５】
本実施形態において、第２の切替条件が満たされた後に、端末は、実際の要件に基づいて別のオペレーションをさらに実行してよい。これは本明細書において限定されるものではない。さらに、第２の切替条件は、不等式（Ａ２−１）に限定されるものではなく、実際の要件に基づいて適宜修正されてもよい。これは本明細書において限定されるものではない。
【０２２６】
オプションで、第２の切替条件の逆の条件は、以下のように表現され得る。
Ｍｓ−Ｈｙｓｔｅｒｅｓｉｓ＞Ｔｈｒｅｓｈｏｌｄ１  （Ａ２−２）
【０２２７】
オプションで、第２の切替条件の逆の条件が満たされる場合、第２の切替条件が満たされた後に実行される前回の関連するオペレーション、例えば、前述のいくつかの任意のオペレーションが停止されてよい。これに限定されるものではなく、端末は、実際の要件に基づいて別のオペレーションをさらに実行してよい。これは本明細書において限定されるものではない。さらに、第２の切替条件の逆の条件は、不等式（Ａ２−２）に限定されるものではなく、実際の要件に基づいて適宜修正されてもよい。これは本明細書において限定されるものではない。
（３）実施形態３
【０２２８】
本実施形態において、端末は、第３の切替条件に基づいて、ランダムアクセスリソース切替を実行する。図６に示されるように、第３の切替条件は、以下のように表現され得る。
Ｍｎ＋Ｏｂｎ＋Ｏｆｎ−Ｈｙｓｔｅｒｅｓｉｓ＞Ｍｓ＋Ｏｂｓ＋Ｏｆｓ＋Ｏｆｆｓｅｔ１  （Ａ３−１）
【０２２９】
Ｍｓは、現在のダウンリンク信号の信号品質を表し、Ｍｎは、候補ダウンリンク信号の信号品質を表し、Ｈｙｓｔｅｒｅｓｉｓは、振幅のヒステリシスを表し、Ｏｂｎは、候補ダウンリンク信号と関連付けられているオフセット値を表し、Ｏｆｎは、候補ダウンリンク信号と関連付けられている周波数オフセット値を表し、Ｏｂｓは、現在のダウンリンク信号と関連付けられているオフセット値を表し、Ｏｆｓは、現在のダウンリンク信号と関連付けられている周波数オフセット値を表し、Ｏｆｆｓｅｔ１は、第１のオフセットを表す。図中のＴｉｍｅＴｏＴｒｉｇｇｅｒは、タイムツートリガを表す。
【０２３０】
図８に示されるように、第３の切替条件が満たされる場合、候補ダウンリンク信号の信号品質が現在のダウンリンク信号の信号品質よりも高くなり、第１のオフセットＯｆｆｓｅｔ１よりも少なくとも高いことを示す。ここでは、１又は複数の候補ダウンリンク信号があり得る。
【０２３１】
本実施形態において、第３の切替条件が満たされた後に、端末は、以下のオペレーションを実行してよいが、以下のオペレーションを実行することに限定されるものではない。
【０２３２】
オプションで、端末は、ランダムアクセスを実行するために、候補ダウンリンク信号と関連付けられているランダムアクセスリソースに切り替えて、ランダムアクセスプリアンブルを再び送信してよい。オプションで、ランダムアクセスリソース切替の間、端末は、現在の周波数帯域又は別の周波数帯域上の候補ダウンリンク信号と関連付けられているランダムアクセスリソースに切り替えることを選択してよい。
【０２３３】
オプションで、端末によりすでに実行されているランダムアクセスプリアンブル伝送の回数がＫより大きい場合のみ、端末は、候補ダウンリンク信号と関連付けられているランダムアクセスリソースに切り替える。言い換えれば、すでに実行されているランダムアクセスプリアンブル伝送の回数がＫを超えない場合、端末は、現在のダウンリンク信号と関連付けられているランダムアクセスリソースを用いることによってランダムアクセスを実行し続ける。ここで、Ｋは正の整数である。
【０２３４】
オプションで、端末により受信されたランダムアクセス再伝送バックオフ値がＴより大きい場合のみ、端末は、候補ダウンリンク信号と関連付けられているランダムアクセスリソースに切り替える。言い換えれば、受信したランダムアクセス再伝送バックオフ値がＴを超えない場合、端末は、現在のダウンリンク信号と関連付けられているランダムアクセスリソースを用いてランダムアクセスを実行し続ける。ここで、Ｔは正数である。
【０２３５】
前述の二つの任意のオペレーションは、主に、ダウンリンク信号と関連付けられているランダムアクセスリソース上での再伝送の回数が特定の回数を超えた後に、端末が別のダウンリンク信号と関連付けられているランダムアクセスリソースを用いることによってランダムアクセスを実行し得るシナリオに適用可能である。例えば、いくつかのダウンリンク信号と関連付けられているランダムアクセスリソースに対応するカバレッジに比較的多くの数の端末があり、これが、結果として、比較的高い競合確率又は比較的大きな伝送バックオフ値をもたらす。この場合、これらのビームにおいて端末が、特定の回数、プリアンブルを再伝送した後に、ランダムアクセスリソース切替が考慮され得る。
【０２３６】
オプションで、端末は、直ちに、又は、タイムツートリガ（Ｔｉｍｅ  Ｔｏ  Ｔｒｉｇｇｅｒ）の後に、現在のダウンリンク信号を測定することを停止し、候補ダウンリンク信号と関連付けられているランダムアクセスリソースを選択して、ランダムアクセスを実行してよい。
【０２３７】
オプションで、候補ダウンリンク信号と関連付けられているランダムアクセスリソースに切り替えた後に、端末は、より長い時間期間を用いることによって、ランダムアクセスリソース切替前の現在のダウンリンク信号の信号品質を測定してよい。オプションで、ランダムアクセスリソースを切り替えた後に、端末は、ランダムアクセスリソース切替前の現在のダウンリンク信号の信号品質を測定することを停止してよい。
【０２３８】
本実施形態において、第３の切替条件が満たされた後に、端末は、実際の要件に基づいて別のオペレーションをさらに実行してよい。これは本明細書において限定されるものではない。さらに、第３の切替条件は、不等式（Ａ３−１）に限定されるものではなく、実際の要件に基づいて適宜修正されてもよい。これは本明細書において限定されるものではない。
【０２３９】
オプションで、第３の切替条件の逆の条件は、以下のように表現され得る。
Ｍｎ＋Ｏｂｎ＋Ｏｆｎ＋Ｈｙｓｔｅｒｅｓｉｓ＜Ｍｓ＋Ｏｂｓ＋Ｏｆｓ＋Ｏｆｆｓｅｔ１  （Ａ３−２）
【０２４０】
具体的には、第３の切替条件の逆の条件が満たされる場合、端末は、以下のオペレーションを実行してよいが、以下のオペレーションを実行することに限定されるものではない。
【０２４１】
オプションで、端末は、ランダムアクセスを実行するために、現在のダウンリンク信号と関連付けられているランダムアクセスリソースを選択して、ランダムアクセスプリアンブルを再び又は複数回送信し続けてよい。
【０２４２】
オプションで、端末は、直ちに、又は、タイムツートリガ（Ｔｉｍｅ  Ｔｏ  Ｔｒｉｇｇｅｒ）の後に、より短い時間期間を用いることによって現在のダウンリンク信号又は候補ダウンリンク信号の信号品質を測定してよい。
【０２４３】
本実施形態において、第３の切替条件が満たされた後に、端末は、実際の要件に基づいて別のオペレーションをさらに実行してよい。これは本明細書において限定されるものではない。さらに、第３の切替条件の逆の条件は、不等式（Ａ３−２）に限定されるものではなく、実際の要件に基づいて適宜修正されてもよい。これは本明細書において限定されるものではない。
【０２４４】
本実施形態では、ランダムアクセス手順において端末により実行されるランダムアクセスリソース切替の総回数は、ダウンリンク信号の総数Ｎを越えない。
（４）実施形態４
【０２４５】
本実施形態において、端末は、第４の切替条件に基づいてランダムアクセスリソース切替を実行する。図９に示されるように、第４の切替条件は、以下のように表現され得る。
Ｍｎ＋Ｏｂｎ＋Ｏｆｎ−Ｈｙｓｔｅｒｅｓｉｓ＞Ｔｈｒｅｓｈｏｌｄ２  （Ａ４−１）
【０２４６】
Ｍｎは、候補ダウンリンク信号の信号品質を表し、Ｈｙｓｔｅｒｅｓｉｓは、振幅のヒステリシスを表し、Ｏｂｎは、候補ダウンリンク信号と関連付けられているオフセット値を表し、Ｏｆｎは、候補ダウンリンク信号と関連付けられている周波数オフセット値を表し、Ｔｈｒｅｓｈｏｌｄ２は、第２の閾値を表す。図中のＴｉｍｅＴｏＴｒｉｇｇｅｒは、タイムツートリガを表す。
【０２４７】
図９に示されるように、第４の切替条件が満たされる場合、候補ダウンリンク信号の信号品質が向上されることを示す。ここでは、１又は複数の候補ダウンリンク信号があり得る。
【０２４８】
本実施形態において、第４の切替条件が満たされた後に、端末は、以下のオペレーションを実行してよいが、以下のオペレーションに限定されるものではない。
【０２４９】
オプションで、端末は、ランダムアクセスを実行するために、候補ダウンリンク信号と関連付けられているランダムアクセスリソースに切り替えて、ランダムアクセスプリアンブルを再び送信してよい。オプションで、ランダムアクセスリソース切替の間、端末は、現在の周波数帯域又は別の周波数帯域上の候補ダウンリンク信号と関連付けられているランダムアクセスリソースに切り替えることを選択してよい。
【０２５０】
オプションで、端末は、直ちに、又は、タイムツートリガ（Ｔｉｍｅ  Ｔｏ  Ｔｒｉｇｇｅｒ）の後に、現在のダウンリンク信号を測定することを停止し、候補ダウンリンク信号と関連付けられているランダムアクセスリソースを選択して、ランダムアクセスを実行してよい。
【０２５１】
オプションで、候補ダウンリンク信号と関連付けられているランダムアクセスリソースに切り替えた後に、端末は、より長い時間期間を用いることによって、ランダムアクセスリソース切替前の現在のダウンリンク信号の信号品質を測定してよい。オプションで、ランダムアクセスリソースを切り替えた後に、端末は、ランダムアクセスリソース切替前の現在のダウンリンク信号の信号品質を測定することを停止してよい。
【０２５２】
各ダウンリンク信号と関連付けられているランダムアクセスリソースの負荷（ｌｏａｄ）又は端末の数がさらに考慮される。第４の切替条件が満たされた後に、端末は、以下のオペレーションを実行してよいが、以下のオペレーションを実行することに限定されるものではない。
【０２５３】
オプションで、端末によりすでに実行されているランダムアクセスプリアンブル伝送の回数がＫより大きい場合のみ、端末は、候補ダウンリンク信号と関連付けられているランダムアクセスリソースに切り替える。言い換えれば、すでに実行されているランダムアクセスプリアンブル伝送の回数がＫを超えない場合、端末は、現在のダウンリンク信号と関連付けられているランダムアクセスリソースを用いることによってランダムアクセスを実行し続ける。ここで、Ｋは正の整数である。
【０２５４】
オプションで、端末により受信されたランダムアクセス再伝送バックオフ値がＴより大きい場合のみ、端末は、候補ダウンリンク信号と関連付けられているランダムアクセスリソースに切り替える。言い換えれば、受信したランダムアクセス再伝送バックオフ値がＴを超えない場合、端末は、現在のダウンリンク信号と関連付けられているランダムアクセスリソースを用いてランダムアクセスを実行し続ける。ここで、Ｔは正数である。
【０２５５】
前述の二つの任意のオペレーションは、主に、ダウンリンク信号と関連付けられているランダムアクセスリソース上での再伝送の回数が特定の回数を超えた後に、端末が別のダウンリンク信号と関連付けられているランダムアクセスリソースを用いることによってランダムアクセスを実行し得るシナリオに適用可能である。例えば、いくつかのダウンリンク信号と関連付けられているランダムアクセスリソースに対応するカバレッジに比較的多くの数の端末があり、これが、結果として、比較的高い競合確率又は比較的大きな伝送バックオフ値をもたらす。この場合、これらのビームにおいて端末が、特定の回数、プリアンブルを再伝送した後に、ランダムアクセスリソース切替が考慮され得る。
【０２５６】
本実施形態において、第４の切替条件が満たされた後に、端末は、実際の要件に基づいて別のオペレーションをさらに実行してよい。これは本明細書において限定されるものではない。さらに、第４の切替条件は、不等式（Ａ４−１）に限定されるものではなく、実際の要件に基づいて適宜修正されてもよい。これは本明細書において限定されるものではない。
【０２５７】
オプションで、第４の切替条件の逆の条件は、以下のように表現され得る。
Ｍｎ＋Ｏｂｎ＋Ｏｆｎ＋Ｈｙｓｔｅｒｅｓｉｓ＜Ｔｈｒｅｓｈｏｌｄ２  （Ａ４−２）
【０２５８】
具体的には、第４の切替条件の逆の条件が満たされる場合、端末は、以下のオペレーションを実行してよいが、以下のオペレーションを実行することに限定されるものではない。
【０２５９】
オプションで、端末は、ランダムアクセスを実行するために、現在のダウンリンク信号と関連付けられているランダムアクセスリソースを選択して、ランダムアクセスプリアンブルを再び又は複数回送信し続けてよい。
【０２６０】
オプションで、端末は、直ちに、又は、タイムツートリガ（Ｔｉｍｅ  Ｔｏ  Ｔｒｉｇｇｅｒ）の後に、より短い時間期間を用いることによって現在のダウンリンク信号の信号品質又は候補ダウンリンク信号の信号品質を測定してよい。
【０２６１】
本実施形態において、第４の切替条件の逆の条件が満たされた後に、端末は、実際の要件に基づいて別のオペレーションをさらに実行してよい。これは本明細書において限定されるものではない。さらに、第４の切替条件の逆の条件は、不等式（Ａ４−２）に限定されるものではなく、実際の要件に基づいて適宜修正されてもよい。これは本明細書において限定されるものではない。
【０２６２】
本実施形態では、ランダムアクセス手順において端末により実行されるランダムアクセスリソース切替の総回数は、ダウンリンク信号の総数Ｎを越えない。
（５）実施形態５
【０２６３】
本実施形態において、端末は、第５の切替条件に基づいて、ランダムアクセスリソース切替を実行する。図１０に示されるように、第５の切替条件は、以下のように表現され得る。
Ｍｓ＋Ｈｙｓｔｅｒｅｓｉｓ＜Ｔｈｒｅｓｈｏｌｄ３  （Ａ５−１）、かつ、
Ｍｎ＋Ｏｂｎ＋Ｏｆｎ−Ｈｙｓｔｅｒｅｓｉｓ＞Ｔｈｒｅｓｈｏｌｄ４  （Ａ５−２）
【０２６４】
Ｍｓは、現在のダウンリンク信号の信号品質を表し、Ｍｎは、候補ダウンリンク信号の信号品質を表し、Ｈｙｓｔｅｒｅｓｉｓは、振幅のヒステリシスを表し、Ｏｂｎは、候補ダウンリンク信号と関連付けられているオフセット値を表し、Ｏｆｎは、候補ダウンリンク信号と関連付けられている周波数オフセット値を表し、Ｔｈｒｅｓｈｏｌｄ３は、第３の閾値を表し、Ｔｈｒｅｓｈｏｌｄ４は、第４の閾値を表す。図中のＴｉｍｅＴｏＴｒｉｇｇｅｒは、タイムツートリガを表す。
【０２６５】
図１０に示されるように、第５の切替条件が満たされる場合、言い換えれば、不等式（Ａ５−１）及び不等式（Ａ５−２）の両方が満たされる場合、現在のダウンリンク信号の信号品質が低下（第３の閾値よりも低い）しており、候補ダウンリンク信号の信号品質が向上している（第４の閾値よりも低い）ことを示す。ここでは、１又は複数の候補ダウンリンク信号があり得る。
【０２６６】
本実施形態において、第５の切替条件が満たされた後に、端末は、以下のオペレーションを実行してよいが、以下のオペレーションを実行することに限定されるものではない。
【０２６７】
オプションで、端末は、ランダムアクセスを実行するために、候補ダウンリンク信号と関連付けられているランダムアクセスリソースに切り替えて、ランダムアクセスプリアンブルを再び送信してよい。オプションで、ランダムアクセスリソース切替の間、端末は、現在の周波数帯域又は別の周波数帯域上の候補ダウンリンク信号と関連付けられているランダムアクセスリソースに切り替えることを選択してよい。
【０２６８】
オプションで、端末は、直ちに、又は、タイムツートリガ（Ｔｉｍｅ  Ｔｏ  Ｔｒｉｇｇｅｒ）の後に、現在のダウンリンク信号を測定することを停止し、候補ダウンリンク信号と関連付けられているランダムアクセスリソースを選択して、ランダムアクセスを実行してよい。
【０２６９】
オプションで、候補ダウンリンク信号と関連付けられているランダムアクセスリソースに切り替えた後に、端末は、より長い時間期間を用いることによって、ランダムアクセスリソース切替前の現在のダウンリンク信号の信号品質を測定してよい。オプションで、ランダムアクセスリソースを切り替えた後に、端末は、ランダムアクセスリソース切替前の現在のダウンリンク信号の信号品質を測定することを停止してよい。
【０２７０】
いくつかの任意の実施形態において、不等式（Ａ５−１）又は（Ａ５−２）のいずれか一方が満たされた場合、端末は、候補ダウンリンク信号と関連付けられているランダムアクセスリソースに切り替えてランダムアクセスを実行してよい。
【０２７１】
各ダウンリンク信号と関連付けられているランダムアクセスリソースの負荷（ｌｏａｄ）又は端末の数がさらに考慮される。第５の切替条件が満たされた後に、端末は、以下のオペレーションを実行してよいが、以下のオペレーションを実行することに限定されるものではない。
【０２７２】
オプションで、端末によりすでに実行されているランダムアクセスプリアンブル伝送の回数がＫより大きい場合のみ、端末は、候補ダウンリンク信号と関連付けられているランダムアクセスリソースに切り替える。言い換えれば、すでに実行されているランダムアクセスプリアンブル伝送の回数がＫを超えない場合、端末は、現在のダウンリンク信号と関連付けられているランダムアクセスリソースを用いることによってランダムアクセスを実行し続ける。ここで、Ｋは正の整数である。
【０２７３】
オプションで、端末により受信されたランダムアクセス再伝送バックオフ値がＴより大きい場合のみ、端末は、候補ダウンリンク信号と関連付けられているランダムアクセスリソースに切り替える。言い換えれば、受信したランダムアクセス再伝送バックオフ値がＴを超えない場合、端末は、現在のダウンリンク信号と関連付けられているランダムアクセスリソースを用いてランダムアクセスを実行し続ける。ここで、Ｔは正数である。
【０２７４】
前述の二つの任意のオペレーションは、主に、ダウンリンク信号と関連付けられているランダムアクセスリソース上での再伝送の回数が特定の回数を超えた後に、端末が別のダウンリンク信号と関連付けられているランダムアクセスリソースを用いることによってランダムアクセスを実行し得るシナリオに適用可能である。例えば、いくつかのダウンリンク信号のカバレッジに比較的多くの数の端末があり、これが、結果として、比較的高い競合確率又は比較的大きな伝送バックオフ値をもたらす。この場合、これらのビームにおいて端末が、特定の回数、プリアンブルを再伝送した後に、ランダムアクセスリソース切替が考慮され得る。
【０２７５】
本実施形態において、第５の切替条件が満たされた後に、端末は、実際の要件に基づいて別のオペレーションをさらに実行してよい。これは本明細書において限定されるものではない。さらに、第５の切替条件は、不等式（Ａ５−１）及び（Ａ５−２）に限定されるものではなく、実際の要件に基づいて適宜修正されてもよい。これは本明細書において限定されるものではない。
【０２７６】
オプションで、第５の切替条件の逆の条件は、以下のように表現され得る。
Ｍｓ−Ｈｙｓｔｅｒｅｓｉｓ３＞Ｔｈｒｅｓｈｏｌｄ３  （Ａ６−１）、かつ、
Ｍｎ＋Ｏｂｎ＋Ｏｆｎ＋Ｈｙｓｔｅｒｅｓｉｓ４＜Ｔｈｒｅｓｈｏｌｄ４  （Ａ６−２）
【０２７７】
具体的には、第５の切替条件のいずれかの逆の条件が満たされる場合、端末は、以下のオペレーションを実行してよいが、以下のオペレーションを実行することに限定されるものではない。
【０２７８】
オプションで、端末は、ランダムアクセスを実行するために、現在のダウンリンク信号と関連付けられているランダムアクセスリソースを選択して、ランダムアクセスプリアンブルを再び又は複数回送信し続けてよい。
【０２７９】
オプションで、端末は、直ちに、又は、タイムツートリガ（Ｔｉｍｅ  Ｔｏ  Ｔｒｉｇｇｅｒ）の後に、より短い時間期間を用いることによって現在のダウンリンク信号又は候補ダウンリンク信号の信号品質を測定してよい。
【０２８０】
本実施形態において、第５の切替条件の逆の条件が満たされた後に、端末は、実際の要件に基づいて別のオペレーションをさらに実行してよい。これは本明細書において限定されるものではない。さらに、第５の切替条件の逆の条件は、不等式（Ａ６−１）及び（Ａ６−２）に限定されるものではなく、実際の要件に基づいて適宜修正されてもよい。これは本明細書において限定されるものではない。
【０２８１】
本実施形態では、ランダムアクセス手順において端末により実行されるランダムアクセスリソース切替の総回数は、ダウンリンク信号の総数Ｎを越えない。
（６）実施形態６
【０２８２】
本実施形態は、同じダウンリンクビームを用いることによって、複数の異なる周波数帯域上でネットワークデバイスにより複数のダウンリンク信号が個別に送信されるシナリオに適用可能である。現在のダウンリンク信号及び候補ダウンリンク信号はそれぞれ、現在の周波数帯域及び候補周波数帯域に対応する。異なる周波数帯域上のダウンリンク信号は、異なるランダムアクセスリソースと個別に関連付けられている。
【０２８３】
同じダウンリンクビームに対して、周波数帯域上の比較的多くの数の端末が、結果として、周波数帯域上で、比較的高い競合確率又は比較的大きな伝送バックオフ値又はディープフェージングをもたらし得る。この場合、ランダムアクセスリソース切替が考慮され得る。
【０２８４】
具体的には、端末は、実施形態１から実施形態５におけるいずれかのランダムアクセスリソース切替解決手段を参照してよく、現在の周波数帯域で受信されるダウンリンク信号の測定された信号品質及び候補周波数帯域で受信されるダウンリンク信号の測定された信号品質に基づいて、ランダムアクセスリソース切替を同様の方式で実行する。
【０２８５】
具体的には、実施形態１から実施形態５を参照すると、信号品質は、各周波数帯域で送信されるダウンリンク信号の信号品質と置き換えられてよく、ダウンリンク信号と関連付けられているオフセット値は、各周波数帯域で送信されるダウンリンク信号と関連付けられている信号オフセット値と置き換えられてよく、ダウンリンク信号と関連付けられている周波数オフセット値は、各周波数帯域で送信されるダウンリンク信号と関連付けられている周波数オフセット値と置き換えられてよい。周波数帯域切替の実施例については、実施形態１から実施形態５を参照されたい。ここでは再び詳細を説明しない。
【０２８６】
オプションで、端末は、複数のダウンリンク信号を測定する。最も高い信号品質を有するダウンリンク信号の信号品質が、予め格納され又は予め構成された閾値、又は、基地局により規定される閾値を越えていない場合、端末は、ダウンリンクランダムアクセスリソース切替を実行することが認められていない。別の実施形態において、端末は複数のダウンリンク信号を測定する。最も高い信号品質を有するダウンリンク信号の信号品質が、予め格納され又は予め構成された閾値、又は、基地局により規定される閾値を越えていない場合、端末により実行されることが認められているダウンリンクランダムアクセスリソース切替の回数が、予め格納され又は予め構成された閾値回数、又は、基地局により規定される閾値回数を越えていない。
（７）実施形態７
【０２８７】
実施形態において、以下の条件のうちの任意の１又は複数が満たされる場合、端末は、ランダムアクセスリソース切替を実行しない。
【０２８８】
１．基地局の構成情報が、再伝送プロセスにおいて、端末がランダムアクセスリソースを切り替えることを許可されていないことを示す。
【０２８９】
２．基地局の構成情報が、再伝送プロセスにおいて、端末がランダムアクセスリソースを切り替えることを許容されているが、すべての測定されたダウンリンク信号の信号品質が、予め格納され又は予め構成された閾値又は基地局により規定された閾値よりも低いことを示す。
【０２９０】
３．基地局の構成情報が、再伝送プロセスにおいて、端末がランダムアクセスリソースを切り替えることを許可されているが、すべての候補ダウンリンク信号の測定された信号品質とすべての現在のダウンリンク信号の測定された信号品質との間の差が、予め格納され又は予め構成された閾値、又は、基地局により規定された閾値よりも小さいことを示す。
【０２９１】
実施形態において、基地局の構成情報は、再伝送プロセスにおいて、端末がランダムアクセスリソースを切り替えることを許容されていること、又は、再伝送プロセスにおいて、端末がランダムアクセスリソースを切り替えるか否かを決定することを前提として、以下の条件のうちの任意の数が満たされる場合、端末が、ランダムアクセスリソースを切り替えることを決定する／決定してよい／決定すべきである、ということを示す。
【０２９２】
１．候補ダウンリンク信号の信号品質が、第５の閾値を超える場合、又は、候補ダウンリンク信号の信号品質が現在のダウンリンク信号の信号品質よりも高く、第１のオフセットよりも少なくとも高い場合、端末が、候補ダウンリンク信号と関連付けられているランダムアクセスリソースを用いることによって、ランダムアクセスプリアンブル再伝送を実行する。オプションで、第５の閾値は、前述のいくつかの実施形態で言及した第１の閾値、第２の閾値、第３の閾値又は第４の閾値であってよい。オプションで、第１のオフセットは、前述のいくつかの実施形態で言及した第１のオフセットであってよい。
【０２９３】
２．ランダムアクセスプリアンブルを送信した後に、端末が、対応するランダムアクセスリソース応答を受信しない。
【０２９４】
３．ランダムアクセス手順においてメッセージ３の送信に失敗した場合、又は、ランダムアクセス手順において競合解消に失敗した場合、端末が、現在のダウンリンク信号と関連付けられているランダムアクセスリソースとは異なるランダムアクセスリソースを用いることによって、ランダムアクセスプリアンブル再伝送を実行する。
【０２９５】
オプションで、条件１及び３の両方が満たされる場合、端末は、現在のダウンリンク信号と関連付けられているランダムアクセスリソースから、候補ダウンリンク信号と関連付けられているランダムアクセスリソースに切り替えてよい。
【０２９６】
オプションで、本実施形態におけるランダムアクセスリソース切替を許可しないための条件、及び、ランダムアクセスリソース切替を許可するための条件は、任意の方式で、実施形態１から実施形態６のうちの少なくとも１つの切替条件と組み合わされてよい。例えば、ランダムアクセスリソース切替を許可するための条件１は、実施形態２、実施形態３、実施形態４、実施形態５及び実施形態６のうちの少なくとも１つ切替条件のいずれかと組み合わされてよい。例は、組み合わせ方式に過ぎず、実際の適用において限定されるものではない。
【０２９７】
前述の主要な発明の原理に基づいて、以下では、複数の実施形態を用いることにより、異なるビーム切替シナリオにおけるプリアンブル伝送電力制御ポリシを詳細に説明する。
【０２９８】
実施形態が説明される前に、実施形態における専門用語が最初に説明される。
【０２９９】
１．ランダムアクセスプリアンブルの伝送回数の数（ＰＲＥＡＭＢＬＥ＿ＴＲＡＮＳＭＩＳＳＩＯＮ＿ＣＯＵＮＴＥＲ）は、ランダムアクセスプリアンブル再伝送の総数である。
【０３００】
２．端末ビームの切替回数の最大数は、パワーランピングレベルで実行される端末ビーム切替の回数、又は、パワーランピングレベルでの再伝送のために用いられる端末ビームの数である。
【０３０１】
３．基地局ビームの切替回数の最大数は、パワーランピングレベルで実行される基地局ビーム切替の回数、又は、パワーランピングレベルでの再伝送のために用いられる基地局ビーム（基地局ビームに対応するダウンリンク信号と関連付けられているランダムアクセスリソース）の数である。
【０３０２】
４．ビームペアの切替回数の最大数は、パワーランピングレベルで実行される端末ビーム−基地局ビームペア切替の回数、又は、パワーランピングレベルでの再伝送のために用いられる端末ビーム及び対応する基地局ビーム（基地局ビームに対応するダウンリンク信号と関連付けられているランダムアクセスリソース）の数である。具体的には、ダウンリンク信号と関連付けられているランダムアクセスリソースが切り替えられる場合、端末ビームが切り替えられ又は切り替えられない、又は、端末ビーム切替は、現在のダウンリンク信号と関連付けられているランダムアクセスリソースに対して維持される。
【０３０３】
５．伝送回数の閾値パラメータは、基地局ビーム（又は、ランダムアクセスリソース切替）の連続的な切替を行わない、及び／又は、端末伝送ビームの切替を行わないことを可能にするためのランダムアクセスプリアンブルの伝送回数の最大数である。
【０３０４】
６．ダウンリンク参照信号の伝送電力（ｒｅｆｅｒｅｎｃｅ  ｓｉｇｎａｌ  ｐｏｗｅｒ）は、ＳＳブロック内のセカンダリ同期信号ＳＳＳの伝送電力及び／又はＤＭＲＳである。
【０３０５】
７．パワーランピングステップ（ｐｏｗｅｒ  ｒａｍｐｉｎｇ  ｓｔｅｐ）は、各プリアンブル伝送に対応するパワーランピングレベルを指す。
【０３０６】
８．プリアンブル初期受信目標電力（ｐｒｅａｍｂｌｅ  ｉｎｉｔｉａｌ  ｒｅｃｅｉｖｅｄ  ｔａｒｇｅｔ  ｐｏｗｅｒ）は、ネットワークデバイスにより予期されるプリアンブル受信電力である。
【０３０７】
９．プリアンブルフォーマットは、ランダムアクセスプリアンブルのフォーマットである。
【０３０８】
１０．最大パワーランピングレベルは初期伝送（パワーランピングカウンタ）に対する電力と比較したパワーランピングの回数（パワーランピングカウンタ）を指す。最大パワーランピングレベルは、ランピング後に得られる電力（例えば、ｐｏｗｅｒＲａｍｐｉｎｇＬｅｖｅｌ＊ｐｏｗｅｒ  ｒａｍｐｉｎｇ  ｓｔｅｐがランピング後に取得される電力である）を決定するために、パワーランピングステップｐｏｗｅｒ  ｒａｍｐｉｎｇ  ｓｔｅｐと組み合わせて用いられる。
【０３０９】
１１．プリアンブル受信目標電力（ＰＲＥＡＭＢＬＥ＿ＲＥＣＥＩＶＥＤ＿ＴＡＲＧＥＴ＿ＰＯＷＥＲ）は、ネットワークデバイスによりプリアンブルが実際に受信される電力である。
【０３１０】
１２．パスロス（ＰＬ＿ｃ）は、基地局と端末との間の通信リンクのパスロスである。
【０３１１】
そして、以下の説明は、基地局ビーム切替、端末ビーム切替及び端末ビーム−基地局ビームペア切替が考慮される。
【０３１２】
（１）基地局ビーム切替は、本願で言及されるランダムアクセスリソース切替に等しく、現在のプリアンブル再伝送に用いられるランダムアクセスリソースは、前回のプリアンブル伝送におけるダウンリンク信号とは異なるダウンリンク信号と関連付けられているランダムアクセスリソースであることを意味する。対応して、基地局ビームの空間受信パラメータは異なり得る。例えば、ある基地局ビームの以下のパラメータのうちの少なくとも１つは、別の基地局ビームのパラメータとは異なり、パラメータは、到来角（ＡｏＡ）、主到来角Ｄｏｍｉｎａｎｔ  ＡｏＡ、平均到来角、到来角（ＡｏＡ）のパワー角スペクトル（ＰＡＳ）、発信角（ＡｏＤ）、主発信角、平均発信角、発信角のパワー角スペクトル、基地局伝送ビームのビームフォーミング、基地局受信ビームのビームフォーミング、空間チャネルの相関関係、平均チャネルゲイン、平均チャネル遅延、遅延拡散及びドップラー拡散Ｄｏｐｐｌｅｒ  ｓｐｒｅａｄなどである。
【０３１３】
（２）端末ビーム切替は、ランダムアクセスプリアンブル再伝送の間、現在のプリアンブル再伝送に用いられる空間受信パラメータ及び／又はアンテナポートが、前回のプリアンブル伝送とは異なることを意味する。例えば、ある端末ビームの以下パラメータのうちの少なくとも１つが、別の端末ビームのパラメータとは異なり、パラメータは、到来角（ＡｏＡ）、主到来角Ｄｏｍｉｎａｎｔ  ＡｏＡ、到来角（ＡｏＡ）の平均パワー角スペクトル（ＰＡＳ）、発信角（ＡｏＤ）、主発信角、平均発信角、発信角のパワー角スペクトル、端末伝送ビームのビームフォーミング、端末受信ビームのビームフォーミング、空間チャネルの相関関係、平均チャネルゲイン、平均チャネル遅延、遅延拡散及びドップラー拡散Ｄｏｐｐｌｅｒ  ｓｐｒｅａｄなどである。
【０３１４】
（３）端末ビーム−基地局ビームペア切替は、ランダムアクセスプリアンブル再伝送の間に、現在のプリアンブル再伝送に用いられるダウンリンク信号（ＳＳブロック又はＣＳＩ−ＲＳ）と関連付けられる空間受信パラメータ及び／又はアンテナポート及び／又はランダムアクセスリソースが、前回のプリアンブル伝送におけるものとは異なることを意味する。例えば、ある端末ビーム−基地局ビームペアの以下のパラメータのうちの少なくとも１つが、別の端末ビーム−基地局ビームペアのパラメータとは異なり、パラメータは、到来角（ＡｏＡ）、主到来角Ｄｏｍｉｎａｎｔ  ＡｏＡ、平均到来角、到来角（ＡｏＡ）のパワー角スペクトル（ＰＡＳ）、発信角（ＡｏＤ）、主発信角、平均発信角、発信角のパワー角スペクトル端末伝送ビームのビームフォーミング、端末受信ビームのビームフォーミング、空間チャネルの相関関係、基地局伝送ビームのビームフォーミング、基地局受信ビームのビームフォーミング、平均チャネルゲイン、平均チャネル遅延、遅延拡散及びドップラー拡散Ｄｏｐｐｌｅｒ  ｓｐｒｅａｄなどである。
【０３１５】
オプションで、ランダムアクセスの間、ネットワークデバイスは、各ダウンリンク信号に関連するパラメータ（第２構成パラメータと称され得る）を構成してよい。具体的には、パラメータは、ランダムアクセスプリアンブルの伝送回数の最大数、端末ビームの切替回数の最大数、基地局ビームの切替回数の最大数、ビームペアの切替回数の最大数、伝送回数の閾値パラメータ、ダウンリンク参照信号の伝送電力、パワーランピングステップ、プリアンブル初期受信目標電力、プリアンブルフォーマット、最大パワーランピングレベル及び最大伝送電力Ｐ＿ＣＭＡＸのうちの少なくとも１つのパラメータを含んでよい。第２構成パラメータは、プリアンブル伝送電力を決定するために用いられてよい。
【０３１６】
本願において、同じダウンリンク信号に対応して、前述の３つのパラメータ２から４のそれぞれは、単一の値であってよい、又は、セット又は値の範囲であってよい。例えば、端末ビームの切替回数の最大数は、｛１、２、３、４、６、８｝である。例えば、基地局ビームの切替回数の最大数は、｛１、２、３、４｝である。例えば、ビームペアの切替回数の最大数は、｛１、２、３、４、６、８、１０、１２｝である。オプションで、前述のパラメータのいずれか１つの構成値は、セットであり、端末は、各パワーランピングレベルでの値を選択して、ビーム切替を実行し、異なるレベルで選択される値は、異なっていてよい。オプションで、前述のパラメータのうちのいずれか一つの構成値がセットである場合、端末は、ビーム切替を実行するために、各パワーランピングレベルにおいて値を選択し、すべてレベルにおいて選択される値が同じでなければならない。オプションで、各パワーランピングレベルにおいて端末により選択される端末伝送ビーム及び／又は基地局受信ビームは同じである。
【０３１７】
本願では、ダウンリンク参照信号の伝送電力（ｒｅｆｅｒｅｎｃｅ  ｓｉｇｎａｌ  ｐｏｗｅｒ）に対して、基地局伝送信号のゲインが考慮され、プリアンブル初期受信目標電力（ｐｒｅａｍｂｌｅ  ｉｎｉｔｉａｌ  ｒｅｃｅｉｖｅｄ  ｔａｒｇｅｔ  ｐｏｗｅｒ）に対して、基地局受信信号のゲインが考慮される。オプションで、ダウンリンク参照信号の伝送電力（ｒｅｆｅｒｅｎｃｅ  ｓｉｇｎａｌ  ｐｏｗｅｒ）に対して、基地局伝送ビームのゲインと基地局受信信号のゲインとの間の差が考慮される。オプションで、プリアンブル初期受信目標電力（ｐｒｅａｍｂｌｅ  ｉｎｉｔｉａｌ  ｒｅｃｅｉｖｅｄ  ｔａｒｇｅｔ  ｐｏｗｅｒ）に対して、基地局伝送ビームのゲインと基地局受信信号のゲインとの間の差が考慮される。オプションで、すべてのダウンリンク信号の参照信号の伝送電力（ｒｅｆｅｒｅｎｃｅ  ｓｉｇｎａｌ  ｐｏｗｅｒ）が異なる。オプションで、すべてのダウンリンク信号に対応するプリアンブル初期受信目標電力（ｐｒｅａｍｂｌｅ  ｉｎｉｔｉａｌ  ｒｅｃｅｉｖｅｄ  ｔａｒｇｅｔＰｏｗｅｒ）が異なる。オプションで、信号品質に対して、端末同期信号受信ビームのゲインとランダムアクセスプリアンブル伝送信号のゲインとの間の差が考慮される。
（１）実施形態１
【０３１８】
本実施形態におけるランダムアクセス手順では、端末は、１つのビームペア（基地局受信ビーム−端末伝送ビーム）を固定して用いる。
【０３１９】
具体的には、（ＰＲＥＡＭＢＬＥ＿ＴＲＡＮＳＭＩＳＳＩＯＮ＿ＣＯＵＮＴＥＲ）番目のプリアンブル伝送が実行される場合、プリアンブル伝送電力ＰＰＲＡＣＨは、
ＰＰＲＡＣＨ＝ｍｉｎ｛Ｐ＿ＣＭＡＸ、ＰＲＥＡＭＢＬＥ＿ＲＥＣＥＩＶＥＤ＿ＴＡＲＧＥＴ＿ＰＯＷＥＲ＋ＰＬ＿ｃ｝であり、
ここで、ＰＬ＿ｃ＝ｒｅｆｅｒｅｎｃｅ  ｓｉｇｎａｌ  ｐｏｗｅｒ−信号品質であり、
ＰＲＥＡＭＢＬＥ＿ＲＥＣＥＩＶＥＤ＿ＴＡＲＧＥＴ＿ＰＯＷＥＲ＝ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥ＋（ＰＲＥＡＭＢＬＥ＿ＴＲＡＮＳＭＩＳＳＩＯＮ＿ＣＯＵＮＴＥＲ−１）＊ｐｏｗｅｒ  ｒａｍｐｉｎｇ  ｓｔｅｐである。
【０３２０】
前述のアルゴリズムにおいて、因子、ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥは、ランダムアクセスプリアンブルが初めに伝送された場合に、ネットワークデバイスに到着するランダムアクセスプリアンブルの受信電力を表す。（ＰＲＥＡＭＢＬＥ＿ＴＲＡＮＳＭＩＳＳＩＯＮ＿ＣＯＵＮＴＥＲ−１）＊ｐｏｗｅｒ  ｒａｍｐｉｎｇ  ｓｔｅｐは、ランダムアクセスプリアンブル再伝送プロセスにおけるランピング（ｒａｍｐｉｎｇ）電力を表し、プリアンブル伝送電力をランピングするために用いられており、その結果、ランダムアクセスプリアンブル伝送の成功確率を向上させる。
（２）実施形態２
【０３２１】
本実施形態では、ランダムアクセス手順において、ダウンリンク信号と関連付けられているランダムアクセスリソースは、固定して用いられ、プリアンブル再伝送は、各パワーランピングレベルで、Ｋ個（Ｋは、ネットワークデバイスにより構成され、単一の値であってよい、又は、セット又は値の範囲であってよい）の端末ビームを用いることにより実行される。Ｋは、正の整数であり、Ｋは、端末ビームの切替回数の最大数より大きくない。本実施形態において、端末は、端末ビーム切替方式を決定してよい。これは限定されるものではない。
【０３２２】
具体的には、（ＰＲＥＡＭＢＬＥ＿ＴＲＡＮＳＭＩＳＳＩＯＮ＿ＣＯＵＮＴＥＲ）番目のプリアンブル伝送が実行される場合、プリアンブル伝送電力ＰＰＲＡＣＨは、
ＰＰＲＡＣＨ＝ｍｉｎ｛Ｐ＿ＣＭＡＸ、ＰＲＥＡＭＢＬＥ＿ＲＥＣＥＩＶＥＤ＿ＴＡＲＧＥＴ＿ＰＯＷＥＲ＋ＰＬ＿ｃ｝であり、
ここで、ＰＬ＿ｃ＝ｒｅｆｅｒｅｎｃｅ  ｓｉｇｎａｌ  ｐｏｗｅｒ−信号品質であり、
ＰＲＥＡＭＢＬＥ＿ＲＥＣＥＩＶＥＤ＿ＴＡＲＧＥＴ＿ＰＯＷＥＲ＝ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥ＋ｐｏｗｅｒＲａｍｐｉｎｇＬｅｖｅｌ＊ｐｏｗｅｒ  ｒａｍｐｉｎｇ  ｓｔｅｐであり、
ｐｏｗｅｒＲａｍｐｉｎｇＬｅｖｅｌ＝ｆｌｏｏｒ（（ＰＲＥＡＭＢＬＥ＿ＴＲＡＮＳＭＩＳＳＩＯＮ＿ＣＯＵＮＴＥＲ−１）／Ｋ）であり、
ｆｌｏｏｒは、次の整数に切り捨てることを表し、Ｋは、正の整数である。オプションで、ｐｏｗｅｒＲａｍｐｉｎｇＬｅｖｅｌは、ｐｏｗｅｒＲａｍｐｉｎｇＬｅｖｅｌ＝ｃｅｉｌ（ＰＲＥＡＭＢＬＥ＿ＴＲＡＮＳＭＩＳＳＩＯＮ＿ＣＯＵＮＴＥＲ／Ｋ）と同等に表現され得、ここで、ｃｅｉｌは、次の整数に切り上げることを表す。
【０３２３】
前述のアルゴリズムにおいて、因子、ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥは、ランダムアクセスプリアンブルが初めに伝送された場合に、ネットワークデバイスに到着するランダムアクセスプリアンブルの受信電力を表す。因子、ｐｏｗｅｒＲａｍｐｉｎｇＬｅｖｅｌ＊ｐｏｗｅｒ  ｒａｍｐｉｎｇ  ｓｔｅｐ（すなわち、ｆｌｏｏｒ（（ＰＲＥＡＭＢＬＥ＿ＴＲＡＮＳＭＩＳＳＩＯＮ＿ＣＯＵＮＴＥＲ−１）／Ｋ）＊ｐｏｗｅｒ  ｒａｍｐｉｎｇ  ｓｔｅｐ、又は、ｃｅｉｌ（ＰＲＥＡＭＢＬＥ＿ＴＲＡＮＳＭＩＳＳＩＯＮ＿ＣＯＵＮＴＥＲ／Ｎ）＊ｐｏｗｅｒ  ｒａｍｐｉｎｇ  ｓｔｅｐ）は、ランダムアクセスプリアンブル再伝送プロセスにおけるパワーランピング（ｒａｍｐｉｎｇ）電力を表す。
【０３２４】
本実施形態において、因子、ｐｏｗｅｒＲａｍｐｉｎｇＬｅｖｅｌ＊ｐｏｗｅｒ  ｒａｍｐｉｎｇ  ｓｔｅｐが用いられ、その結果、以下のものが制御され得る、すなわち、プリアンブル伝送パワーランピングは、Ｋ回の端末ビーム切替ごとに一度実行される。
【０３２５】
本実施形態において、各パワーランピングレベルで、Ｋ回の端末ビーム切替が実行されるべきである。オプションで、任意の２つのパワーランピングレベルｉ及びｊで、個別に用いられるＫ個の端末ビームは、完全に同じであってよく、ｉ及びｊは、非負整数である。このように、プリアンブル伝送電力の過度に急激なランピングを回避することができ、プリアンブル再伝送の成功率を向上させつつ、できるだけ干渉を減らし得る。
（３）実施形態３
【０３２６】
本実施形態では、ランダムアクセス手順において、端末伝送ビームが固定して用いられる。しかしながら、各パワーランピングレベルで、Ｎ個の異なるダウンリンク信号と関連付けられている（Ｎは、ネットワークデバイスにより構成され、単一の値であってよい、又は、セット又は値の範囲であってよい）ランダムアクセスリソースを用いることにより、プリアンブル再伝送が実行され、ここで、Ｎは正の整数であり、Ｎは、基地局ビームの切替回数の最大数より大きくない。本実施形態において、ランダムアクセスリソース切替は、基地局ビーム切替と同等である。具体的には、ランダムアクセスリソース切替の実施例については、前述のコンテンツにおいて説明されるランダムアクセスリソース切替についての前述のいくつかの実施形態を参照されたい。ここでは再び詳細を説明しない。
【０３２７】
具体的には、（ＰＲＥＡＭＢＬＥ＿ＴＲＡＮＳＭＩＳＳＩＯＮ＿ＣＯＵＮＴＥＲ）番目のプリアンブル伝送が実行される場合、プリアンブル伝送電力ＰＰＲＡＣＨは、
ＰＰＲＡＣＨ＝ｍｉｎ｛Ｐ＿ＣＭＡＸ、ＰＲＥＡＭＢＬＥ＿ＲＥＣＥＩＶＥＤ＿ＴＡＲＧＥＴ＿ＰＯＷＥＲ＋ＰＬ＿ｃ｝であり、
ここで、ＰＬ＿ｃ＝ｒｅｆｅｒｅｎｃｅ  ｓｉｇｎａｌ  ｐｏｗｅｒ−信号品質であり、
ＰＲＥＡＭＢＬＥ＿ＲＥＣＥＩＶＥＤ＿ＴＡＲＧＥＴ＿ＰＯＷＥＲ＝ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥ＋ｐｏｗｅｒＲａｍｐｉｎｇＬｅｖｅｌ＊ｐｏｗｅｒ  ｒａｍｐｉｎｇ  ｓｔｅｐであり、
ｐｏｗｅｒＲａｍｐｉｎｇＬｅｖｅｌ＝ｆｌｏｏｒ（（ＰＲＥＡＭＢＬＥ＿ＴＲＡＮＳＭＩＳＳＩＯＮ＿ＣＯＵＮＴＥＲ−１）／Ｎ）であり、
ｆｌｏｏｒは、次の整数に切り捨てることを表し、Ｎは、正の整数である。オプションで、ｐｏｗｅｒＲａｍｐｉｎｇＬｅｖｅｌは、ｐｏｗｅｒＲａｍｐｉｎｇＬｅｖｅｌ＝ｃｅｉｌ（ＰＲＥＡＭＢＬＥ＿ＴＲＡＮＳＭＩＳＳＩＯＮ＿ＣＯＵＮＴＥＲ／Ｎ）と同等に表現され得、ｃｅｉｌは、次の整数に切り上げることを表す。
【０３２８】
前述のアルゴリズムにおいて、因子、ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥは、ランダムアクセスプリアンブルが初めに伝送された場合に、ネットワークデバイスに到着するランダムアクセスプリアンブルの受信電力を表す。因子、ｐｏｗｅｒＲａｍｐｉｎｇＬｅｖｅｌ＊ｐｏｗｅｒ  ｒａｍｐｉｎｇ  ｓｔｅｐ（すなわち、ｆｌｏｏｒ（（ＰＲＥＡＭＢＬＥ＿ＴＲＡＮＳＭＩＳＳＩＯＮ＿ＣＯＵＮＴＥＲ−１／Ｎ）＊ｐｏｗｅｒ  ｒａｍｐｉｎｇ  ｓｔｅｐ、又は、ｃｅｉｌ（ＰＲＥＡＭＢＬＥ＿ＴＲＡＮＳＭＩＳＳＩＯＮ＿ＣＯＵＮＴＥＲ／Ｎ）＊ｐｏｗｅｒ  ｒａｍｐｉｎｇ  ｓｔｅｐ）は、ランダムアクセスプリアンブル再伝送プロセスにおけるパワーランピング（ｒａｍｐｉｎｇ）電力を表す。
【０３２９】
本実施形態において、因子、ｐｏｗｅｒＲａｍｐｉｎｇＬｅｖｅｌ＊ｐｏｗｅｒ  ｒａｍｐｉｎｇ  ｓｔｅｐが用いられ、その結果、以下のものが制御され得る。すなわち、プリアンブル伝送パワーランピングは、Ｎ回のランダムアクセスリソース切替ごとに一度実行される。
【０３３０】
さらに、ランダムアクセスリソースが切り替えられる場合、新たな基地局ビーム（又は、対応する基地局ダウンリンク信号）及び端末ビーム（ここでは、端末受信ビームと称される）に対応するパスロスに基づいて、電力が決定される必要がある。
【０３３１】
本実施形態において、各パワーランピングレベルで、Ｎ回のランダムアクセスリソース切替が実行されるべきである。各第Ｎ回目のランダムアクセスリソース切替後のプリアンブル再伝送の間に、パワーランピング（ｒａｍｐｉｎｇ）がプリアンブル伝送電力に対して実行される。具体的には、各第（ｉ＊Ｎ＋１）回目の再伝送（ｉは正の整数である）の間に、異なるダウンリンク信号と関連付けられているランダムアクセスリソースが、現在の再伝送及び前回の再伝送において個別に用いられる場合、パワーランピングが実行される。合計Ｎ（ｉ＊Ｎ＋１からｉ＊Ｎ＋Ｎ）回の再伝送の間に、Ｎ回のランダムアクセスリソース切替が実行されるべきである。オプションで、任意の２つのパワーランピングレベルｉ及びｊで、個別に用いられるＮ個のランダムアクセスリソースは、完全に同じであってよく、ｊは正の整数である。このように、プリアンブル伝送電力の過度に急激なランピングを回避することができ、プリアンブル再伝送の成功率を向上させつつ、できるだけ干渉を減らし得る。
（４）実施形態４
【０３３２】
本実施形態では、ランダムアクセス手順において、各パワーランピングレベルで、Ｎ個の異なるダウンリンク信号と関連付けられている（Ｎは、ネットワークデバイスにより構成され、単一の値であってよい、又は、セット又は値の範囲であってよい）ランダムアクセスリソースを用いることにより、プリアンブル再伝送が実行され、ここで、Ｎは正の整数であり、Ｎは、基地局ビームの切替回数の最大数より大きくない。各ランダムアクセスリソース上でプリアンブル再伝送が実行される場合、端末は、異なる端末ビームを用いてよい。本実施形態において、ランダムアクセスリソース切替は、基地局ビーム切替と同等である。具体的には、ランダムアクセスリソース切替の実施例については、前述のコンテンツにおいて説明されるランダムアクセスリソース切替についての前述のいくつかの実施形態を参照されたい。ここでは再び詳細を説明しない。
【０３３３】
具体的には、（ＰＲＥＡＭＢＬＥ＿ＴＲＡＮＳＭＩＳＳＩＯＮ＿ＣＯＵＮＴＥＲ）回目のプリアンブル伝送が実行される場合、プリアンブル伝送電力ＰＰＲＡＣＨは、
ＰＰＲＡＣＨ＝ｍｉｎ｛Ｐ＿ＣＭＡＸ、ＰＲＥＡＭＢＬＥ＿ＲＥＣＥＩＶＥＤ＿ＴＡＲＧＥＴ＿ＰＯＷＥＲ＋ＰＬ＿ｃ｝であり、
ここで、ＰＬ＿ｃ＝ｒｅｆｅｒｅｎｃｅ  ｓｉｇｎａｌ  ｐｏｗｅｒ−信号品質であり、ＰＲＥＡＭＢＬＥ＿ＲＥＣＥＩＶＥＤ＿ＴＡＲＧＥＴ＿ＰＯＷＥＲ＝ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥ＋ｐｏｗｅｒＲａｍｐｉｎｇＬｅｖｅｌ＊ｐｏｗｅｒ  ｒａｍｐｉｎｇ  ｓｔｅｐであり、
ｐｏｗｅｒＲａｍｐｉｎｇＬｅｖｅｌ＝ｆｌｏｏｒ（（ＰＲＥＡＭＢＬＥ＿ＴＲＡＮＳＭＩＳＳＩＯＮ＿ＣＯＵＮＴＥＲ−１）／Ｎ）であり、
ｆｌｏｏｒは、次の整数に切り捨てることを表し、Ｎは、正の整数である。オプションで、ｐｏｗｅｒＲａｍｐｉｎｇＬｅｖｅｌは、ｐｏｗｅｒＲａｍｐｉｎｇＬｅｖｅｌ＝ｃｅｉｌ（ＰＲＥＡＭＢＬＥ＿ＴＲＡＮＳＭＩＳＳＩＯＮ＿ＣＯＵＮＴＥＲ／Ｎ）と同等に表現され得、ｃｅｉｌは、次の整数に切り上げることを表す。
【０３３４】
前述のアルゴリズムにおいて、因子、ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥは、ランダムアクセスプリアンブルが初めに伝送された場合に、ネットワークデバイスに到着するランダムアクセスプリアンブルの受信電力を表す。因子、ｐｏｗｅｒＲａｍｐｉｎｇＬｅｖｅｌ＊ｐｏｗｅｒ  ｒａｍｐｉｎｇ  ｓｔｅｐ（すなわち、ｆｌｏｏｒ（（ＰＲＥＡＭＢＬＥ＿ＴＲＡＮＳＭＩＳＳＩＯＮ＿ＣＯＵＮＴＥＲ−１）／Ｎ）＊ｐｏｗｅｒ  ｒａｍｐｉｎｇ  ｓｔｅｐ、又は、ｃｅｉｌ（ＰＲＥＡＭＢＬＥ＿ＴＲＡＮＳＭＩＳＳＩＯＮ＿ＣＯＵＮＴＥＲ／Ｎ）＊ｐｏｗｅｒ  ｒａｍｐｉｎｇ  ｓｔｅｐ）は、ランダムアクセスプリアンブル再伝送プロセスにおけるパワーランピング（ｒａｍｐｉｎｇ）電力を表す。
【０３３５】
本実施形態において、因子、ｐｏｗｅｒＲａｍｐｉｎｇＬｅｖｅｌ＊ｐｏｗｅｒ  ｒａｍｐｉｎｇ  ｓｔｅｐが用いられ、その結果、以下のものが制御され得る。すなわち、プリアンブル伝送パワーランピングは、Ｎ回のランダムアクセスリソース切替ごとに一度実行される。
【０３３６】
さらに、ランダムアクセスリソースが切り替えられる場合、新たな基地局ビーム（又は、対応する基地局ダウンリンク信号）及び端末ビーム（ここでは、新たな基地局ダウンリンク信号に対応する端末受信ビームと称される）に対応するパスロスに基づいて、電力が決定される必要がある。端末が伝送ビームを切り替える場合、新たな端末伝送ビームの最大信号ゲインが変化し得る。具体的には、新たなパスロスに関して、異なる端末ビームのゲイン間の差は、考慮される必要がある。例えば、パスロスは、現在の端末伝送ビームのゲインと前回の端末伝送ビームのゲインとの間の差を含む、又は、パスロスは、現在の端末伝送ビームのゲインと現在の端末受信ビームのゲインとの間の差を含む。さらに、ｐｒｅａｍｂｌｅＩｎｉｔｉａｌＲｅｃｅｉｖｅｄＴａｒｇｅｔＰｏｗｅｒは、現在の再伝送のために選択される基地局ビームに対応するパラメータであり、ＤＥＬＴＡ＿ＰＲＥＡＭＢＬＥは、現在の再伝送のために選択されるランダムアクセスプリアンブルに対応するパラメータである。
【０３３７】
本実施形態において、各パワーランピングレベルで、Ｎ回のランダムアクセスリソース切替が実行されるべきである。各第Ｎ回目のランダムアクセスリソース切替後のプリアンブル再伝送の間に、パワーランピング（ｒａｍｐｉｎｇ）がプリアンブル伝送電力に対して実行される。具体的には、各第（ｉ＊Ｎ＋１）回目の再伝送（ｉは正の整数である）の間に、異なるダウンリンク信号と関連付けられているランダムアクセスリソースが、現在の再伝送及び前回の再伝送において個別に用いられる場合、パワーランピングが実行される。合計Ｎ（ｉ＊Ｎ＋１からｉ＊Ｎ＋Ｎ）回の再伝送の間に、Ｎ回のランダムアクセスリソース切替が実行されるべきである。オプションで、任意の２つのパワーランピングレベルｉ及びｊで、個別に用いられるＮ個のランダムアクセスリソースは、完全に同じであってよく、ｊは正の整数である。このように、プリアンブル伝送電力の過度に急激なランピングを回避することができ、プリアンブル再伝送の成功率を向上させつつ、できるだけ干渉を減らし得る。
（５）実施形態５
【０３３８】
本実施形態では、ランダムアクセス手順において、Ｎ（ｉ）個の異なる基地局ビーム−端末ビームペアが、各パワーランピングレベルｐｏｗｅｒＲａｍｐｉｎｇＬｅｖｅｌ（ｉ）での再伝送のために用いられ、ここで、Ｎ（ｉ）は、ビームペアの切替回数の最大数より大きくない。各基地局ビーム−端末ビームペアにおいて、基地局ビームは異なり得る、及び／又は、端末ビームは異なり得る。
【０３３９】
具体的には、（ＰＲＥＡＭＢＬＥ＿ＴＲＡＮＳＭＩＳＳＩＯＮ＿ＣＯＵＮＴＥＲ）番目のプリアンブル伝送が実行される場合、プリアンブル伝送電力ＰＰＲＡＣＨは、
ＰＰＲＡＣＨ＝ｍｉｎ｛Ｐ＿ＣＭＡＸ、ＰＲＥＡＭＢＬＥ＿ＲＥＣＥＩＶＥＤ＿ＴＡＲＧＥＴ＿ＰＯＷＥＲ＋ＰＬ＿ｃ｝であり、
ここで、ＰＬ＿ｃ＝ｒｅｆｅｒｅｎｃｅ  ｓｉｇｎａｌ  ｐｏｗｅｒ−信号品質であり、ＰＲＥＡＭＢＬＥ＿ＲＥＣＥＩＶＥＤ＿ＴＡＲＧＥＴ＿ＰＯＷＥＲ＝ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥ＋ｐｏｗｅｒＲａｍｐｉｎｇＬｅｖｅｌ（ｉ）＊ｐｏｗｅｒ  ｒａｍｐｉｎｇ  ｓｔｅｐであり、
【数１】
2020529813.tif 000021
であり、
【数２】
2020529813.tif 000022
であり、
ｐｏｗｅｒＲａｍｐｉｎｇＬｅｖｅｌ（ｉ）＝ｉ−１であり、
ｉ≦ＰＲＥＡＭＢＬＥ＿ＴＲＡＮＳＭＩＳＳＩＯＮ＿ＣＯＵＮＴＥＲである。
【０３４０】
本実施形態において、
【数３】
2020529813.tif 000023
は、現在のパワーランピングレベルですでに実行されているビームペア切替の回数を表す。
【０３４１】
さらに、基地局ビーム−端末ビームペア切替が実行される場合、新たな基地局ビーム（又は、対応する基地局ダウンリンク信号）及び端末ビーム（ここでは、新たな基地局ダウンリンク信号に対応する端末受信ビームと称される）に対応するパスロスに基づいて、電力が決定される必要がある。端末が伝送ビームを切り替える場合、新たな端末伝送ビームの最大信号ゲインが変化する。具体的には、新たなパスロスに関して、異なる端末ビームのゲイン間の差が考慮される必要がある。例えば、パスロスは、現在の端末伝送ビームのゲインと前回の端末伝送ビームのゲインとの間の差を含む、又は、パスロスは、現在の端末伝送ビームのゲインと現在の端末受信ビームのゲインとの間の差を含む。さらに、ｐｒｅａｍｂｌｅＩｎｉｔｉａｌＲｅｃｅｉｖｅｄＴａｒｇｅｔＰｏｗｅｒは、現在の再伝送のために選択される基地局ビームに対応するパラメータであり、ＤＥＬＴＡ＿ＰＲＥＡＭＢＬＥは、現在の再伝送のために選択されるランダムアクセスプリアンブルに対応するパラメータである。
【０３４２】
オプションで、異なるパワーランピングレベルｉで、Ｎ（ｉ）回切り替えられるビームペアは、同じであっても異なっていてもよい。
【０３４３】
オプションで、２つのパワーランピングレベルｉ及びｊについて、ｉ＜ｊであり、Ｎ（ｉ）≦Ｎ（ｊ）である。
【０３４４】
オプションで、２つのパワーランピングレベルｉ及びｊは、ｉ＜ｊであり、Ｎ（ｉ）≧Ｎ（ｊ）である。
【０３４５】
本実施形態において、各パワーランピングレベルｐｏｗｅｒＲａｍｐｉｎｇＬｅｖｅｌ（ｉ）で、Ｎ（ｉ）回の基地局ビーム−端末ビームペア切替が実行されるために必要である。Ｎ（ｉ）回の基地局ビーム−端末ビームペア切替後のプリアンブル再伝送の間に、パワーランピング（ｒａｍｐｉｎｇ）が、プリアンブル伝送電力に対して実行される。このように、プリアンブル伝送電力の過度に急激なランピングを回避することができ、プリアンブル再伝送の成功率を向上させつつ、できるだけ干渉を減らし得る。
【０３４６】
オプションで、ｐｏｗｅｒＲａｍｐｉｎｇＬｅｖｅｌ（ｉ）＝ｋ＊（ｉ−１）である。ｋ＞１の場合、プリアンブル伝送電力は、より早くランピングされてよい。ｋ＜１の場合、プリアンブル伝送電力は、より遅くランピングされてよい。
【０３４７】
オプションで、端末は、ランダムアクセス再伝送プロセスにおいて、基地局ビームと端末ビームとを切り替える。同じパワーランピングレベルにおいて、Ｎ回のダウンリンク基地局ビーム切替及びＫ回の端末ビーム切替が実行されるのに必要である。基地局ビーム切替及び端末ビーム切替が実行されるときに実行される電力制御については、前述のいくつかの実施形態を参照されたい。ここでは、基地局ビームを切り替えることは、ランダムアクセスリソースを切り替えことに等しい。
【０３４８】
オプションで、ランダムアクセスプロセスにおいて、端末は、Ｎ個の連続する時間のために同じダウンリンク信号及び／又は同じ端末伝送ビームに対応するランダムアクセスリソースを用いており、Ｎは、伝送回数の閾値パラメータを越えない。端末は、前述の実施形態のいずれか１つの方式で、ビーム切替を実行し、伝送電力を決定する。
【０３４９】
さらに、プリアンブル伝送電力制御の前述のいくつかの実施形態を参照すると、ネットワークデバイスは、端末に対するインジケーション情報の一部（例えば、フラグ）を構成してよい。例えば、フラグが０である場合、端末は、ビームを切り替えるときにパワーランピングを実行しなくてもよく、及び／又は、フラグが１である場合、Ｎ回のビーム切替（基地局ビーム切替、端末ビーム切替、又は、基地局ビーム−端末ビームペア切替）の後に、端末は、パワーランピングを実行し、ビーム切替を実行し続けてよく、及び／又は、フラグが２である場合、Ｎ回のビーム切替（基地局ビーム切替、端末ビーム切替、基地局ビーム−端末ビームペア切替）の後に、端末は、パワーランピングを実行する、又は、元の電力を維持してビーム切替を実行し続けることを選択してよい。
【０３５０】
本願において、プリアンブル伝送電力制御の前述のいくつかの実施形態は、ランダムアクセスリソース切替について、前述のいくつかの実施形態と組み合わせて実装されてよい。本願において、具体的な組み合わせの形式は、限定されるものではなく、実際の要件に基づいて決定されてよい。
【０３５１】
図１１は、本願に係る無線通信システム、端末及びネットワークデバイスを示す。無線通信システム１０は、端末４００及びネットワークデバイス５００を含む。端末４００は、図１における実施形態の端末１０３であってよく、ネットワークデバイス５００は、図１における実施形態のネットワークデバイス１０１であってよく、無線通信システム１０は、図１で説明される無線通信システム１００であってよい。以下では、説明を個別に提供する。
【０３５２】
図１１に示されるように、端末４００は、取得ユニット４０１、決定ユニット４０３及び送信ユニット４０５を含んでよい。
【０３５３】
取得ユニット４０１は、第１構成パラメータを取得するように構成されてよい。
【０３５４】
決定ユニット４０３は、第１構成パラメータに基づいて、複数のダウンリンク信号と個別に関連付けられているランダムアクセスリソースから、ランダムアクセスプリアンブル再伝送に用いられるランダムアクセスリソースを決定するように構成されてよい。
【０３５５】
送信ユニット４０５は、ランダムアクセスプリアンブル再伝送に用いられるランダムアクセスリソースを用いることによってランダムアクセスプリアンブルを再伝送するように構成されてよい。
【０３５６】
オプションで、取得ユニット４０１は、具体的には、ネットワークデバイスによって送信される第１構成パラメータを受信するように構成されてよい。オプションで、取得ユニット４０１は、具体的には、第１構成パラメータを局所的に取得するように構成されてよく、端末４００は、第１構成パラメータで局所的に予め構成されてよい。
【０３５７】
いくつかの任意の実施形態において、取得ユニット４０１は、ネットワークデバイス５００により送信される第２構成パラメータを受信し、第２構成パラメータに基づいて、プリアンブル再伝送電力を決定するようにさらに構成されてよい。
【０３５８】
具体的には、第２構成パラメータは、プリアンブル伝送回数の最大数、アップリンク端末ビームの切替回数の最大数、ランダムアクセスリソースの切替回数の最大数、基地局ビーム−端末ビームペアの切替回数の最大数、ランダムアクセスリソース切替を可能にするためのプリアンブル伝送回数の最小数、ダウンリンク参照信号の伝送電力ｒｅｆｅｒｅｎｃｅ  ｓｉｇｎａｌ  ｐｏｗｅｒ、パワーランピングステップｐｏｗｅｒ  ｒａｍｐｉｎｇ  ｓｔｅｐ、プリアンブル初期受信目標電力ｐｒｅａｍｂｌｅＩｎｉｔｉａｌＲｅｃｅｉｖｅｄＴａｒｇｅｔＰｏｗｅｒ、プリアンブルフォーマット、最大パワーランピングレベル及び最大伝送電力Ｐ＿ＣＭＡＸのうちの少なくとも１つを含んでよく、プリアンブル初期受信目標電力は、基地局受信信号のゲインに関連し、ダウンリンク参照信号の伝送電力は、基地局伝送信号のゲインに関連する。
【０３５９】
いくつかの任意の実施形態において、端末４００内の送信ユニット４０５は、具体的には、ランダムアクセス手順において、メッセージ３の送信に失敗した場合、及び／又は、ランダムアクセス手順において、競合解消に失敗した場合、現在のダウンリンク信号と関連付けられているランダムアクセスリソースとは異なるランダムアクセスリソースを用いることによって、ランダムアクセスプリアンブル再伝送を実行するように構成され得る。
【０３６０】
図１１に示されるように、ネットワークデバイス５００は、送信ユニット５０１と受信ユニット５０３とを含んでよい。
【０３６１】
送信ユニット５０１は、第１構成パラメータを端末４００に送信するように構成されてよい。第１構成パラメータは、複数のダウンリンク信号と個別に関連付けられているランダムアクセスリソースから、ランダムアクセスプリアンブル再伝送に用いられるランダムアクセスリソースを決定するために、端末によって用いられる。
【０３６２】
受信ユニット５０３は、端末４００によって再伝送されるプリアンブルを受信するように構成されてよい。
【０３６３】
本願では、ダウンリンク信号は、同期信号ブロック（ＳＳブロック）及びチャネル状態情報−参照信号（ＣＳＩ−ＲＳ）のうちの少なくとも一方を含んでよい。ＳＳブロックは、Ｎ個のＯＦＤＭシンボルに対応する。１つのＳＳブロックは、プライマリ同期信号（ＰＳＳ）、セカンダリ同期信号（ＳＳＳ）、物理ブロードキャスト信号（ＰＢＣＨ）又は復調参照信号（ＤＭＲＳ）のうちの少なくとも１つを含む。
【０３６４】
いくつかの任意の実施形態において、送信ユニット５０１は、第２構成パラメータを端末４００に送信するようにさらに構成され得る。第２構成パラメータは、プリアンブル再伝送電力を決定するために用いられる。
【０３６５】
具体的には、第２構成パラメータは、プリアンブル伝送回数の最大数、アップリンク端末ビームの切替回数の最大数、ランダムアクセスリソースの切替回数の最大数、基地局ビーム−端末ビームペアの切替回数の最大数、ランダムアクセスリソース切替を可能にするためのプリアンブル伝送回数の最小数、ダウンリンク参照信号の伝送電力ｒｅｆｅｒｅｎｃｅ  ｓｉｇｎａｌ  ｐｏｗｅｒ、パワーランピングステップｐｏｗｅｒ  ｒａｍｐｉｎｇ  ｓｔｅｐ、プリアンブル初期受信目標電力ｐｒｅａｍｂｌｅＩｎｉｔｉａｌＲｅｃｅｉｖｅｄＴａｒｇｅｔＰｏｗｅｒ、プリアンブルフォーマット、最大パワーランピングレベル及び最大伝送電力Ｐ＿ＣＭＡＸのうちの少なくとも１つを含んでよく、プリアンブル初期受信目標電力は、基地局受信信号のゲインに関連し、ダウンリンク参照信号の伝送電力は、基地局伝送信号のゲインに関連する。
【０３６６】
端末４００又はネットワークデバイス５００について、第１構成パラメータの具体的な実装は、以下の通りであってよい。
【０３６７】
オプションで、第１構成パラメータは、具体的には、現在のダウンリンク信号と関連付けられているランダムアクセスリソースとは異なるランダムアクセスリソースを用いることによって、端末４００がランダムアクセスプリアンブル再伝送を実行するか否かを示すために用いられてよい。例えば、第１構成パラメータはフラグビットを含む。フラグビットが０に等しい場合、現在のダウンリンク信号と関連付けられているランダムアクセスリソースを用いることによって、端末４００がランダムアクセスプリアンブル再伝送を実行し続けることを示す。フラグビットが１に等しい場合、現在のダウンリンク信号と関連付けられているランダムアクセスリソースとは異なるランダムアクセスリソースを用いることによって、端末４００がランダムアクセスプリアンブル再伝送を実行することを示す。例は、本願の実施形態に過ぎず、限定を構成すべきでない。実際の適用では、異なる実施形態があってよい。
【０３６８】
オプションで、代わりに、第１構成パラメータは、具体的には、現在のダウンリンク信号及び／又は候補ダウンリンク信号の測定された信号品質に基づいて、現在のダウンリンク信号と関連付けられているランダムアクセスリソース及び候補ダウンリンク信号と関連付けられているランダムアクセスリソースから、ランダムアクセスプリアンブル再伝送に用いられるランダムアクセスリソースを決定するために、端末４００によって用いられてよい。具体的には、第１構成パラメータは、ダウンリンク信号の信号品質変化を決定するために用いられてよい。具体的には、第１構成パラメータは、現在のダウンリンク信号及び／又は候補ダウンリンク信号の信号品質変化を決定するために用いられてよく、品質変化は、ランダムアクセスプリアンブル再伝送に用いられるランダムアクセスリソースを決定するために用いられる。
【０３６９】
オプションで、第１構成パラメータのうちの１又は複数は、システム情報（ＳＩ）、残りの最小システム情報（ＲＭＳＩ）、ダウンリンク物理制御チャネル（ＰＤＣＣＨ）、ダウンリンク制御情報（ＤＣＩ）、ＭＡＣ−ＣＥ、及び、ＲＲＣシグナリングなどのうちの任意の１又は複数を用いることにより、ネットワークデバイス５００により構成されてよい。オプションで、第１構成パラメータのうちの１又は複数は、プロトコルを用いることにより規定されてよい、又は、端末４００は、第１構成パラメータのうちの１又は複数を予め格納又は予め構成してよい。
【０３７０】
いくつかの任意の実施形態において、第１構成パラメータは、第５の閾値及び第１のオフセットをさらに含んでよい。オプションで、端末４００内の送信ユニット４０５は、具体的には、候補ダウンリンク信号の信号品質が第５の閾値を超える場合、又は、候補ダウンリンク信号の信号品質が現在のダウンリンク信号の信号品質よりも高く、第１のオフセットよりも少なくとも高い場合、候補ダウンリンク信号と関連付けられているランダムアクセスリソースを用いることによって、ランダムアクセスプリアンブル再伝送を実行するように構成され得る。
【０３７１】
本願では、ランダムアクセスリソース切替条件は、プリアンブル再伝送に用いられるランダムアクセスリソースを切り替えるか否かを決定するために用いられてよい。ランダムアクセスリソース切替を実行する前に、端末は、各ダウンリンク信号の品質を測定し、現在のダウンリンク信号及び／又は候補ダウンリンク信号の信号品質変化を分析し、最後に、信号品質変化及びランダムアクセスリソース切替条件に基づいて、ランダムアクセスリソースを切り替えるか否かを決定してよい。
【０３７２】
具体的には、切替条件及び各切替条件に基づいて、端末４００がどのようにランダムアクセスリソース切替を実行するかについては、図６から図１０の実施形態を参照されたい。実際の適用では、切替条件は、実際の要件に基づいて決定されてよい。これは、本願において限定されるものではない。各切替条件に基づいてランダムアクセスリソース切替を実行するために、端末４００の具体的な決定は、実際の要件に基づいて決定されてもよい。これは、本願において限定されるものではない。
【０３７３】
端末４００に含まれる機能ユニットの詳細な実装については、前述の実施形態を参照されたいことが理解され得る。ここでは再び詳細を説明しない。ネットワークデバイス５００に含まれる機能ユニットの詳細な実装については、前述の実施形態を参照されたい。ここでは再び詳細を説明しない。
【０３７４】
結論として、本願で提供される技術的解決手段によれば、ランダムアクセスが実行されている場合、各ダウンリンクビームにより送信されるダウンリンク信号は、ランダムアクセスリソースと個別に関連付けられている。ネットワークデバイスは、各ダウンリンクビームに対応する基地局受信ビームを用いることによって、各ダウンリンク信号と関連付けられているランダムアクセスリソース上のプリアンブルを受信する。さらに、端末は、ダウンリンク信号の信号品質であって、測定を通じて取得される信号品質に基づいて、複数のダウンリンク信号から優れた信号品質を有するダウンリンク信号を選択し、ダウンリンク信号と関連付けられているランダムアクセスリソースに切り替えてプリアンブル再伝送を実行してよい。この場合、ネットワークデバイスは、ダウンリンクビームに対応する基地局受信ビームを用いることによってプリアンブルを受信することで、プリアンブル再伝送の成功率を向上させ、それにより、遅延を減らす。
【０３７５】
当業者であれば、実施形態における方法の処理のすべて又は一部が関連するハードウェアに命令するコンピュータプログラムにより実施されてよいことが理解され得る。プログラムは、コンピュータ可読記憶媒体に格納され得る。プログラムが起動した場合、実施形態における方法の処理が実行される。上述の記憶媒体は、プログラムコードを格納できる任意の媒体、例えば、ＲＯＭ、ランダムアクセスメモリＲＡＭ、磁気ディスク又は光ディスクを含む。
【国際調査報告】
2020529813.tif 000024
2020529813.tif 000025
2020529813.tif 000026
2020529813.tif 000027